(57)【要約】本明細書は、無線通信システムにおいてデータを送受信するための方法及びこれを支援する装置を提案する。具体的に、無線通信システムにおいて端末が上りリンクデータチャネルを送信する方法は、基地局から、ｎ番目の送信時間単位（ｔｒａｎｓｍｉｓｓｉｏｎ  ｔｉｍｅ  ｕｎｉｔ）で上りリンクデータチャネルをスケジューリングするための第１の下りリンク制御情報（ｄｏｗｎｌｉｎｋ  ｃｏｎｔｒｏｌ  ｉｎｆｏｒｍａｔｉｏｎ）を受信するステップと、前記基地局から、ｎ＋ｋ番目の送信時間単位で上りリンクデータチャネルをスケジューリングするための第２の下りリンク制御情報を受信するステップと、前記第１の下りリンク制御情報による情報が前記第２の下りリンク制御情報による情報と矛盾する場合、前記第１の下りリンク制御情報に基づく上りリンクデータチャネルを前記基地局に送信するステップとを含み、前記第２の下りリンク制御情報は、前記端末により無視されることができる。【選択図】図２０
2020537420.tif 000002
【特許請求の範囲】
【請求項１】
無線通信システムにおいて端末（user equipment）が上りリンクデータチャネルを送信する方法において、
基地局から、ｎ番目の送信時間単位（transmission time unit）で上りリンクデータチャネルをスケジューリングするための第１の下りリンク制御情報（downlink control information）を受信するステップと、
前記基地局から、ｎ＋ｋ番目の送信時間単位で上りリンクデータチャネルをスケジューリングするための第２の下りリンク制御情報を受信するステップと、
前記第１の下りリンク制御情報による情報が前記第２の下りリンク制御情報による情報と矛盾する場合、前記第１の下りリンク制御情報に基づく上りリンクデータチャネルを前記基地局に送信するステップと、
を含み、
前記第２の下りリンク制御情報は、前記端末により無視される、ことを特徴とする方法。
【請求項２】
前記第１の下りリンク制御情報及び前記第２の下りリンク制御情報は、各々前記上りリンクデータチャネルと関連したＤＭＲＳ（Demodulation Reference Signal）パターン（pattern）に関する情報、循環シフト（cyclic shift）に関する情報、ＩＦＤＭＡ（Interleaved Frequency Division Multiple Access）コーム（comb）に関する情報、リソース割当（resource allocation）に関する情報、プリコーディング（precoding）に関する情報、及び／又はレイヤ（layer）の数に関する情報のうち、少なくとも１つを含むことを特徴とする、請求項１に記載の方法。
【請求項３】
前記第１の下りリンク制御情報による情報が前記第２の下りリンク制御情報による情報と矛盾する場合は、前記ＤＭＲＳパターンに関する情報が矛盾する場合であることを特徴とする、請求項２に記載の方法。
【請求項４】
前記第１の下りリンク制御情報に含まれたＤＭＲＳパターンは、前記ｎ＋ｋ番目の送信時間単位における１番目のシンボルで前記上りリンクデータチャネルに対するＤＭＲＳ送信を表し、
前記第２の下りリンク制御情報に含まれたＤＭＲＳパターンは、前記ｎ＋ｋ番目の送信時間単位の１番目のシンボルで前記上りリンクデータチャネルに対するＤＭＲＳ送信を表さないことを特徴とする、請求項３に記載の方法。
【請求項５】
前記第１の下りリンク制御情報による情報が前記第２の下りリンク制御情報による情報と矛盾する場合は、前記循環シフトに関する情報、前記ＩＦＤＭＡコームに関する情報、前記リソース割当に関する情報、前記プリコーディング（precoding）に関する情報、及び／又は前記レイヤ（layer）の数に関する情報のうち、少なくとも１つが矛盾する場合であることを特徴とする、請求項２に記載の方法。
【請求項６】
前記第１の下りリンク制御情報に含まれたＤＭＲＳパターン及び前記第２の下りリンク制御情報に含まれたＤＭＲＳパターンは、前記ｎ＋ｋ番目の送信時間単位における１番目のシンボルで前記上りリンクデータチャネルのＤＭＲＳ送信を表すことを特徴とする、請求項５に記載の方法。
【請求項７】
前記ｋは、１であり、
前記ｎ番目の送信時間単位は、前記ｎ＋ｋ番目の送信時間単位と連続して配置されることを特徴とする、請求項１に記載の方法。
【請求項８】
前記ｎ番目の送信時間単位及び前記ｎ＋ｋ番目の送信時間単位は、各々２つまたは３つのＯＦＤＭ（Orthogonal Frequency Division Multiplexing）シンボル（symbol）を含むサブスロット（subslot）であることを特徴とする、請求項１に記載の方法。
【請求項９】
無線通信システムにおいて上りリンクデータチャネルを送信する端末において、
無線信号を送受信するための送受信部と、
前記送受信部と機能的に連結されているプロセッサと、
を備え、
前記プロセッサは、
基地局から、ｎ番目の送信時間単位（transmission time unit）で前記上りリンクデータチャネルをスケジューリングするための第１の下りリンク制御情報（downlink control information）を受信し、
前記基地局から、ｎ＋ｋ番目の送信時間単位で前記上りリンクデータチャネルをスケジューリングするための第２の下りリンク制御情報を受信し、
前記第１の下りリンク制御情報による情報が前記第２の下りリンク制御情報による情報と矛盾する場合、前記第１の下りリンク制御情報に基づく前記上りリンクデータチャネルを前記基地局に送信するように制御し、
前記第２の下りリンク制御情報は、前記端末により無視される、ことを特徴とする端末。
【請求項１０】
前記第１の下りリンク制御情報及び前記第２の下りリンク制御情報は、各々前記上りリンクデータチャネルと関連したＤＭＲＳ（Demodulation Reference Signal）パターン（pattern）に関する情報、循環シフト（cyclic shift）に関する情報、ＩＦＤＭＡ（Interleaved Frequency Division Multiple Access）コーム（comb）に関する情報、リソース割当（resource allocation）に関する情報、プリコーディング（precoding）に関する情報、及び／又はレイヤ（layer）の数に関する情報のうち、少なくとも１つを含むことを特徴とする、請求項９に記載の端末。
【請求項１１】
前記第１の下りリンク制御情報による情報が前記第２の下りリンク制御情報による情報と矛盾する場合は、前記ＤＭＲＳパターンに関する情報が矛盾する場合であることを特徴とする、請求項１０に記載の端末。
【請求項１２】
前記第１の下りリンク制御情報に含まれたＤＭＲＳパターンは、前記ｎ＋ｋ番目の送信時間単位における１番目のシンボルで前記上りリンクデータチャネルに対するＤＭＲＳ送信を表し、
前記第２の下りリンク制御情報に含まれたＤＭＲＳパターンは、前記ｎ＋ｋ番目の送信時間単位の１番目のシンボルで前記上りリンクデータチャネルに対するＤＭＲＳ送信を表さないことを特徴とする、請求項１１に記載の端末。
【請求項１３】
前記第１の下りリンク制御情報による情報が前記第２の下りリンク制御情報による情報と矛盾する場合は、前記循環シフトに関する情報、前記ＩＦＤＭＡコームに関する情報、前記リソース割当に関する情報、前記プリコーディング（precoding）に関する情報、及び／又は前記レイヤ（layer）の数に関する情報のうち、少なくとも１つが矛盾する場合であることを特徴とする、請求項１０に記載の端末。
【請求項１４】
前記第１の下りリンク制御情報に含まれたＤＭＲＳパターン及び前記第２の下りリンク制御情報に含まれたＤＭＲＳパターンは、前記ｎ＋ｋ番目の送信時間単位における１番目のシンボルで前記上りリンクデータチャネルのＤＭＲＳ送信を表すことを特徴とする、請求項１３に記載の端末。
【請求項１５】
無線通信システムにおいて上りリンクデータチャネルを受信する基地局において、
無線信号を送受信するための送受信部と、
前記送受信部と機能的に連結されているプロセッサと、
を備え、
前記プロセッサは、
端末に、ｎ番目の送信時間単位（transmission time unit）で前記上りリンクデータチャネルをスケジューリングするための第１の下りリンク制御情報（downlink control information）を送信し、
前記端末に、ｎ＋ｋ番目の送信時間単位で前記上りリンクデータチャネルをスケジューリングするための第２の下りリンク制御情報を送信し、
前記第１の下りリンク制御情報による情報が前記第２の下りリンク制御情報による情報と矛盾する場合、前記第１の下りリンク制御情報に基づく前記上りリンクデータチャネルを前記端末から受信するように制御し、
前記第２の下りリンク制御情報は、前記端末により無視される、ことを特徴とする基地局。
【発明の詳細な説明】
【技術分野】
【０００１】
本明細書は、無線通信システムにおいてデータを送受信するための方法に関し、より詳細には、下りリンクチャネル（ｄｏｗｎｌｉｎｋ  ｃｈａｎｎｅｌ）及び／又は上りリンクチャネル（ｕｐｌｉｎｋ  ｃｈａｎｎｅｌ）を送受信する方法及びこれを支援する装置に関する。
【背景技術】
【０００２】
移動通信システムは、ユーザの活動性を保証しながら音声サービスを提供するために開発された。しかしながら、移動通信システムは、音声だけでなくデータサービスまで領域を拡張し、現在では、爆発的なトラフィックの増加によってリソースの不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当たりの送信率の画期的な増加、大幅に増加した接続デバイス数の収容、非常に低いエンドツーエンド遅延（Ｅｎｄ−ｔｏ−Ｅｎｄ  Ｌａｔｅｎｃｙ）、高エネルギー効率をサポートできなければならない。このために、デュアルコネクティビティ（Ｄｕａｌ  Ｃｏｎｎｅｃｔｉｖｉｔｙ）、大規模複数入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多元接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）サポート、端末ネットワーキング（Ｄｅｖｉｃｅ  Ｎｅｔｗｏｒｋｉｎｇ）等、様々な技術が研究されている。
【発明の概要】
【発明が解決しようとする課題】
【０００４】
本明細書は、下りリンクチャネル及び／又は上りリンクチャネルの送受信を行う方法を提供することに目的がある。
【０００５】
具体的に、本明細書は、下りリンクチャネルの送受信と関連して、ＤＭＲＳ（Ｄｅｍｏｄｕｌａｔｉｏｎ  Ｒｅｆｅｒｅｎｃｅ  Ｓｉｇｎａｌ）の共有（ｓｈａｒｉｎｇ）及び／又は繰り返し（ｒｅｐｅｔｉｔｉｏｎ）を考慮して、下りリンクチャネルをスケジューリング（ｓｃｈｅｄｕｌｉｎｇ）及び／又は送受信する方法を提供することに目的がある。
【０００６】
また、本明細書は、上りリンクチャネルの送受信と関連して、複数の下りリンク制御情報間の矛盾（ｉｎｃｏｎｓｉｓｔｅｎｔ）する設定及び／又は指示が存在する場合を考慮して、特定の下りリンク制御情報に基づいた上りリンクチャネル送受信を行う方法を提供することに目的がある。
【０００７】
本発明で解決しようとする技術的課題は、以上で言及した技術的課題に制限されず、言及しないまた別の技術的課題は、以下の記載から本発明が属する技術分野で通常の知識を有する者にとって明確に理解されるべきである。
【課題を解決するための手段】
【０００８】
本発明の実施形態に係る無線通信システムにおいて端末（ｕｓｅｒ  ｅｑｕｉｐｍｅｎｔ）が上りリンクデータチャネルを送信する方法において、前記方法は、基地局から、ｎ番目の送信時間単位（ｔｒａｎｓｍｉｓｓｉｏｎ  ｔｉｍｅ  ｕｎｉｔ）で上りリンクデータチャネルをスケジューリングするための第１の下りリンク制御情報（ｄｏｗｎｌｉｎｋ  ｃｏｎｔｒｏｌ  ｉｎｆｏｒｍａｔｉｏｎ）を受信するステップと、前記基地局から、ｎ＋ｋ番目の送信時間単位で上りリンクデータチャネルをスケジューリングするための第２の下りリンク制御情報を受信するステップと、前記第１の下りリンク制御情報による情報が前記第２の下りリンク制御情報による情報と矛盾する場合、前記第１の下りリンク制御情報に基づく上りリンクデータチャネルを前記基地局に送信するステップとを含み、前記第２の下りリンク制御情報は、前記端末により無視されることができる。
【０００９】
本発明の実施形態に係る前記方法において、前記第１の下りリンク制御情報及び前記第２の下りリンク制御情報は、各々前記上りリンクデータチャネルと関連したＤＭＲＳ（Ｄｅｍｏｄｕｌａｔｉｏｎ  Ｒｅｆｅｒｅｎｃｅ  Ｓｉｇｎａｌ）パターン（ｐａｔｔｅｒｎ）に関する情報、循環シフト（ｃｙｃｌｉｃ  ｓｈｉｆｔ）に関する情報、ＩＦＤＭＡ（Ｉｎｔｅｒｌｅａｖｅｄ  Ｆｒｅｑｕｅｎｃｙ  Ｄｉｖｉｓｉｏｎ  Ｍｕｌｔｉｐｌｅ  Ａｃｃｅｓｓ）コーム（ｃｏｍｂ）に関する情報、リソース割当（ｒｅｓｏｕｒｃｅ  ａｌｌｏｃａｔｉｏｎ）に関する情報、プリコーディング（ｐｒｅｃｏｄｉｎｇ）に関する情報、及び／又はレイヤ（ｌａｙｅｒ）の数に関する情報のうち、少なくとも１つを含むことができる。
【００１０】
本発明の実施形態に係る前記方法において、前記第１の下りリンク制御情報による情報が前記第２の下りリンク制御情報による情報と矛盾する場合は、前記ＤＭＲＳパターンに関する情報が矛盾する場合でありうる。
【００１１】
本発明の実施形態に係る前記方法において、前記第１の下りリンク制御情報に含まれたＤＭＲＳパターンは、前記ｎ＋ｋ番目の送信時間単位における１番目のシンボルで前記上りリンクデータチャネルに対するＤＭＲＳ送信を表し、前記第２の下りリンク制御情報に含まれたＤＭＲＳパターンは、前記ｎ＋ｋ番目の送信時間単位の１番目のシンボルで前記上りリンクデータチャネルに対するＤＭＲＳ送信を表さないことができる。
【００１２】
本発明の実施形態に係る前記方法において、前記第１の下りリンク制御情報による情報が前記第２の下りリンク制御情報による情報と矛盾する場合は、前記循環シフトに関する情報、前記ＩＦＤＭＡコームに関する情報、前記リソース割当に関する情報、前記プリコーディング（ｐｒｅｃｏｄｉｎｇ）に関する情報、及び／又は前記レイヤ（ｌａｙｅｒ）の数に関する情報のうち、少なくとも１つが矛盾する場合でありうる。
【００１３】
本発明の実施形態に係る前記方法において、前記第１の下りリンク制御情報に含まれたＤＭＲＳパターン及び前記第２の下りリンク制御情報に含まれたＤＭＲＳパターンは、前記ｎ＋ｋ番目の送信時間単位における１番目のシンボルで前記上りリンクデータチャネルのＤＭＲＳ送信を表すことができる。
【００１４】
本発明の実施形態に係る前記方法において、前記ｋは１であり、前記ｎ番目の送信時間単位は、前記ｎ＋ｋ番目の送信時間単位と連続して配置されることができる。
【００１５】
本発明の実施形態に係る前記方法において、前記ｎ番目の送信時間単位及び前記ｎ＋ｋ番目の送信時間単位は、各々２つまたは３つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（ｓｙｍｂｏｌ）を含むサブスロット（ｓｕｂｓｌｏｔ）でありうる。
【００１６】
本発明の実施形態に係る無線通信システムにおいて上りリンクデータチャネルを送信する端末において、前記端末は、無線信号を送受信するための送受信部と、前記送受信部と機能的に連結されているプロセッサとを備え、前記プロセッサは、基地局から、ｎ番目の送信時間単位（ｔｒａｎｓｍｉｓｓｉｏｎ  ｔｉｍｅ  ｕｎｉｔ）で前記上りリンクデータチャネルをスケジューリングするための第１の下りリンク制御情報（ｄｏｗｎｌｉｎｋ  ｃｏｎｔｒｏｌ  ｉｎｆｏｒｍａｔｉｏｎ）を受信し、前記基地局から、ｎ＋ｋ番目の送信時間単位で前記上りリンクデータチャネルをスケジューリングするための第２の下りリンク制御情報を受信し、前記第１の下りリンク制御情報による情報が前記第２の下りリンク制御情報による情報と矛盾する場合、前記第１の下りリンク制御情報に基づく前記上りリンクデータチャネルを前記基地局に送信するように制御し、前記第２の下りリンク制御情報は、前記端末により無視されることができる。
【００１７】
本発明の実施形態に係る前記端末において、前記第１の下りリンク制御情報及び前記第２の下りリンク制御情報は、各々前記上りリンクデータチャネルと関連したＤＭＲＳ（Ｄｅｍｏｄｕｌａｔｉｏｎ  Ｒｅｆｅｒｅｎｃｅ  Ｓｉｇｎａｌ）パターン（ｐａｔｔｅｒｎ）に関する情報、循環シフト（ｃｙｃｌｉｃ  ｓｈｉｆｔ）に関する情報、ＩＦＤＭＡ（Ｉｎｔｅｒｌｅａｖｅｄ  Ｆｒｅｑｕｅｎｃｙ  Ｄｉｖｉｓｉｏｎ  Ｍｕｌｔｉｐｌｅ  Ａｃｃｅｓｓ）コーム（ｃｏｍｂ）に関する情報、リソース割当（ｒｅｓｏｕｒｃｅ  ａｌｌｏｃａｔｉｏｎ）に関する情報、プリコーディング（ｐｒｅｃｏｄｉｎｇ）に関する情報、及び／又はレイヤ（ｌａｙｅｒ）の数に関する情報のうち、少なくとも１つを含むことができる。
【００１８】
本発明の実施形態に係る前記端末において、前記第１の下りリンク制御情報による情報が前記第２の下りリンク制御情報による情報と矛盾する場合は、前記ＤＭＲＳパターンに関する情報が矛盾する場合でありうる。
【００１９】
本発明の実施形態に係る前記端末において、前記第１の下りリンク制御情報に含まれたＤＭＲＳパターンは、前記ｎ＋ｋ番目の送信時間単位における１番目のシンボルで前記上りリンクデータチャネルに対するＤＭＲＳ送信を表し、前記第２の下りリンク制御情報に含まれたＤＭＲＳパターンは、前記ｎ＋ｋ番目の送信時間単位の１番目のシンボルで前記上りリンクデータチャネルに対するＤＭＲＳ送信を表さないことができる。
【００２０】
本発明の実施形態に係る前記端末において、前記第１の下りリンク制御情報による情報が前記第２の下りリンク制御情報による情報と矛盾する場合は、前記循環シフトに関する情報、前記ＩＦＤＭＡコームに関する情報、前記リソース割当に関する情報、前記プリコーディング（ｐｒｅｃｏｄｉｎｇ）に関する情報、及び／又は前記レイヤ（ｌａｙｅｒ）の数に関する情報のうち、少なくとも１つが矛盾する場合でありうる。
【００２１】
本発明の実施形態に係る前記端末において、前記第１の下りリンク制御情報に含まれたＤＭＲＳパターン及び前記第２の下りリンク制御情報に含まれたＤＭＲＳパターンは、前記ｎ＋ｋ番目の送信時間単位における１番目のシンボルで前記上りリンクデータチャネルのＤＭＲＳ送信を表すことができる。
【００２２】
本発明の実施形態に係る無線通信システムにおいて上りリンクデータチャネルを受信する基地局において、前記基地局は、無線信号を送受信するための送受信部と、前記送受信部と機能的に連結されているプロセッサとを備え、前記プロセッサは、端末に、ｎ番目の送信時間単位（ｔｒａｎｓｍｉｓｓｉｏｎ  ｔｉｍｅ  ｕｎｉｔ）で前記上りリンクデータチャネルをスケジューリングするための第１の下りリンク制御情報（ｄｏｗｎｌｉｎｋ  ｃｏｎｔｒｏｌ  ｉｎｆｏｒｍａｔｉｏｎ）を送信し、前記端末に、ｎ＋ｋ番目の送信時間単位で前記上りリンクデータチャネルをスケジューリングするための第２の下りリンク制御情報を送信し、前記第１の下りリンク制御情報による情報が前記第２の下りリンク制御情報による情報と矛盾する場合、前記第１の下りリンク制御情報に基づく前記上りリンクデータチャネルを前記端末から受信するように制御し、前記第２の下りリンク制御情報は、前記端末により無視されることができる。
【発明の効果】
【００２３】
本明細書の実施形態によれば、ＤＭＲＳ共有（ＤＭＲＳ  ｓｈａｒｉｎｇ）と関連した端末の動作を明確化して、ＤＣＩなどにより指示されるＤＭＲＳが不在のまたは存在する場合に発生し得る端末動作の曖昧性（ａｍｂｉｇｕｉｔｙ）が除去され得るという効果がある。
【００２４】
また、本明細書の実施形態によれば、ＤＭＲＳ繰り返し（ＤＭＲＳ  ｒｅｐｅｔｉｔｉｏｎ）と関連した端末の動作を明確化して、３レイヤ以上のＰＤＳＣＨに対する動作を可能なようにしたり、及び／又はデータレート（ｄａｔａ  ｒａｔｅ）の減少を防止できるという効果がある。
【００２５】
また、本明細書の実施形態によれば、複数の下りリンク制御情報により矛盾する設定及び／又は指示が端末に伝達される場合にも、端末の動作曖昧性を解決できるという効果がある。
【００２６】
本明細書において得ることができる効果は以上で言及した効果に制限されず、言及しないまた別の効果は以下の記載から本発明が属する技術分野で通常の知識を有する者に明確に理解できるはずである。
【図面の簡単な説明】
【００２７】
本発明に関する理解を助けるために詳細な説明の一部に含まれる添付図面は本発明に対する実施形態を提供し、詳細な説明と共に本発明の技術的特徴を説明する。
【００２８】
【図１】本発明が適用できる無線通信システムにおける無線フレームの構造を示す。
【図２】本発明が適用できる無線通信システムにおける１つの下りリンクスロットに対するリソースグリッド（ｒｅｓｏｕｒｃｅ  ｇｒｉｄ）を例示した図である。
【図３】本発明が適用できる無線通信システムにおける下りリンクサブフレームの構造を示す。
【図４】本発明が適用できる無線通信システムにおける上りリンクサブフレームの構造を示す。
【図５】本明細書において提案する方法が適用できるＮＲの全体的なシステム構造の一例を示す。
【図６】本明細書において提案する方法が適用できる無線通信システムにおける上りリンクフレームと下りリンクフレームとの間の関係を示す。
【図７】ＮＲシステムにおけるフレーム構造の一例を示す。
【図８】本明細書において提案する方法が適用できる無線通信システムで支援するリソースグリッド（ｒｅｓｏｕｒｃｅ  ｇｒｉｄ）の一例を示す。
【図９】本明細書において提案する方法が適用できるアンテナポート及びヌメロロジー別リソースグリッドの例を示す。
【図１０】本明細書において提案する方法が適用できる自己完結型（ｓｅｌｆ−ｃｏｎｔａｉｎｅｄ）構造の一例を示す。
【図１１】本発明が適用できる無線通信システムにおける物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）のフォーマットが上りリンク物理リソースブロックのＰＵＣＣＨ領域にマッピングされる形態の一例を示す。
【図１２】本発明が適用できる無線通信システムにおける一般ＣＰ（ｃｙｃｌｉｃ  ｐｒｅｆｉｘ）の場合のＣＱＩ（ｃｈａｎｎｅｌ  ｑｕａｌｉｔｙ  ｉｎｄｉｃａｔｏｒ）チャネルの構造を示す。
【図１３】本発明が適用できる無線通信システムにおける一般ＣＰの場合に、ＡＣＫ／ＮＡＣＫチャネルの構造を示す。
【図１４】本発明が適用できる無線通信システムにおけるＵＬ−ＳＣＨ（ｕｐｌｉｎｋ  ｓｈａｒｅｄ  ｃｈａｎｎｅｌ）の送信チャネルプロセッシングの一例を示す。
【図１５】本発明が適用できる無線通信システムにおける送信チャネル（ｔｒａｎｓｐｏｒｔ  ｃｈａｎｎｅｌ）である上りリンク共有チャネルの信号処理過程の一例を示す。
【図１６】本発明が適用できる無線通信システムにおける１つのスロットの間に５個のＳＣ−ＦＤＭＡシンボルを生成して送信する一例を示す。
【図１７】一般ＣＰ（ｃｙｃｌｉｃ  ｐｒｅｆｉｘ）を有するＰＵＣＣＨフォーマット３に対するＡＣＫ／ＮＡＣＫチャネルの構造を示す。
【図１８】本実施形態において提案する方法が適用され得る下りリンクデータチャネルの受信可否を決定する端末の動作順序図の一例を示す。
【図１９】本実施形態において提案する方法が適用され得る下りリンクデータチャネルを送信する基地局の動作順序図の一例を示す。
【図２０】本実施形態において提案する方法が適用され得る上りリンクデータチャネルを送信する端末の動作順序図の一例を示す。
【図２１】本実施形態において提案する方法が適用され得る上りリンクデータチャネルを受信する基地局の動作順序図の一例を示す。
【図２２】本明細書において提案する方法が適用され得る無線通信装置のブロック構成図を例示する。
【図２３】本明細書において提案する方法が適用され得る無線通信装置のブロック構成図のさらに他の例示である。
【発明を実施するための形態】
【００２９】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００３０】
いくつかの場合、本発明の概念が曖昧になることを避けるために、公知の構造及び装置は省略されるか、または各構造及び装置の核心機能を中心にしたブロック図形式で示されることができる。
【００３１】
本明細書において、基地局は端末と直接的に通信を遂行するネットワークの終端ノード（ｔｅｒｍｉｎａｌ  ｎｏｄｅ）としての意味を有する。本文書で基地局により行われるものとして説明された特定の動作は、場合によっては、基地局の上位ノード（ｕｐｐｅｒ  ｎｏｄｅ）により行われることもできる。即ち、基地局を含む複数のネットワークノード（ｎｅｔｗｏｒｋ  ｎｏｄｅｓ）からなるネットワークで端末との通信のために行われる様々な動作は基地局または基地局以外の他のネットワークノードにより行われることができることは自明である。「基地局（ＢＳ：Ｂａｓｅ  Ｓｔａｔｉｏｎ）」は固定局（ｆｉｘｅｄ  ｓｔａｔｉｏｎ）、Ｎｏｄｅ  Ｂ、ｅＮＢ（ｅｖｏｌｖｅｄ−Ｎｏｄｅ  Ｂ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）などの用語により代替できる。また、「端末（Ｔｅｒｍｉｎａｌ）」は固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替できる。
【００３２】
以下、下りリンク（ＤＬ：ｄｏｗｎｌｉｎｋ）は基地局から端末への通信を意味し、上りリンク（ＵＬ：ｕｐｌｉｎｋ）は端末から基地局への通信を意味する。下りリンクで、送信機は基地局の一部であり、受信機は端末の一部でありうる。上りリンクで、送信機は端末の一部であり、受信機は基地局の一部でありうる。
【００３３】
以下の説明において用いられる特定の用語は、本発明の理解に役立つために提供されたものであり、このような特定の用語の使用は、本発明の技術的思想から外れない範囲内で他の形態に変更されることができる。
【００３４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような様々な無線アクセスシステムに用いられることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により実現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により実現されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により実現されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、下りリンクにおいてＯＦＤＭＡを採用し、上りリンクにおいてＳＣ−ＦＤＭＡを採用する。ＬＴＥ−Ａ（ａｄｖａｎｃｅｄ）は、３ＧＰＰ  ＬＴＥの進化である。
【００３５】
本発明の実施形態は、無線アクセスシステムであるＩＥＥＥ  ８０２、３ＧＰＰ及び３ＧＰＰ２のうち、少なくとも１つに開示された標準文書により裏付けられることができる。即ち、本発明の実施形態のうち、本発明の技術的思想を明確にあらわすために、説明しないステップまたは部分は、前記文書により裏付けられることができる。また、本文書に開示しているすべての用語は、前記標準文書により説明されることができる。
【００３６】
説明を明確にするために、３ＧＰＰ  ＬＴＥ／ＬＴＥ−Ａ／ＮＲシステムを中心に述べるが、本発明の技術的特徴がこれに制限されるわけではない。
【００３７】
システム一般
【００３８】
図１は、本発明が適用できる無線通信システムにおける無線フレームの構造を示す。
【００３９】
３ＧＰＰ  ＬＴＥ／ＬＴＥ−ＡではＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）の構造とＴＤＤ（Ｔｉｍｅ  Ｄｉｖｉｓｉｏｎ  Ｄｕｐｌｅｘ）に適用可能なタイプ２の無線フレームの構造を支援する。
【００４０】
図１で、無線フレームの時間領域でのサイズはＴ＿ｓ＝１／（１５０００＊２０４８）の時間単位の倍数で表現される。下りリンク及び上りリンク送信はＴ＿ｆ＝３０７２００＊Ｔ＿ｓ＝１０ｍｓの区間を有する無線フレームで構成される。
【００４１】
図１の（ａ）は、タイプ１の無線フレームの構造を例示する。タイプ１の無線フレームは、全二重（ｆｕｌｌ  ｄｕｐｌｅｘ）及び半二重（ｈａｌｆ  ｄｕｐｌｅｘ）ＦＤＤに全て適用できる。
【００４２】
無線フレーム（ｒａｄｉｏ  ｆｒａｍｅ）は１０個のサブフレーム（ｓｕｂｆｒａｍｅ）から構成される。１つの無線フレームはＴ＿ｓｌｏｔ＝１５３６０＊Ｔ＿ｓ＝０．５ｍｓの長さの２０個のスロットから構成され、各スロットは０から１９までのインデックスが与えられる。１つのサブフレームは時間領域（ｔｉｍｅ  ｄｏｍａｉｎ）で連続的な２つのスロット（ｓｌｏｔ）から構成され、サブフレームｉはスロット２ｉ及びスロット２ｉ＋１で構成される。１つのサブフレームを送信するのにかかる時間をＴＴＩ（ｔｒａｎｓｍｉｓｓｉｏｎ  ｔｉｍｅ  ｉｎｔｅｒｖａｌ）という。例えば、１つのサブフレームの長さは１ｍｓであり、１つのスロットの長さは０．５ｍｓでありうる。
【００４３】
ＦＤＤで上りリンク送信及び下りリンク送信は、周波数ドメインで区分される。全二重ＦＤＤに制限がないのに対し、半二重ＦＤＤ動作で端末は同時に送信及び受信をすることができない。
【００４４】
１つのスロットは時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で複数のリソースブロック（ＲＢ：Ｒｅｓｏｕｒｃｅ  Ｂｌｏｃｋ）を含む。３ＧＰＰ  ＬＴＥは下りリンクでＯＦＤＭＡを使用するのでＯＦＤＭシンボルは１つのシンボル区間（ｓｙｍｂｏｌ  ｐｅｒｉｏｄ）を表現するためのものである。ＯＦＤＭシンボルは１つのＳＣ−ＦＤＭＡシンボルまたはシンボル区間ということができる。リソースブロック（ｒｅｓｏｕｒｃｅ  ｂｌｏｃｋ）はリソース割り当て単位であり、１つのスロットで複数の連続的な副搬送波（ｓｕｂｃａｒｒｉｅｒ）を含む。
【００４５】
図１の（ｂ）は、タイプ２フレーム構造（ｆｒａｍｅ  ｓｔｒｕｃｔｕｒｅ  ｔｙｐｅ２）を示す。
【００４６】
タイプ２の無線フレームは、各１５３６００＊Ｔ＿ｓ＝５ｍｓの長さの２つのハーフフレーム（ｈａｌｆ  ｆｒａｍｅ）から構成される。各ハーフフレームは３０７２０＊Ｔ＿ｓ＝１ｍｓの長さの５個のサブフレームから構成される。
【００４７】
ＴＤＤシステムのタイプ２のフレーム構造で上りリンク下りリンク構成（ｕｐｌｉｎｋ−ｄｏｗｎｌｉｎｋ  ｃｏｎｆｉｇｕｒａｔｉｏｎ）は全てのサブフレームに対して上りリンクと下りリンクが割り当て（または、予約）られるかを示す規則である。
【００４８】
表１は、上りリンク下りリンク構成を示す。
【００４９】
【表１】
2020537420.tif 000003
【００５０】
表１を参照すると、無線フレームの各サブフレーム別に、‘Ｄ’は下りリンク送信のためのサブフレームを示し、‘Ｕ’は上りリンク送信のためのサブフレームを示し、‘Ｓ’はＤｗＰＴＳ（Ｄｏｗｎｌｉｎｋ  Ｐｉｌｏｔ  Ｔｉｍｅ  Ｓｌｏｔ）、ガード区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３種類のフィールドから構成されるスペシャルサブフレーム（ｓｐｅｃｉａｌ  ｓｕｂｆｒａｍｅ）を示す。ＤｗＰＴＳは、端末での初期セルサーチ、同期化、またはチャネル推定に使われる。ＵｐＰＴＳは、基地局でのチャネル推定と端末の上りリンク送信同期を合せるのに使われる。ＧＰは、上りリンクと下りリンクの間に下りリンク信号の多重経路遅延によって上りリンクで生じる干渉を除去するための区間である。
【００５１】
各サブフレームｉは、各Ｔ＿ｓｌｏｔ＝１５３６０＊Ｔ＿ｓ＝０．５ｍｓの長さのスロット２ｉ及びスロット２ｉ＋１で構成される。
【００５２】
上りリンク下りリンク構成は７種類に区分されることができ、各構成別に下りリンクサブフレーム、スペシャルサブフレーム、上りリンクサブフレームの位置及び／又は個数が異なる。
【００５３】
下りリンクから上りリンクに変更される時点、または上りリンクから下りリンクに切り換えられる時点を切換時点（ｓｗｉｔｃｈｉｎｇ  ｐｏｉｎｔ）という。切換時点の周期性（Ｓｗｉｔｃｈ−ｐｏｉｎｔ  ｐｅｒｉｏｄｉｃｉｔｙ）は上りリンクサブフレームと下りリンクサブフレームが切り換えられる様相が同一に繰り返される周期を意味し、５ｍｓまたは１０ｍｓが全て支援される。５ｍｓ下りリンク上りリンク切換時点の周期を有する場合には、スペシャルサブフレーム（Ｓ）はハーフフレーム毎に存在し、５ｍｓの下りリンク上りリンク切換時点の周期を有する場合には最初のハーフフレームのみに存在する。
【００５４】
全ての構成において、０番、５番サブフレーム、及びＤｗＰＴＳは、下りリンク送信のみのための区間である。ＵｐＰＴＳ及びサブフレームサブフレームに直ぐ繋がるサブフレームは常に上りリンク送信のための区間である。
【００５５】
このような上りリンク下りリンク構成は、システム情報として基地局と端末が全て知っていることができる。基地局は上りリンク下りリンク構成情報が変わる度に構成情報のインデックスのみを送信することによって、無線フレームの上りリンク下りリンク割り当て状態の変更を端末に知らせることができる。また、構成情報は一種の下りリンク制御情報として他のスケジューリング情報と同様にＰＤＣＣＨ（Ｐｈｙｓｉｃａｌ  Ｄｏｗｎｌｉｎｋ  Ｃｏｎｔｒｏｌ  Ｃｈａｎｎｅｌ）を通じて送信されることができ、放送情報としてブロードキャストチャネル（ｂｒｏａｄｃａｓｔ  ｃｈａｎｎｅｌ）を介してセル内の全ての端末に共通に送信されることもできる。
【００５６】
表２は、スペシャルサブフレームの構成（ＤｗＰＴＳ／ＧＰ／ＵｐＰＴＳの長さ）を示す。
【００５７】
【表２】
2020537420.tif 000004
【００５８】
図１の例示に従う無線フレームの構造は１つの例示に過ぎず、無線フレームに含まれる副搬送波の数またはサブフレームに含まれるスロットの数、スロットに含まれるＯＦＤＭシンボルの数は様々に変更できる。
【００５９】
図２は、本発明が適用できる無線通信システムにおける１つの下りリンクスロットに対するリソースグリッド（ｒｅｓｏｕｒｃｅ  ｇｒｉｄ）を例示した図である。
【００６０】
図２を参照すると、１つの下りリンクスロットは時間領域で複数のＯＦＤＭシンボルを含む。ここで、１つの下りリンクスロットは７個のＯＦＤＭシンボルを含み、１つのリソースブロックは周波数領域で１２個の副搬送波を含むことを例示的に記述するが、これに限定されるものではない。
【００６１】
リソースグリッド上で各要素（ｅｌｅｍｅｎｔ）をリソースエレメント（ｒｅｓｏｕｒｃｅ  ｅｌｅｍｅｎｔ）といい、１つのリソースブロック（ＲＢ：ｒｅｓｏｕｒｃｅ  ｂｌｏｃｋ）は１２×７個のリソースエレメントを含む。下りリンクスロットに含まれるリソースブロックの数ＮＤＬは下りリンク送信帯域幅（ｂａｎｄｗｉｄｔｈ）に従属する。
【００６２】
上りリンクスロットの構造は下りリンクスロットの構造と同一でありうる。
【００６３】
図３は、本発明が適用できる無線通信システムにおける下りリンクサブフレームの構造を示す。
【００６４】
図３を参照すると、サブフレーム内の一番目のスロットで前の最大３個のＯＦＤＭシンボルは制御チャネルが割り当てられる制御領域（ｃｏｎｔｒｏｌ  ｒｅｇｉｏｎ）であり、残りのＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使われる下りリンク制御チャネルの一例として、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００６５】
ＰＣＦＩＣＨは、サブフレームの一番目のＯＦＤＭシンボルで送信され、サブフレーム内に制御チャネルの送信のために使われるＯＦＤＭシンボルの数（即ち、制御領域のサイズ）に関する情報を運ぶ。ＰＨＩＣＨは上りリンクに対する応答チャネルであり、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。ＰＤＣＣＨを介して送信される制御情報を下りリンク制御情報（ＤＣＩ：ｄｏｗｎｌｉｎｋ  ｃｏｎｔｒｏｌ  ｉｎｆｏｒｍａｔｉｏｎ）という。下りリンク制御情報は、上りリンクリソース割り当て情報、下りリンクリソース割り当て情報、または任意の端末グループに対する上りリンク送信（Ｔｘ）パワー制御命令を含む。
【００６６】
ＰＤＣＣＨはＤＬ−ＳＣＨ（Ｄｏｗｎｌｉｎｋ  Ｓｈａｒｅｄ  Ｃｈａｎｎｅｌ）のリソース割り当て及び送信フォーマット（これを下りリンクグラントともいう。）、ＵＬ−ＳＣＨ（Ｕｐｌｉｎｋ  Ｓｈａｒｅｄ  Ｃｈａｎｎｅｌ）のリソース割り当て情報（これを上りリンクグラントともいう。）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨで送信されるランダムアクセス応答（ｒａｎｄｏｍ  ａｃｃｅｓｓ  ｒｅｓｐｏｎｓｅ）のような上位層（ｕｐｐｅｒ−ｌａｙｅｒ）制御メッセージに対するリソース割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは制御領域内で送信されることができ、端末は複数のＰＤＣＣＨをモニタリングすることができる。ＰＤＣＣＨは１つまたは複数の連続的なＣＣＥ（ｃｏｎｔｒｏｌ  ｃｈａｎｎｅｌ  ｅｌｅｍｅｎｔｓ）の集合で構成される。ＣＣＥは無線チャネルの状態に従う符号化率（ｃｏｄｉｎｇ  ｒａｔｅ）をＰＤＣＣＨに提供するために使われる論理的割り当て単位である。ＣＣＥは複数のリソースエレメントグループ（ｒｅｓｏｕｒｃｅ  ｅｌｅｍｅｎｔ  ｇｒｏｕｐ）に対応する。ＰＤＣＣＨのフォーマット及び使用可能なＰＤＣＣＨのビット数はＣＣＥの数とＣＣＥにより提供される符号化率の間の関係によって決定される。
【００６７】
基地局は端末に送信しようとするＤＣＩによってＰＤＣＣＨのフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末固有の識別子、例えばＣ−ＲＮＴＩ（Ｃｅｌｌ−ＲＮＴＩ）がＣＲＣにマスキングできる。または、ページングメッセージのためのＰＤＣＣＨであれば、ページング指示識別子、例えばＰ−ＲＮＴＩ（Ｐａｇｉｎｇ−ＲＮＴＩ）がＣＲＣにマスキングできる。システム情報、より具体的にシステム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングできる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングできる。
【００６８】
ＥＰＤＣＣＨ（ｅｎｈａｎｃｅｄ  ＰＤＣＣＨ）は、端末固有（ＵＥ−ｓｐｅｃｉｆｉｃ）のシグナリングを運ぶ。ＥＰＤＣＣＨは、端末固有に設定された物理リソースブロック（ＰＲＢ：ｐｈｙｓｉｃａｌ  ｒｅｓｏｕｒｃｅ  ｂｌｏｃｋ）に位置する。言い換えると、前述したように、ＰＤＣＣＨはサブフレーム内の一番目のスロットで以前の最大３個のＯＦＤＭシンボルで送信されることができるが、ＥＰＤＣＣＨはＰＤＣＣＨ以外のリソース領域で送信されることができる。サブフレーム内ＥＰＤＣＣＨが開始される時点（即ち、シンボル）は、上位層のシグナリング（例えば、ＲＲＣシグナリング等）を介して端末に設定されることができる。
【００６９】
ＥＰＤＣＣＨは、ＤＬ−ＳＣＨと関連した送信フォーマット、リソース割り当て及びＨＡＲＱ情報、ＵＬ−ＳＣＨと関連した送信フォーマット、リソース割り当て及びＨＡＲＱ情報、ＳＬ−ＳＣＨ（Ｓｉｄｅｌｉｎｋ  Ｓｈａｒｅｄ  Ｃｈａｎｎｅｌ）及びＰＳＣＣＨ（Ｐｈｙｓｉｃａｌ  Ｓｉｄｅｌｉｎｋ  Ｃｏｎｔｒｏｌ  Ｃｈａｎｎｅｌ）と関連したリソース割り当て情報等を運ぶことができる。多重のＥＰＤＣＣＨが支援されることができ、端末はＥＰＣＣＨのセットをモニタリングすることができる。
【００７０】
ＥＰＤＣＣＨは、１つまたそれ以上の連続した進歩したＣＣＥ（ＥＣＣＥ：ｅｎｈａｎｃｅｄ  ＣＣＥ）を用いて送信されることができ、各ＥＰＤＣＣＨフォーマット別に単一のＥＰＤＣＣＨ当たりのＥＣＣＥの個数が決められることができる。
【００７１】
各ＥＣＣＥは、複数のリソースエレメントグループ（ＥＲＥＧ：ｅｎｈａｎｃｅｄ  ｒｅｓｏｕｒｃｅ  ｅｌｅｍｅｎｔ  ｇｒｏｕｐ）で構成されることができる。ＥＲＥＧは、ＥＣＣＥのＲＥへのマッピングを定義するために使用される。ＰＲＢ対別に１６個のＥＲＥＧが存在する。各ＰＲＢ対内でＤＭＲＳを運ぶＲＥを除き、全てのＲＥは、周波数が増加する順にその次の時間が増加する順に０乃至１５までの番号が付与される。
【００７２】
端末は、複数のＥＰＤＣＣＨをモニタリングすることができる。例えば、端末がＥＰＤＣＣＨ送信をモニタリングする１つのＰＲＢ対内の１つ又は二つのＥＰＤＣＣＨセットが設定されることができる。
【００７３】
互いに異なる個数のＥＣＣＥが併合されることによって、ＥＰＣＣＨのための互いに異なる符号化率（ｃｏｄｉｎｇ  ｒａｔｅ）が実現できる。ＥＰＣＣＨは、地域的送信（ｌｏｃａｌｉｚｅｄ  ｔｒａｎｓｍｉｓｓｉｏｎ）又は分散的送信（ｄｉｓｔｒｉｂｕｔｅｄ  ｔｒａｎｓｍｉｓｓｉｏｎ）を使用することができ、これによってＰＲＢ内ＲＥにＥＣＣＥのマッピングが変わり得る。
【００７４】
図４は、本発明が適用できる無線通信システムにおける上りリンクサブフレームの構造を示す。
【００７５】
図４を参照すると、上りリンクサブフレームは周波数領域で制御領域とデータ領域とに分けられる。制御領域には上りリンク制御情報を運ぶＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域はユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波の特性を維持するために１つの端末はＰＵＣＣＨとＰＵＳＣＨを同時に送信しない。
【００７６】
１つの端末に対するＰＵＣＣＨにはサブフレーム内にリソースブロック（ＲＢ：Ｒｅｓｏｕｒｃｅ  Ｂｌｏｃｋ）対が割り当てられる。ＲＢ対に属するＲＢは２つのスロットの各々で互いに異なる副搬送波を占める。これをＰＵＣＣＨに割り当てられたＲＢ対はスロット境界（ｓｌｏｔ  ｂｏｕｎｄａｒｙ）で周波数ホッピング（ｆｒｅｑｕｅｎｃｙ  ｈｏｐｐｉｎｇ）されるという。
【００７７】
また、以下、本明細書において提案する発明は、ＬＴＥ／ＬＴＥ−Ａシステム（又は、装置）だけでなく、５Ｇ  ＮＲシステム（又は、装置）にも適用できる。
【００７８】
以下、図５乃至図１０を参考し、５Ｇ  ＮＲシステムの通信について説明する。
【００７９】
５Ｇ  ＮＲシステムは、使用シナリオ（ｕｓａｇｅ  ｓｃｅｎａｒｉｏ）（例：サービス類型）によってｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎｓ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）、Ｖ２Ｘ（ｖｅｈｉｃｌｅ−ｔｏ−ｅｖｅｒｙｔｈｉｎｇ）を定義する。
【００８０】
また、５Ｇ  ＮＲの規格（ｓｔａｎｄａｒｄ）は、ＮＲシステムとＬＴＥシステム間の共存（ｃｏ−ｅｘｉｓｔｅｎｃｅ）によって、スタンドアローン（ＳＡ）とノンスタンドアローン（ＮＳＡ）とに区分する。
【００８１】
また、５Ｇ  ＮＲシステムは、様々なサブキャリア間隔（ｓｕｂｃａｒｒｉｅｒ  ｓｐａｃｉｎｇ）を支援し、下りリンクでＣＰ−ＯＦＤＭを、上りリンクでＣＰ−ＯＦＤＭ及びＤＦＴ−ｓ−ＯＦＤＭ（ＳＣ−ＯＦＤＭ）を支援する。
【００８２】
本発明の実施形態は、無線アクセスシステムであるＩＥＥＥ  ８０２、３ＧＰＰ及び３ＧＰＰ２の少なくとも１つに開示された標準文書によって裏付けられることができる。即ち、本発明の実施形態のうち、本発明の技術的思想を明確に示すために、説明しない段階又は部分は、前記文書によって裏付けられることができる。また、本文書で開示している全ての用語は、前記標準文書によって説明されることができる。
【００８３】
スマートフォン（ｓｍａｒｔｐｈｏｎｅ）及びＩｏＴ（Ｉｎｔｅｒｎｅｔ  Ｏｆ  Ｔｈｉｎｇｓ）端末の普及が速く拡散されるにしたがって、通信網を介してやり取りする情報の量が増加している。これによって、次世代無線アクセス技術では、既存の通信システム（又は既存の無線アクセス技術（ｒａｄｉｏ  ａｃｃｅｓｓ  ｔｅｃｈｎｏｌｏｇｙ））より、さらに多くのユーザにさらに早いサービスを提供する環境（例：向上した移動広帯域通信（ｅｎｈａｎｃｅｄ  ｍｏｂｉｌｅ  ｂｒｏａｄｂａｎｄ  ｃｏｍｍｕｎｉｃａｔｉｏｎ））が考慮される必要がある。
【００８４】
このため、複数の機器及び物（ｏｂｊｅｃｔ）を接続してサービスを提供するＭＴＣ（Ｍａｃｈｉｎｅ  Ｔｙｐｅ  Ｃｏｍｍｕｎｉｃａｔｉｏｎ）を考慮する通信システムのデザインが議論されている。また、通信の信頼性（ｒｅｌｉａｂｉｌｉｔｙ）及び／又は遅延（ｌａｔｅｎｃｙ）に敏感なサービス（ｓｅｒｖｉｃｅ）及び／又は端末（ｔｅｒｍｉｎａｌ）等を考慮する通信システム（例：ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）のデザインも議論されている。
【００８５】
以下、本明細書において、説明の都合のために、前記次世代無線アクセス技術は、ＮＲ（Ｎｅｗ  ＲＡＴ、Ｒａｄｉｏ  Ａｃｃｅｓｓ  Ｔｅｃｈｎｏｌｏｇｙ）と称され、前記ＮＲが適用される無線通信システムはＮＲシステムと称される。
【００８６】
ＮＲシステムに関する用語の定義
【００８７】
ｅＬＴＥ  ｅＮＢ：ｅＬＴＥ  ｅＮＢは、ＥＰＣ及びＮＧＣに対する接続を支援するｅＮＢの進化（ｅｖｏｌｕｔｉｏｎ）である。
【００８８】
ｇＮＢ：ＮＧＣとの接続だけでなく、ＮＲを支援するノード。
【００８９】
新しいＲＡＮ：ＮＲ又はＥ−ＵＴＲＡを支援するか、ＮＧＣと相互作用する無線アクセスネットワーク。
【００９０】
ネットワークスライス（ｎｅｔｗｏｒｋ  ｓｌｉｃｅ）：ネットワークスライスは、終端間の範囲と共に特定の要求事項を要求する特定の市場シナリオに対して最適化されたソリューションを提供するようにオペレータによって定義されたネットワーク。
【００９１】
ネットワーク機能（ｎｅｔｗｏｒｋ  ｆｕｎｃｔｉｏｎ）：ネットワーク機能は、よく定義された外部のインターフェースと、よく定義された機能的動作を有するネットワークインフラ内での論理的ノード。
【００９２】
ＮＧ−Ｃ：新しいＲＡＮとＮＧＣ間のＮＧ２リファレンスポイント（ｒｅｆｅｒｅｎｃｅ  ｐｏｉｎｔ）に使用されるコントロールプレーンインターフェース。
【００９３】
ＮＧ−Ｕ：新しいＲＡＮとＮＧＣ間のＮＧ３リファレンスポイント（ｒｅｆｅｒｅｎｃｅ  ｐｏｉｎｔ）に使用されるユーザプレーンインターフェース。
【００９４】
ノンスタンドアローン（Ｎｏｎ−ｓｔａｎｄａｌｏｎｅ）ＮＲ：ｇＮＢがＬＴＥ  ｅＮＢをＥＰＣにコントロールプレーンの接続のためのアンカーとして要求するか、又はｅＬＴＥ  ｅＮＢをＮＧＣにコントロールプレーンの接続のためのアンカーとして要求する配置構成。
【００９５】
ノンスタンドアローンＥ−ＵＴＲＡ：ｅＬＴＥ  ｅＮＢがＮＧＣにコントロールプレーンの接続のためのアンカーとしてｇＮＢを要求する配置構成。
【００９６】
ユーザプレーンゲートウェイ：ＮＧ−Ｕインターフェースの終端点。
【００９７】
図５は、本明細書において提案する方法が適用できるＮＲの全体的なシステム構造の一例を示す。
【００９８】
図５を参照すると、ＮＧ-ＲＡＮはＮＧ-ＲＡユーザプレーン（新しいＡＳ  ｓｕｂｌａｙｅｒ／ＰＤＣＰ／ＲＬＣ／ＭＡＣ／ＰＨＹ）及びＵＥ（Ｕｓｅｒ  Ｅｑｕｉｐｍｅｎｔ）に対するコントロールプレーン（ＲＲＣ）プロトコル終端を提供するｇＮＢで構成される。
【００９９】
前記ｇＮＢは、Ｘｎインターフェースを介して相互接続される。
【０１００】
前記ｇＮＢは、また、ＮＧインターフェースを介してＮＧＣに接続される。
【０１０１】
より具体的には、前記ｇＮＢはＮ２インターフェースを介してＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に、Ｎ３インターフェースを介してＵＰＦ（Ｕｓｅｒ  Ｐｌａｎｅ  Ｆｕｎｃｔｉｏｎ）に接続される。
【０１０２】
ＮＲ（Ｎｅｗ  Ｒａｔ）ヌメロロジー（Ｎｕｍｅｒｏｌｏｇｙ）及びフレーム（ｆｒａｍｅ）構造
【０１０３】
ＮＲシステムでは、複数のヌメロロジー（ｎｕｍｅｒｏｌｏｇｙ）が支援できる。ここで、ヌメロロジーはサブキャリア間隔（ｓｕｂｃａｒｒｉｅｒ  ｓｐａｃｉｎｇ）とＣＰ（Ｃｙｃｌｉｃ  Ｐｒｅｆｉｘ）のオーバーヘッドにより定義されることができる。このとき、複数のサブキャリア間隔は基本サブキャリア間隔を整数Ｎ（または、μ）にスケーリング（ｓｃａｌｉｎｇ）することにより誘導できる。また、非常に高い搬送波周波数で非常に低いサブキャリア間隔を用いないと仮定されても、用いられるヌメロロジーは周波数帯域と独立に選択されることができる。
【０１０４】
また、ＮＲシステムでは複数のヌメロロジーに従う様々なフレーム構造が支援できる。
【０１０５】
以下、ＮＲシステムで考慮されることができるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）ヌメロロジー及びフレーム構造を見る。
【０１０６】
ＮＲシステムで支援される複数のＯＦＤＭヌメロロジーは、表３のように定義されることができる。
【０１０７】
【表３】
2020537420.tif 000005
【０１０８】
ＮＲシステムにおけるフレーム構造（ｆｒａｍｅ  ｓｔｒｕｃｔｕｒｅ）と関連して、時間領域の様々なフィールドのサイズは
2020537420.tif 000006
の時間単位の倍数で表現される。ここで、
2020537420.tif 000007
であり、
2020537420.tif 000008
である。下りリンク（ｄｏｗｎｌｉｎｋ）及び上りリンク（ｕｐｌｉｎｋ）送信は
2020537420.tif 000009
の区間を有する無線フレーム（ｒａｄｉｏ  ｆｒａｍｅ）で構成される。ここで、無線フレームは各々
2020537420.tif 000010
の区間を有する１０個のサブフレーム（ｓｕｂｆｒａｍｅ）で構成される。この場合、上りリンクに対する１セットのフレーム及び下りリンクに対する１セットのフレームが存在することができる。図６は、本明細書において提案する方法が適用できる無線通信システムにおける上りリンクフレームと下りリンクフレームとの間の関係を示す。
【０１０９】
図６に示すように、端末（Ｕｓｅｒ  Ｅｑｕｉｐｍｅｎｔ、ＵＥ）からの上りリンクフレーム番号ｉの送信は、当該端末における該当下りリンクフレームの開始より
2020537420.tif 000011
以前に開始しなければならない。
【０１１０】
ヌメロロジーμに対して、スロット（ｓｌｏｔ）はサブフレーム内で
2020537420.tif 000012
の増加する順に番号が付けられて、無線フレーム内で
2020537420.tif 000013
の増加する順に番号が付けられる。１つのスロットは
2020537420.tif 000014
の連続するＯＦＤＭシンボルで構成され、
2020537420.tif 000015
は用いられるヌメロロジー及びスロットの設定（ｓｌｏｔ  ｃｏｎｆｉｇｕｒａｔｉｏｎ）によって決定される。サブフレームでスロット
2020537420.tif 000016
の開始は同じサブフレームでＯＦＤＭシンボル
2020537420.tif 000017
の開始と時間的に整列される。
【０１１１】
全ての端末が同時に送信及び受信できるものではなく、これは下りリンクスロット（ｄｏｗｎｌｉｎｋ  ｓｌｏｔ）又は上りリンクスロット（ｕｐｌｉｎｋ  ｓｌｏｔ）の全てのＯＦＤＭシンボルが用いられることはできないということを意味する。
【０１１２】
表４は一般（ｎｏｒｍａｌ）ＣＰにおけるスロット別ＯＦＤＭシンボルの個数
2020537420.tif 000018
無線フレーム別スロットの個数
2020537420.tif 000019
サブフレーム別スロットの個数
2020537420.tif 000020
を表し、表５は、拡張（ｅｘｔｅｎｄｅｄ）ＣＰにおけるスロット別ＯＦＤＭシンボルの個数、無線フレーム別スロットの個数、サブフレーム別スロットの個数を表す。
【０１１３】
【表４】
2020537420.tif 000021
【０１１４】
【表５】
2020537420.tif 000022
【０１１５】
図７は、ＮＲシステムにおけるフレーム構造の一例を示す。図７は、単に説明の都合のためのものであるだけで、本発明の範囲を制限するものではない。表５の場合、μ＝２である場合、即ち、サブキャリア間隔（ｓｕｂｃａｒｒｉｅｒ  ｓｐａｃｉｎｇ、ＳＣＳ）が６０ｋＨｚである場合の一例であって、表４を参考すると、１サブフレーム（又はフレーム）は４個のスロットを含むことができ、図３に示されている１サブフレーム＝｛１、２、４｝のスロットは一例であって、１サブフレームに含まれることができるスロットの個数は表２のように定義され得る。
【０１１６】
また、ミニスロット（ｍｉｎｉ−ｓｌｏｔ）は２、４又は７シンボル（ｓｙｍｂｏｌ）で構成されてもよく、より多いか又はより少ないシンボルで構成されてもよい。
【０１１７】
ＮＲシステムにおける物理リソース（ｐｈｙｓｉｃａｌ  ｒｅｓｏｕｒｃｅ）と関連して、アンテナポート（ａｎｔｅｎｎａ  ｐｏｒｔ）、リソースグリッド（ｒｅｓｏｕｒｃｅ  ｇｒｉｄ）、リソースエレメント（ｒｅｓｏｕｒｃｅ  ｅｌｅｍｅｎｔ）、リソースブロック（ｒｅｓｏｕｒｃｅ  ｂｌｏｃｋ）、キャリアパート（ｃａｒｒｉｅｒ  ｐａｒｔ）などが考慮され得る。
【０１１８】
以下、ＮＲシステムで考慮できる前記物理リソースについて具体的に見てみる。
【０１１９】
まず、アンテナポートと関連して、アンテナポートはアンテナポート上のシンボルが運搬されるチャネルが同一なアンテナポート上の他のシンボルが運搬されるチャネルから推論できるように定義される。１本のアンテナポート上のシンボルが運搬されるチャネルの広範囲特性（ｌａｒｇｅ−ｓｃａｌｅ  ｐｒｏｐｅｒｔｙ）が他のアンテナポート上のシンボルが運搬されるチャネルから類推できる場合、２本のアンテナポートはＱＣ／ＱＣＬ（ｑｕａｓｉｃｏ−ｌｏｃａｔｅｄまたはｑｕａｓｉ  ｃｏ−ｌｏｃａｔｉｏｎ）関係にあるといえる。ここで、前記広範囲特性は遅延スプレッド（Ｄｅｌａｙ  ｓｐｒｅａｄ）、ドップラースプレッド（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）のうち、１つ以上を含む。
【０１２０】
図８は、本明細書において提案する方法が適用できる無線通信システムで支援するリソースグリッド（ｒｅｓｏｕｒｃｅ  ｇｒｉｄ）の一例を示す。
【０１２１】
図８を参考すると、リソースグリッドが周波数領域上に
2020537420.tif 000023
サブキャリアで構成され、１つのサブフレームが１４・２μＯＦＤＭシンボルで構成されることを例示的に記述するが、これに限定されるものではない。
【０１２２】
ＮＲシステムにおいて、伝送される信号（ｔｒａｎｓｍｉｔｔｅｄ  ｓｉｇｎａｌ）は、
2020537420.tif 000024
サブキャリアで構成される１つまたはそれ以上のリソースグリッド及び
2020537420.tif 000025
のＯＦＤＭシンボルによって説明される。ここで、
2020537420.tif 000026
である。前記
2020537420.tif 000027
は、最大伝送帯域幅を示し、これは、ヌメロロジーだけでなく、上りリンクと下りリンクの間でも変わり得る。
【０１２３】
この場合、図９のように、ヌメロロジーμ及びアンテナポートｐ別に１つのリソースグリッドが設定されることができる。
【０１２４】
図９は、本明細書において提案する方法が適用できるアンテナポート及びヌメロロジー別のリソースグリッドの例を示す。
【０１２５】
ヌメロロジーμ及びアンテナポートｐに対するリソースグリッドの各要素は、リソースエレメント（ｒｅｓｏｕｒｃｅ  ｅｌｅｍｅｎｔ）と称され、インデックス対
2020537420.tif 000028
によってユニークに識別される。ここで、
2020537420.tif 000029
は、周波数領域上のインデックスであり、
2020537420.tif 000030
は、サブフレーム内でシンボルの位置を称する。スロットでリソースエレメントを称するときは、インデックス対
2020537420.tif 000031
が用いられる。ここで、
2020537420.tif 000032
である。
【０１２６】
ヌメロロジーμ及びアンテナポートｐに対するリソースエレメント
2020537420.tif 000033
は、複素値（ｃｏｍｐｌｅｘ  ｖａｌｕｅ）
2020537420.tif 000034
に該当する。混同（ｃｏｎｆｕｓｉｏｎ）になる危険性がない場合、あるいは、特定のアンテナポートまたはヌメロロジーが特定されない場合には、インデックスｐ及びμはドロップ（ｄｒｏｐ）されることがあり、その結果、複素値は
2020537420.tif 000035
または
2020537420.tif 000036
になり得る。
【０１２７】
また、物理リソースブロック（ｐｈｙｓｉｃａｌ  ｒｅｓｏｕｒｃｅ  ｂｌｏｃｋ）は周波数領域上の
2020537420.tif 000037
の連続的なサブキャリアで定義される。
【０１２８】
Ｐｏｉｎｔ  Ａはリソースブロックグリッドの共通参照点（ｃｏｍｍｏｎ  ｒｅｆｅｒｅｎｃｅ  ｐｏｉｎｔ）としての役割をし、次のように取得されることができる。
【０１２９】
−  ＰＣｅｌｌ下りリンクに対するｏｆｆｓｅｔＴｏＰｏｉｎｔＡは、初期セルの選択のためにＵＥによって使用されたＳＳ／ＰＢＣＨブロックと重なる最も低いリソースブロックの最も低いサブキャリアとｐｏｉｎｔ  Ａ間の周波数オフセットを示し、ＦＲ１に対して１５ｋＨｚのサブキャリア間隔及びＦＲ２に対して６０ｋＨｚのサブキャリア間隔を仮定したリソースブロック単位（ｕｎｉｔ）で表現され；
【０１３０】
−  ａｂｓｏｌｕｔｅＦｒｅｑｕｅｎｃｙＰｏｉｎｔＡはＡＲＦＣＮ（ａｂｓｏｌｕｔｅ  ｒａｄｉｏ−ｆｒｅｑｕｅｎｃｙ  ｃｈａｎｎｅｌ  ｎｕｍｂｅｒ）でのように表現されたｐｏｉｎｔ  Ａの周波数位置を示す。
【０１３１】
共通リソースブロック（ｃｏｍｍｏｎ  ｒｅｓｏｕｒｃｅ  ｂｌｏｃｋ）はサブキャリア間隔の設定μに対する周波数領域で０から昇順にナンバリング（ｎｕｍｂｅｒｉｎｇ）される。
【０１３２】
サブキャリア間隔の設定μに対する共通リソースブロック０のサブキャリア０の中心は「ｐｏｉｎｔ  Ａ」と一致する。周波数領域で共通リソースブロックの番号（ｎｕｍｂｅｒ）
2020537420.tif 000038
とサブキャリア間隔の設定μに対するリソースエレメント（ｋ、ｌ）は下記数式１のように与えられ得る。
【０１３３】
【数１】
2020537420.tif 000039
【０１３４】
ここで、
2020537420.tif 000040
は
2020537420.tif 000041
がｐｏｉｎｔ  Ａを中心とするサブキャリアに該当するようにｐｏｉｎｔ  Ａに相対的に定義されることができる。物理リソースブロックは帯域幅部分（ｂａｎｄｗｉｄｔｈ  ｐａｒｔ、ＢＷＰ）内で０から
2020537420.tif 000042
まで番号がづけられ、
2020537420.tif 000043
はＢＷＰの番号である。ＢＷＰ  ｉで物理リソースブロック
2020537420.tif 000044
と共通リソースブロック
2020537420.tif 000045
間の関係は、下記数式２によって与えられ得る。
【０１３５】
【数２】
2020537420.tif 000046
【０１３６】
ここで、
2020537420.tif 000047
はＢＷＰが共通リソースブロック０に相対的に開始する共通リソースブロックであり得る。
【０１３７】
自己完結型（Ｓｅｌｆ−ｃｏｎｔａｉｎｅｄ）構造
【０１３８】
ＮＲシステムで考慮されるＴＤＤ（Ｔｉｍｅ  Ｄｉｖｉｓｉｏｎ  Ｄｕｐｌｅｘｉｎｇ）構造は、上りリンク（Ｕｐｌｉｎｋ、ＵＬ）と下りリンク（Ｄｏｗｎｌｉｎｋ、ＤＬ）を１つのスロット（ｓｌｏｔ）（又はサブフレーム（ｓｕｂｆｒａｍｅ））で全て処理する構造である。これは、ＴＤＤシステムでデータ伝送の遅延（ｌａｔｅｎｃｙ）を最小化するためのものであり、前記構造は自己完結型（ｓｅｌｆ−ｃｏｎｔａｉｎｅｄ）構造又は自己完結型（ｓｅｌｆ−ｃｏｎｔａｉｎｅｄ）スロットと称され得る。
【０１３９】
図１０は、本明細書において提案する方法が適用できる自己完結型（ｓｅｌｆ−ｃｏｎｔａｉｎｅｄ）構造の一例を示す。図１０は単に説明の都合のためのものであるだけで、本発明の範囲を制限するものではない。
【０１４０】
図１０を参考すると、ｌｅｇａｃｙ  ＬＴＥの場合のように、１つの送信単位（例：スロット、サブフレーム）が１４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（ｓｙｍｂｏｌ）で構成される場合が仮定される。
【０１４１】
図１０において、領域１００２は下りリンク制御領域（ｄｏｗｎｌｉｎｋ  ｃｏｎｔｒｏｌ  ｒｅｇｉｏｎ）を意味し、領域１００４は上りリンク制御領域（ｕｐｌｉｎｋ  ｃｏｎｔｒｏｌ  ｒｅｇｉｏｎ）を意味する。また、領域１００２及び領域１００４以外の領域（即ち、別途の表示がない領域）は、下りリンクデータ（ｄｏｗｎｌｉｎｋ  ｄａｔａ）又は上りリンクデータ（ｕｐｌｉｎｋ  ｄａｔａ）の送信のために用いられることができる。
【０１４２】
即ち、上りリンク制御情報（ｕｐｌｉｎｋ  ｃｏｎｔｒｏｌ  ｉｎｆｏｒｍａｔｉｏｎ）及び下りリンク制御情報（ｄｏｗｎｌｉｎｋ  ｃｏｎｔｒｏｌ  ｉｎｆｏｒｍａｔｉｏｎ）は１つの自己完結型（ｓｅｌｆ−ｃｏｎｔａｉｎｅｄ）スロットで送信されることができる。これに対し、データ（ｄａｔａ）の場合、上りリンクデータ又は下りリンクデータが１つの自己完結型（ｓｅｌｆ−ｃｏｎｔａｉｎｅｄ）スロットで送信されることができる。
【０１４３】
図１０に示されている構造を用いる場合、１つの自己完結型（ｓｅｌｆ−ｃｏｎｔａｉｎｅｄ）スロット内で、下りリンク送信と上りリンク送信が順次進められ、下りリンクデータの送信及び上りリンクのＡＣＫ／ＮＡＣＫの受信が行われることができる。
【０１４４】
結果、データ伝送のエラーが発生する場合、データの再送までにかかる時間が減少し得る。これを通じて、データ伝達に関する遅延が最小化し得る。
【０１４５】
図１０のような自己完結型（ｓｅｌｆ−ｃｏｎｔａｉｎｅｄ）スロット構造で、基地局（ｅＮｏｄｅＢ、ｅＮＢ、ｇＮＢ）及び／又は端末（ｔｅｒｍｉｎａｌ、ＵＥ（Ｕｓｅｒ  Ｅｑｕｉｐｍｅｎｔ））が送信モード（ｔｒａｎｓｍｉｓｓｉｏｎ  ｍｏｄｅ）から受信モード（ｒｅｃｅｐｔｉｏｎ  ｍｏｄｅ）へ切り換える過程又は受信モードから送信モードへ切り換える過程のための時間ギャップ（ｔｉｍｅ  ｇａｐ）が要求される。前記時間ギャップに関して、前記自己完結型（ｓｅｌｆ−ｃｏｎｔａｉｎｅｄ）スロットで下りリンク送信以降に上りリンク送信が行われる場合、一部ＯＦＤＭシンボルがガード区間（Ｇｕａｒｄ  Ｐｅｒｉｏｄ、ＧＰ）に設定されることができる。
【０１４６】
物理上りリンク制御チャネル（ＰＵＣＣＨ）
【０１４７】
ＰＵＣＣＨを介して送信される上りリンク制御情報（ＵＣＩ）は、スケジューリング要求（ＳＲ：Ｓｃｈｅｄｕｌｉｎｇ  Ｒｅｑｕｅｓｔ）、ＨＡＲＱ  ＡＣＫ／ＮＡＣＫ情報及び下りリンクチャネル測定情報を含むことができる。
【０１４８】
ＨＡＲＱ  ＡＣＫ／ＮＡＣＫ情報は、ＰＤＳＣＨ上の下りリンクデータパケットのデコーディングが成功したか否かに応じて生成されることができる。既存の無線通信システムで、下りリンクの単一コードワード（ｃｏｄｅｗｏｒｄ）の送信に対しては、ＡＣＫ／ＮＡＣＫ情報として１ビットが送信され、下りリンクの２コードワードの送信に対しては、ＡＣＫ／ＮＡＣＫ情報として２ビットが送信される。
【０１４９】
チャネル測定情報は、複数入出力（ＭＩＭＯ：Ｍｕｌｔｉｐｌｅ  Ｉｎｐｕｔ  Ｍｕｌｔｉｐｌｅ  Ｏｕｔｐｕｔ）技法と関連したフィードバック情報を称し、チャネル品質指示子（ＣＱＩ：Ｃｈａｎｎｅｌ  Ｑｕａｌｉｔｙ  Ｉｎｄｉｃａｔｏｒ）、プリコーディングマトリックスインデックス（ＰＭＩ：Ｐｒｅｃｏｄｉｎｇ  Ｍａｔｒｉｘ  Ｉｎｄｅｘ）及びランク指示子（ＲＩ：Ｒａｎｋ  Ｉｎｄｉｃａｔｏｒ）を含むことができる。これらのチャネル測定情報を総称しＣＱＩと表現してもよい。
【０１５０】
ＣＱＩの送信のために、サブフレーム当たり２０ビットが使用されることができる。
【０１５１】
ＰＵＣＣＨは、ＢＰＳＫ（Ｂｉｎａｒｙ  Ｐｈａｓｅ  Ｓｈｉｆｔ  Ｋｅｙｉｎｇ）とＱＰＳＫ（Ｑｕａｄｒａｔｕｒｅ  Ｐｈａｓｅ  Ｓｈｉｆｔ  Ｋｅｙｉｎｇ）技法を使用して変調されることができる。ＰＵＣＣＨを介して複数の端末の制御情報が送信されることができ、各端末の信号を区別するために符号分割多重（ＣＤＭ：Ｃｏｄｅ  Ｄｉｖｉｓｉｏｎ  Ｍｕｌｔｉｐｌｅｘｉｎｇ）を行う場合に長さ１２のＣＡＺＡＣ（Ｃｏｎｓｔａｎｔ  Ａｍｐｌｉｔｕｄｅ  Ｚｅｒｏ  Ａｕｔｏｃｏｒｒｅｌａｔｉｏｎ）シーケンスを主に使用する。ＣＡＺＡＣシーケンスは、時間領域（ｔｉｍｅ  ｄｏｍａｉｎ）及び周波数領域（ｆｒｅｑｕｅｎｃｙ  ｄｏｍａｉｎ）において一定のサイズ（ａｍｐｌｉｔｕｄｅ）を維持する特性を有するので、端末のＰＡＰＲ（Ｐｅａｋ-ｔｏ-Ａｖｅｒａｇｅ  Ｐｏｗｅｒ  Ｒａｔｉｏ）またはＣＭ（Ｃｕｂｉｃ  Ｍｅｔｒｉｃ）を低くしてカバレッジを増加させるのに適した性質を有する。また、ＰＵＣＣＨを介して送信される下りリンクデータ送信に対するＡＣＫ／ＮＡＣＫ情報は、直交シーケンス（ｏｒｔｈｇｏｎａｌ  ｓｅｑｕｅｎｃｅ）または直交カバー（ＯＣ：ｏｒｔｈｏｇｏｎａｌ  ｃｏｖｅｒ）を利用してカバーリングされる。
【０１５２】
また、ＰＵＣＣＨ上に送信される制御情報は、互いに異なる循環シフト（ＣＳ：ｃｙｃｌｉｃ  ｓｈｉｆｔ）値を有する循環シフトされたシーケンス（ｃｙｃｌｉｃａｌｌｙ  ｓｈｉｆｔｅｄ  ｓｅｑｕｅｎｃｅ）を利用して区別されることができる。循環シフトされたシーケンスは、基本シーケンス（ｂａｓｅ  ｓｅｑｕｅｎｃｅ）を特定のＣＳ量（ｃｙｃｌｉｃ  ｓｈｉｆｔ  ａｍｏｕｎｔ）だけ循環シフトさせて生成できる。特定のＣＳ量は、循環シフトインデックス（ＣＳ  ｉｎｄｅｘ）により指示される。チャネルの遅延スプレッド（ｄｅｌａｙ  ｓｐｒｅａｄ）によって使用可能な循環シフトの数は変わり得る。様々な種類のシーケンスが基本シーケンスとして使用されることができ、前述のＣＡＺＡＣシーケンスは、その一例である。
【０１５３】
また、端末が１つのサブフレームにおいて送信できる制御情報の量は、制御情報の送信に利用可能なＳＣ−ＦＤＭＡシンボルの数（すなわち、ＰＵＣＣＨのコヒーレント（ｃｏｈｅｒｅｎｔ）検出のための参照信号（ＲＳ）の送信に用いられるＳＣ−ＦＤＭＡシンボルを除いたＳＣ−ＦＤＭＡシンボル）に応じて決定されることができる。
【０１５４】
３ＧＰＰ  ＬＴＥシステムにおけるＰＵＣＣＨは、送信される制御情報、変調技法、制御情報の量などによって計７種の異なるフォーマットで定義され、それぞれのＰＵＣＣＨフォーマットに従って送信される上りリンク制御情報（ＵＣＩ：ｕｐｌｉｎｋ  ｃｏｎｔｒｏｌ  ｉｎｆｏｒｍａｔｉｏｎ）の属性は、以下の表６のように要約できる。
【０１５５】
【表６】
2020537420.tif 000048
【０１５６】
ＰＵＣＣＨフォーマット１は、ＳＲの単独送信に使用される。ＳＲ単独送信の場合には、変調されない波形が適用され、これについては詳細に後述する。ＰＵＣＣＨフォーマット１ａまたは１ｂは、ＨＡＲＱ  ＡＣＫ／ＮＡＣＫの送信に使用される。任意のサブフレームにおいてＨＡＲＱ  ＡＣＫ／ＮＡＣＫが単独で送信される場合には、ＰＵＣＣＨフォーマット１ａまたは１ｂを使用することができる。または、ＰＵＣＣＨフォーマット１ａまたは１ｂを使用してＨＡＲＱ  ＡＣＫ／ＮＡＣＫ及びＳＲが同一サブフレームにおいて送信されることもできる。
【０１５７】
ＰＵＣＣＨフォーマット２は、ＣＱＩの送信に使用され、ＰＵＣＣＨフォーマット２ａまたは２ｂは、ＣＱＩ及びＨＡＲＱ  ＡＣＫ／ＮＡＣＫの送信に使用される。
【０１５８】
拡張されたＣＰの場合には、ＰＵＣＣＨフォーマット２がＣＱＩ及びＨＡＲＱ  ＡＣＫ／ＮＡＣＫの送信に使用されることもできる。
【０１５９】
図１１は、本発明が適用できる無線通信システムにおけるＰＵＣＣＨフォーマットが上りリンク物理リソースブロックのＰＵＣＣＨ領域にマッピングされる形態の一例を示す。
【０１６０】
図１１において、
2020537420.tif 000049
は、上りリンクでのリソースブロックの個数を示し、０、１、．．．、
2020537420.tif 000050
は、物理リソースブロックの番号を意味する。基本的に、ＰＵＣＣＨは、上りリンク周波数ブロックの両端（ｅｄｇｅ）にマッピングされる。図１１に示すように、ｍ＝０、１で表されるＰＵＣＣＨ領域にＰＵＣＣＨフォーマット２／２ａ／２ｂがマッピングされ、これは、ＰＵＣＣＨフォーマット２／２ａ／２ｂが帯域端（ｂａｎｄｅｄｇｅ）に位置したリソースブロックにマッピングされると表現できる。また、ｍ＝２で表されるＰＵＣＣＨ領域にＰＵＣＣＨフォーマット２／２ａ／２ｂ及びＰＵＣＣＨフォーマット１／１ａ／１ｂが共に（ｍｉｘｅｄ）マッピングされることができる。次に、ｍ＝３、４、５で表されるＰＵＣＣＨ領域にＰＵＣＣＨフォーマット１／１ａ／１ｂがマッピングされることができる。ＰＵＣＣＨフォーマット２／２ａ／２ｂにより使用可能なＰＵＣＣＨ  ＲＢの数
2020537420.tif 000051
は、ブロードキャスティングのシグナリングによってセル内の端末に指示されることができる。
【０１６１】
ＰＵＣＣＨフォーマット２／２ａ／２ｂについて説明する。ＰＵＣＣＨフォーマット２／２ａ／２ｂは、チャネル測定フィードバック（ＣＱＩ、ＰＭＩ、ＲＩ）を送信するための制御チャネルである。
【０１６２】
チャネル測定フィードバック（以下、総称してＣＱＩ情報と表現）の報告周期及び測定の対象になる周波数単位（または周波数分解能（ｒｅｓｏｌｕｔｉｏｎ））は、基地局によって制御されることができる。時間領域において周期的及び非周期的ＣＱＩ報告が支援できる。ＰＵＣＣＨフォーマット２は、周期的報告のみに使用され、非周期的報告のためには、ＰＵＳＣＨが使用できる。非周期的報告の場合に、基地局は、端末に上りリンクデータ送信のためにスケジューリングされたリソースに個別ＣＱＩ報告をピギーバックして送信するようと称されることができる。
【０１６３】
図１２は、本発明が適用できる無線通信システムにおける一般ＣＰの場合のＣＱＩチャネルの構造を示す。
【０１６４】
１つのスロットのＳＣ−ＦＤＭＡシンボル０〜６のうち、ＳＣ−ＦＤＭＡシンボル１及び５（２番目及び６番目のシンボル）は、復調参照信号（ＤＭＲＳ：Ｄｅｍｏｄｕｌａｔｉｏｎ  Ｒｅｆｅｒｅｎｃｅ  Ｓｉｇｎａｌ）の送信に使用され、残りのＳＣ−ＦＤＭＡシンボルでＣＱＩ情報が送信されることができる。一方、拡張されたＣＰの場合には、１つのＳＣ−ＦＤＭＡシンボル（ＳＣ−ＦＤＭＡシンボル３）がＤＭＲＳの送信に使用される。
【０１６５】
ＰＵＣＣＨフォーマット２／２ａ／２ｂでは、ＣＡＺＡＣシーケンスによる変調を支援し、ＱＰＳＫ変調されたシンボルが長さ１２のＣＡＺＡＣシーケンスで乗算される。シーケンスの循環シフト（ＣＳ）は、シンボル及びスロットの間で変更される。ＤＭＲＳに対して直交カバーリングが使用される。
【０１６６】
１つのスロットに含まれる７個のＳＣ−ＦＤＭＡシンボルのうち、３個のＳＣ−ＦＤＭＡシンボル間隔だけ離れた２個のＳＣ−ＦＤＭＡシンボルには、参照信号（ＤＭＲＳ）がピギーバックされ、残りの５個のＳＣ−ＦＤＭＡシンボルには、ＣＱＩ情報がピギーバックされる。１つのスロット内に２個のＲＳが使用されたことは、高速端末を支援するためである。また、各端末は、循環シフト（ＣＳ）シーケンスを使用して区分される。ＣＱＩ情報のシンボルは、ＳＣ−ＦＤＭＡシンボル全体に変調されて伝達され、ＳＣ−ＦＤＭＡシンボルは、１つのシーケンスから構成されている。すなわち、端末は、各シーケンスにＣＱＩを変調して送信する。
【０１６７】
１つのＴＴＩに送信できるシンボル数は１０個であり、ＣＱＩ情報の変調は、ＱＰＳＫまで決まっている。ＳＣ−ＦＤＭＡシンボルに対してＱＰＳＫマッピングを使用する場合、２ビットのＣＱＩ値がピギーバックできるので、１つのスロットに１０ビットのＣＱＩ値をピギーバックすることができる。したがって、１つのサブフレームに最大２０ビットのＣＱＩ値をピギーバックすることができる。ＣＱＩ情報を周波数領域で拡散させるために周波数領域拡散符号を使用する。
【０１６８】
周波数領域拡散符号としては、長さ１２のＣＡＺＡＣシーケンス（例えば、ＺＣシーケンス）を使用することができる。各制御チャネルは、互いに異なる循環シフト（ｃｙｃｌｉｃ  ｓｈｉｆｔ）値を有するＣＡＺＡＣシーケンスを適用して区分できる。周波数領域拡散されたＣＱＩ情報にＩＦＦＴが行われる。
【０１６９】
１２個の同等な間隔を有する循環シフトによって１２個の異なる端末が同じＰＵＣＣＨ  ＲＢ上において直交多重化されることができる。一般ＣＰの場合に、ＳＣ−ＦＤＭＡシンボル１及び５上の（拡張されたＣＰの場合にＳＣ−ＦＤＭＡシンボル３上の）ＤＭＲＳシーケンスは、周波数領域上のＣＱＩ信号シーケンスと似ているが、ＣＱＩ情報のような変調は適用されない。
【０１７０】
端末は、ＰＵＣＣＨリソースインデックス
2020537420.tif 000052
に指示されるＰＵＣＣＨリソース上で周期的に異なるＣＱＩ、ＰＭＩ及びＲＩタイプを報告するように上位層のシグナリングによって半静的に（ｓｅｍｉ−ｓｔａｔｉｃａｌｌｙ）設定されることができる。ここで、ＰＵＣＣＨリソースインデックス
2020537420.tif 000053
は、ＰＵＣＣＨフォーマット２／２ａ／２ｂの送信に使用されるＰＵＣＣＨ領域、及び使用されるべき循環シフト（ＣＳ）値を指示する情報である。
【０１７１】
ＰＵＣＣＨチャネル構造
【０１７２】
ＰＵＣＣＨフォーマット１ａ及び１ｂについて説明する。
【０１７３】
ＰＵＣＣＨフォーマット１ａ／１ｂにおいてＢＰＳＫまたはＱＰＳＫ変調方式を利用して変調されたシンボルは、長さ１２のＣＡＺＡＣシーケンスで乗算（ｍｕｌｔｉｐｌｙ）される。例えば、変調シンボルｄ（０）に長さＮのＣＡＺＡＣシーケンスｒ（ｎ）（ｎ＝０、１、２、．．．、Ｎ−１）が乗算された結果は、ｙ（０）、ｙ（１）、ｙ（２）、．．．、ｙ（Ｎ-１）になる。ｙ（０）、．．．、ｙ（Ｎ-１）のシンボルをシンボルブロック（ｂｌｏｃｋ  ｏｆ  ｓｙｍｂｏｌ）と称することができる。変調シンボルにＣＡＺＡＣシーケンスを掛け算した後に、直交シーケンスを利用したブロック単位（ｂｌｏｃｋ−ｗｉｓｅ）拡散が適用される。
【０１７４】
一般ＡＣＫ／ＮＡＣＫ情報に対しては、長さ４のアダマール（Ｈａｄａｍａｒｄ）シーケンスが使用され、短い（ｓｈｏｒｔｅｎｅｄ）ＡＣＫ／ＮＡＣＫ情報及び参照信号（Ｒｅｆｅｒｅｎｃｅ  ｓｉｇｎａｌ）に対しては、長さ３のＤＦＴ（Ｄｉｓｃｒｅｔｅ  Ｆｏｕｒｉｅｒ  Ｔｒａｎｓｆｏｒｍ）シーケンスが使用される。
【０１７５】
拡張されたＣＰの場合の参照信号に対しては、長さ２のアダマールシーケンスが使用される。
【０１７６】
図１３は、本発明が適用できる無線通信システムにおける一般ＣＰの場合にＡＣＫ／ＮＡＣＫチャネルの構造を示す。
【０１７７】
図１３では、ＣＱＩなしでＨＡＲＱ  ＡＣＫ／ＮＡＣＫ送信のためのＰＵＣＣＨチャネルの構造を例示的に示す。
【０１７８】
１つのスロットに含まれる７個のＳＣ−ＦＤＭＡシンボルのうち、中間部分の３個の連続するＳＣ−ＦＤＭＡシンボルには参照信号（ＲＳ）がピギーバックされ、残りの４個のＳＣ−ＦＤＭＡシンボルにはＡＣＫ／ＮＡＣＫ信号がピギーバックされる。
【０１７９】
一方、拡張されたＣＰの場合には、中間の２個の連続するシンボルにＲＳがピギーバックされることができる。ＲＳに使用されるシンボルの個数及び位置は、制御チャネルに応じて変わり得るものであり、これと関連したＡＣＫ／ＮＡＣＫ信号に使用されるシンボルの個数及び位置も、それに応じて変わり得る。
【０１８０】
１ビット及び２ビットの確認応答情報（スクランブリングされていない状態）は、各々ＢＰＳＫ及びＱＰＳＫ変調技法を使用し、１つのＨＡＲＱ  ＡＣＫ／ＮＡＣＫ変調シンボルで表されることができる。肯定応答（ＡＣＫ）は、「１」でエンコーディングされてもよく、否定応答（ＮＡＣＫ）は、「０」でエンコーディングされてもよい。
【０１８１】
割り当てられる帯域内で制御信号を送信する時、多重化容量を高めるために２次元の拡散が適用される。即ち、多重化できる端末の数又は制御チャネルの数を高めるために、周波数領域の拡散と時間領域の拡散を同時に適用する。
【０１８２】
ＡＣＫ／ＮＡＣＫ信号を周波数領域で拡散させるために、周波数領域のシーケンスを基本シーケンスとして用いる。周波数領域のシーケンスとしては、ＣＡＺＡＣシーケンスのうちの１つであるＺａｄｏｆｆ−Ｃｈｕ（ＺＣ）シーケンスを使用してもよい。例えば、基本シーケンスであるＺＣシーケンスに互いに異なる循環シフト（ＣＳ：Ｃｙｃｌｉｃ  Ｓｈｉｆｔ）が適用されることによって、互いに異なる端末又は互いに異なる制御チャネルの多重化が適用されることができる。ＨＡＲＱ  ＡＣＫ／ＮＡＣＫ送信のためのＰＵＣＣＨ  ＲＢのためのＳＣ−ＦＤＭＡシンボルで支援されるＣＳリソースの個数は、セル固有の上位層のシグナリングパラメータ
2020537420.tif 000054
によって設定される。
【０１８３】
周波数領域拡散されたＡＣＫ／ＮＡＣＫ信号は、直交拡散（ｓｐｒｅａｄｉｎｇ）符号を使用して時間領域で拡散される。直交拡散符号としては、ウォルシュ−アダマール（Ｗａｌｓｈ−Ｈａｄａｍａｒｄ）シーケンス又はＤＦＴシーケンスが使用できる。例えば、ＡＣＫ／ＮＡＣＫ信号は、４シンボルに対して長さ４の直交シーケンス（ｗ０、ｗ１、ｗ２、ｗ３）を用いて拡散されることができる。また、ＲＳも、長さ３又は長さ２の直交シーケンスを介して拡散させる。これを直交カバーリング（ＯＣ：Ｏｒｔｈｏｇｏｎａｌ  Ｃｏｖｅｒｉｎｇ）という。
【０１８４】
前述したような周波数領域におけるＣＳリソース及び時間領域におけるＯＣリソースを用いて、複数の端末が符号分割多重（ＣＤＭ：Ｃｏｄｅ  Ｄｉｖｉｓｉｏｎ  Ｍｕｌｔｉｐｌｅｘｉｎｇ）方式で多重化されることができる。即ち、同じＰＵＣＣＨ  ＲＢ上で多くの数の端末のＡＣＫ／ＮＡＣＫ情報及びＲＳが多重化されることができる。
【０１８５】
このような時間領域拡散ＣＤＭに対して、ＡＣＫ／ＮＡＣＫ情報に対して支援される拡散コードの個数は、ＲＳシンボルの個数によって制限される。即ち、ＲＳ送信のＳＣ−ＦＤＭＡシンボルの個数は、ＡＣＫ／ＮＡＣＫ情報送信のＳＣ−ＦＤＭＡシンボルの数よりも少ないため、ＲＳの多重化容量（ｃａｐａｃｉｔｙ）がＡＣＫ／ＮＡＣＫ情報の多重化容量に比べて少なくなる。
【０１８６】
例えば、一般ＣＰの場合に、４個のシンボルでＡＣＫ／ＮＡＣＫ情報が送信されることができるが、ＡＣＫ／ＮＡＣＫ情報のために４個ではなく３個の直交拡散符号が使用され、これは、ＲＳ送信シンボルの個数が３個に制限されて、ＲＳのために３個の直交拡散符号のみが使用されるためである。
【０１８７】
一般ＣＰのサブフレームにおいて、１つのスロットで３個のシンボルがＲＳ送信のために使用され、４個のシンボルがＡＣＫ／ＮＡＣＫ情報の送信のために使用される場合に、例えば、周波数領域で６個の循環シフト（ＣＳ）及び時間領域で３個の直交カバー（ＯＣ）リソースを使用することができるならば、計１８個の異なる端末からのＨＡＲＱ確認応答が１つのＰＵＣＣＨ  ＲＢ内で多重化されることができる。もし、拡張されたＣＰのサブフレームにおいて、１つのスロットで２個のシンボルがＲＳ送信のために使用され、４個のシンボルがＡＣＫ／ＮＡＣＫ情報の送信のために使用される場合に、例えば、周波数領域で６個の循環シフト（ＣＳ）及び時間領域で２個の直交カバー（ＯＣ）リソースを使用することができるならば、計１２個の異なる端末からのＨＡＲＱ確認応答が１つのＰＵＣＣＨ  ＲＢ内で多重化されることができる。
【０１８８】
次に、ＰＵＣＣＨフォーマット１について説明する。スケジューリング要求（ＳＲ）は、端末がスケジューリングされるように要求するか、又は要求しない方式で送信される。ＳＲチャネルは、ＰＵＣＣＨフォーマット１ａ／１ｂでのＡＣＫ／ＮＡＣＫチャネルの構造を再使用し、ＡＣＫ／ＮＡＣＫチャネルの設計に基づいてＯＯＫ（Ｏｎ−Ｏｆｆ  Ｋｅｙｉｎｇ）方式で構成される。ＳＲチャネルでは、参照信号が送信されない。従って、一般ＣＰの場合には、長さ７のシーケンスが用いられ、拡張されたＣＰの場合には、長さ６のシーケンスが用いられる。ＳＲ及びＡＣＫ／ＮＡＣＫに対して異なる循環シフト又は直交カバーが割り当てられ得る。即ち、肯定（ｐｏｓｉｔｉｖｅ）ＳＲ送信のために、端末はＳＲ用に割り当てられたリソースを介して、ＨＡＲＱ  ＡＣＫ／ＮＡＣＫを送信する。否定（ｎｅｇａｔｉｖｅ）ＳＲ送信のためには、端末はＡＣＫ／ＮＡＣＫ用に割り当てられたリソースを介して、ＨＡＲＱ  ＡＣＫ／ＮＡＣＫを送信する。
【０１８９】
次に、改善したＰＵＣＣＨ（ｅ−ＰＵＣＣＨ）フォーマットについて説明する。ｅ−ＰＵＣＣＨは、ＬＴＥ−ＡシステムのＰＵＣＣＨフォーマット３に対応し得る。ＰＵＣＣＨフォーマット３を用いたＡＣＫ／ＮＡＣＫ送信には、ブロック拡散（ｂｌｏｃｋ  ｓｐｒｅａｄｉｎｇ）技法が適用できる。
【０１９０】
ＰＵＣＣＨ  ｐｉｇｇｙｂａｃｋｉｎｇ  ｉｎ  Ｒｅｌ−８  ＬＴＥ
【０１９１】
図１４は、本発明が適用できる無線通信システムにおけるＵＬ−ＳＣＨの送信チャネルプロセッシングの一例を示す。
【０１９２】
３ＧＰＰ  ＬＴＥシステム（＝Ｅ−ＵＴＲＡ、Ｒｅｌ．８）では、ＵＬの場合、端末機のパワーアンプの効率的な活用のために、パワーアンプの性能に影響を与えるＰＡＰＲ（Ｐｅａｋ−ｔｏ−Ａｖｅｒａｇｅ  Ｐｏｗｅｒ  Ｒａｔｉｏ）特性や、ＣＭ（Ｃｕｂｉｃ  Ｍｅｔｒｉｃ）特性が良い単一キャリア送信を維持するようになっている。即ち、既存のＬＴＥシステムのＰＵＳＣＨ送信の場合、送信しようとするデータをＤＦＴプリコーディングを介して単一キャリア特性を維持し、ＰＵＣＣＨ送信の場合は、単一キャリア特性を有しているシーケンスに情報をピギーバックして送信することによって、単一キャリア特性を維持することができる。しかし、ＤＦＴプリコーディングをしたデータを周波数軸で非連続的に割り当てるか、ＰＵＳＣＨとＰＵＣＣＨが同時に送信するようになる場合には、このような単一キャリア特性がなくなる。従って、図８のように、ＰＵＣＣＨ送信と同じサブフレームにＰＵＳＣＨ送信がある場合、単一キャリア特性を維持するために、ＰＵＣＣＨに送信するＵＣＩ（ｕｐｌｉｎｋ  ｃｏｎｔｒｏｌ  ｉｎｆｏｒｍａｔｉｏｎ）情報をＰＵＳＣＨを介してデータと共に送信（Ｐｉｇｇｙｂａｃｋ）するようになっている。
【０１９３】
前記で説明したように、既存のＬＴＥ端末は、ＰＵＣＣＨとＰＵＳＣＨが同時に送信できないため、ＰＵＳＣＨが送信されるサブフレームでは、上りリンク制御情報（ＵＣＩ）（ＣＱＩ／ＰＭＩ、ＨＡＲＱ−ＡＣＫ、ＲＩ等）をＰＵＳＣＨ領域に多重化する方法を使用する。
【０１９４】
一例として、ＰＵＳＣＨを送信するように割り当てられたサブフレームでチャネル品質指示子（ＣＱＩ）及び／又はプリコーディングマトリックス指示子（ＰＭＩ）を送信すべき場合、ＵＬ−ＳＣＨデータとＣＱＩ／ＰＭＩをＤＦＴ拡散する前に多重化して、制御情報とデータを共に送信することができる。この場合、ＵＬ−ＳＣＨデータは、ＣＱＩ／ＰＭＩリソースを考慮し、レートマッチング（ｒａｔｅ−ｍａｔｃｈｉｎｇ）を行うことになる。また、ＨＡＲＱ  ＡＣＫ、ＲＩ等の制御情報は、ＵＬ−ＳＣＨデータをパンクチャリング（ｐｕｎｃｔｕｒｉｎｇ）し、ＰＵＳＣＨ領域に多重化される方式が使用されている。
【０１９５】
図１５は、本発明が適用できる無線通信システムにおける送信チャネル（ｔｒａｎｓｐｏｒｔ  ｃｈａｎｎｅｌ）である上りリンク共有チャネルの信号処理過程の一例を示す。
【０１９６】
以下、上りリンク共有チャネル（以下、「ＵＬ−ＳＣＨ」という）の信号処理過程は、１つ以上の送信チャネル又は制御情報タイプに適用されることができる。
【０１９７】
図１５を参照すると、ＵＬ−ＳＣＨは、送信時間間隔（ＴＴＩ：ｔｒａｎｓｍｉｓｓｉｏｎ  ｔｉｍｅ  ｉｎｔｅｒｖａｌ）毎に一度ずつデータを送信ブロック（ＴＢ：Ｔｒａｎｓｐｏｒｔ  Ｂｌｏｃｋ）の形態で符号化ユニット（ｃｏｄｉｎｇ  ｕｎｉｔ）に伝達される。
【０１９８】
上位層から伝達された送信ブロックのビット
2020537420.tif 000055
にＣＲＣパリティビット（ｐａｒｉｔｙ  ｂｉｔ）
2020537420.tif 000056
を付着する。このとき、Ａは送信ブロックのサイズであり、Ｌはパリティビットの数である。ＣＲＣが付着された入力ビットは、
2020537420.tif 000057
の通りである。このとき、ＢはＣＲＣを含んだ送信ブロックのビット数を示す。
【０１９９】
2020537420.tif 000058
は、ＴＢのサイズに応じて、複数個のコードブロック（ＣＢ：Ｃｏｄｅ  ｂｌｏｃｋ）に分割（ｓｅｇｍｅｎｔａｔｉｏｎ）され、分割された複数個のＣＢにＣＲＣが付着される。コードブロックの分割及びＣＲＣの付着後のビットは
2020537420.tif 000059
の通りである。ここで、ｒはコードブロックの番号（ｒ＝０、…、Ｃ−１）であり、Ｋｒはコードブロックｒによるビット数である。また、Ｃはコードブロックの合計数を示す。
【０２００】
次いで、チャネル符号化（ｃｈａｎｎｅｌ  ｃｏｄｉｎｇ）が行われる。チャネル符号化後の出力ビットは、
2020537420.tif 000060
の通りである。このとき、ｉは符号化されたストリームインデックスであり、０、１又は２の値を有し得る。Ｄｒはコードブロックｒのためのｉ番目に符号化されたストリームのビット数を示す。ｒはコードブロックの番号（ｒ＝０、…、Ｃ−１）であり、Ｃはコードブロックの合計数を示す。各コードブロックは、各々ターボコーディングによって符号化され得る。
【０２０１】
次いで、レートマッチング（Ｒａｔｅ  Ｍａｔｃｈｉｎｇ）が行われる。レートマッチングを経た後のビットは、
2020537420.tif 000061
の通りである。このとき、ｒはコードブロックの番号であり（ｒ＝０、…、Ｃ−１）、Ｃはコードブロックの合計数を示す。Ｅｒは、ｒ番目のコードブロックのレートマッチングされたビット数を示す。
【０２０２】
次いで、再度コードブロック間の結合（ｃｏｎｃａｔｅｎａｔｉｏｎ）が行われる。コードブロックの結合が行われた後のビットは、
2020537420.tif 000062
の通りである。このとき、Ｇは送信のための符号化されたビットの合計数を示し、制御情報がＵＬ−ＳＣＨ送信と多重化されるとき、制御情報の送信のために使用されるビット数は含まれない。
【０２０３】
一方、ＰＵＳＣＨで制御情報が送信されるとき、制御情報であるＣＱＩ／ＰＭＩ、ＲＩ、ＡＣＫ／ＮＡＣＫは、各々独立にチャネルの符号化が行われる。各制御情報の送信のために各々互いに異なる符号化されたシンボルが割り当てられるため、各々の制御情報は互いに異なる符号化率（ｃｏｄｉｎｇ  ｒａｔｅ）を有する。
【０２０４】
ＴＤＤ（Ｔｉｍｅ  Ｄｉｖｉｓｉｏｎ  Ｄｕｐｌｅｘ）でＡＣＫ／ＮＡＣＫフィードバック（ｆｅｅｄｂａｃｋ）モードは、上位層の設定によってＡＣＫ／ＮＡＣＫバンドリング（ｂｕｎｄｌｉｎｇ）及びＡＣＫ／ＮＡＣＫ多重化（ｍｕｌｔｉｐｌｅｘｉｎｇ）の二つのモードが支援される。ＡＣＫ／ＮＡＣＫバンドリングのために、ＡＣＫ／ＮＡＣＫ情報のビットは、１ビット又は２ビットで構成され、ＡＣＫ／ＮＡＣＫ多重化のために、ＡＣＫ／ＮＡＣＫ情報のビットは、１ビットから４ビットの間で構成される。
【０２０５】
コードブロック間の結合段階後に、ＵＬ−ＳＣＨデータの符号化されたビット
2020537420.tif 000063
とＣＱＩ／ＰＭＩの符号化されたビット
2020537420.tif 000064
の多重化が行われる。データとＣＱＩ／ＰＭＩの多重化された結果は
2020537420.tif 000065
の通りである。このとき、
2020537420.tif 000066
は、
2020537420.tif 000067
の長さを有するコラム（ｃｏｌｕｍｎ）ベクトルを示す。
2020537420.tif 000068
であり、
2020537420.tif 000069
である。
2020537420.tif 000070
は、ＵＬ−ＳＣＨ送信ブロックがマッピングされたレイヤの個数を示し、Ｈは送信ブロックがマッピングされた
2020537420.tif 000071
の送信レイヤにＵＬ−ＳＣＨデータとＣＱＩ／ＰＭＩ情報のために割り当てられた符号化されたビットの合計数を示す。
【０２０６】
次いで、多重化されたデータとＣＱＩ／ＰＭＩ、別にチャネル符号化されたＲＩ、ＡＣＫ／ＮＡＣＫは、チャネルインターリービングされて出力信号が生成される。
【０２０７】
ＰＤＣＣＨ割り当て手続（ａｓｓｉｇｎｍｅｎｔ  ｐｒｏｃｅｄｕｒｅ）
【０２０８】
１つのサブフレーム内で複数のＰＤＣＣＨが送信されることができる。即ち、１つのサブフレームの制御領域は、インデックス
2020537420.tif 000072
を有する複数のＣＣＥで構成される。ここで、
2020537420.tif 000073
は、ｋ番目のサブフレームの制御領域内のＣＣＥの合計数を意味する。端末は、サブフレーム毎に複数のＰＤＣＣＨをモニタリングする。ここで、モニタリングとは、端末がモニタリングされるＰＤＣＣＨのフォーマットによってＰＤＣＣＨのそれぞれのデコーディングを試みることを言う。サブフレーム内で割り当てられた制御領域で、基地局は端末に該当するＰＤＣＣＨがどこにあるかに関する情報を提供しない。端末は、基地局から送信された制御チャネルを受信するために、自身のＰＤＣＣＨがどの位置でどんなＣＣＥ集合レベルやＤＣＩフォーマットに送信されるか分からないので、端末は、サブフレーム内でＰＤＣＣＨ候補（ｃａｎｄｉｄａｔｅ）の集合をモニタリングし、自身のＰＤＣＣＨを見つける。これをブラインドデコーディング（ＢＤ：Ｂｌｉｎｄ  Ｄｅｃｏｄｉｎｇ／Ｄｅｔｅｃｔｉｏｎ）という。ブラインドデコーディングは、端末がＣＲＣ部分に自身の端末識別子（ＵＥ  ＩＤ）をデマスキング（Ｄｅ−Ｍａｓｋｉｎｇ）させた後、ＣＲＣエラーを検討し、該当ＰＤＣＣＨが自身の制御チャネルであるか否かを確認する方法をいう。
【０２０９】
アクティブモード（ａｃｔｉｖｅ  ｍｏｄｅ）において、端末は自身に送信されるデータを受信するために、各サブフレームのＰＤＣＣＨをモニタリングする。ＤＲＸモードにおいて、端末は各ＤＲＸ周期のモニタリング区間でウェイクアップ（ｗａｋｅ  ｕｐ）し、モニタリング区間に該当するサブフレームでＰＤＣＣＨをモニタリングする。ＰＤＣＣＨのモニタリングが行われるサブフレームを非ＤＲＸ（ｎｏｎ−ＤＲＸ）サブフレームという。 
【０２１０】
端末は、自身に送信されるＰＤＣＣＨを受信するためには、非ＤＲＸサブフレームの制御領域に存在する全てのＣＣＥに対してブラインドデコーディングを行わなければならない。端末は、いずれのＰＤＣＣＨフォーマットが送信されるか分からないので、各非ＤＲＸサブフレーム内でＰＤＣＣＨのブラインドデコーディングに成功するまで、可能なＣＣＥ集団レベルでＰＤＣＣＨを全てデコーディングしなければならない。端末は、自身のためのＰＤＣＣＨがいくつかのＣＣＥを使用するか分からないので、ＰＤＣＣＨのブラインドデコーディングに成功するまで、可能な全てのＣＣＥ集団レベルで検出を試みなければならない。即ち、端末は、ＣＣＥ集合レベル別にブラインドデコーディングを行う。即ち、端末は、まずＣＣＥ集合レベルの単位を１としてデコーディングを試みる。デコーディングが全て失敗すると、ＣＣＥ集合レベルの単位を２としてデコーディングを試みる。その後、再度ＣＣＥ集合レベルの単位を４、ＣＣＥ集合レベルの単位を８としてデコーディングを試みる。また、端末は、Ｃ−ＲＮＴＩ、Ｐ−ＲＮＴＩ、ＳＩ−ＲＮＴＩ、ＲＡ−ＲＮＴＩの４個に対して全てブラインドデコーディグを試みることになる。また、端末は、モニタリングすべき全てのＤＣＩフォーマットに対してブラインドデコーディングを試みることになる。
【０２１１】
このように、端末が可能な全てのＲＮＴＩに対して、モニタリングすべき全てのＤＣＩフォーマットに対して、全てのＣＣＥ集合レベル別にブラインドデコーディングを試みれば、検出試み（ｄｅｔｅｃｔｉｏｎ  ａｔｔｅｍｐｔ）の回数が過度に多くなるので、ＬＴＥシステムでは端末のブラインドデコーディングのためにサーチスペース（ＳＳ：Ｓｅａｒｃｈ  Ｓｐａｃｅ）の概念を定義する。サーチスペースは、モニターするためのＰＤＣＣＨの候補セットを意味し、各ＰＤＣＣＨフォーマットに応じて異なるサイズを有し得る。
【０２１２】
サーチスペースは、共用サーチスペース（ＣＳＳ：Ｃｏｍｍｏｎ  Ｓｅａｒｃｈ  Ｓｐａｃｅ）と端末固有サーチスペース（ＵＳＳ：ＵＥ−ｓｐｅｃｉｆｉｃ／Ｄｅｄｉｃａｔｅｄ  Ｓｅａｒｃｈ  Ｓｐａｃｅ）で構成されることができる。共用サーチスペースの場合、全ての端末が共用サーチスペースのサイズについて分かるが、端末固有サーチスペースは、各端末毎に個別的に設定されることができる。従って、端末はＰＤＣＣＨをデコーディングするために端末固有サーチスペース及び共用サーチスペースを全てモニタリングすべきであり、よって、１つのサブフレームで最大４４回のブラインドデコーディング（ＢＤ）を行うことになる。ここには、異なるＣＲＣ値（例えば、Ｃ−ＲＮＴＩ、Ｐ−ＲＮＴＩ、ＳＩ−ＲＮＴＩ、ＲＡ−ＲＮＴＩ）に応じて行うブラインドデコーディングは含まれない。
【０２１３】
小さいサーチスペースによって、基地局は与えられたサブフレーム内でＰＤＣＣＨを送信しようとする端末の全てにＰＤＣＣＨを送信するためのＣＣＥリソースが確保できない場合が発生し得る。何故なら、ＣＣＥの位置が割り当てられて残ったリソースは、特定の端末のサーチスペース内に含まれないことがあるためである。次のサブフレームにも続くことができるこのような壁を最小化するために、端末固有ホッピング（ｈｏｐｐｉｎｇ）シーケンスが端末固有サーチスペースの開始地点に適用され得る。
【０２１４】
表７は、共用サーチスペースと端末固有サーチスペースのサイズを示す。
【０２１５】
【表７】
2020537420.tif 000074
【０２１６】
ブラインドデコーディングを試みる回数による端末の計算的ロード（ｌｏａｄ）を軽減するために、端末は定義された全てのＤＣＩフォーマットによる検索を同時に行わない。具体的に、端末は、端末固有サーチスペースで常時ＤＣＩフォーマット０と１Ａに関する検索を行うことができる。このとき、ＤＣＩフォーマット０と１Ａは同一のサイズを有するが、端末はＰＤＣＣＨに含まれたＤＣＩフォーマット０と１Ａを区分するのに使用されるフラグ（ｆｌａｇ  ｆｏｒ  ｆｏｒｍａｔ  ０／ｆｏｒｍａｔ  １Ａ  ｄｉｆｆｅｒｅｎｔｉａｔｉｏｎ）を用いて、ＤＣＩフォーマットを区分することができる。また、基地局によって設定されたＰＤＳＣＨ送信モードに応じて、端末に０と１Ａ以外に他のＤＣＩフォーマットが要求できるが、その一例として、ＤＣＩフォーマット１、１Ｂ、２がある。
【０２１７】
共用サーチスペースで、端末はＤＣＩフォーマット１Ａと１Ｃを検索することができる。また、端末は、ＤＣＩフォーマット３又は３Ａを検索するように設定されることができ、ＤＣＩフォーマット３と３Ａは、ＤＣＩフォーマット０と１Ａと同一のサイズを有するが、端末は端末固有の識別子ではなく、他の識別子によってスクランブル（ｓｃｒａｍｂｌｉｎｇ）されたＣＲＣを用いてＤＣＩフォーマットを区別することができる。
【０２１８】
サーチスペース
2020537420.tif 000075
は、集合レベル
2020537420.tif 000076
によるＰＤＣＣＨ候補セットを意味する。サーチスペースのＰＤＣＣＨ候補セット
2020537420.tif 000077
によるＣＣＥは、次のような数式３によって決定されることができる。
【０２１９】
【数３】
2020537420.tif 000078
【０２２０】
ここで、
2020537420.tif 000079
はサーチスペースでモニターするためのＣＣＥ集合レベルＬによるＰＤＣＣＨ候補の個数を表し、
2020537420.tif 000080
である。
2020537420.tif 000081
は、各ＰＤＣＣＨ候補で個別のＣＣＥを指定するインデックスであって、
2020537420.tif 000082
である。
【０２２１】
前述したように、端末はＰＤＣＣＨをデコーディングするために、端末固有サーチスペース及び共用サーチスペースを全てモニタリングする。ここで、共用サーチスペース（ＣＳＳ）は、｛４、８｝の集合レベルを有するＰＤＣＣＨを支援し、端末固有サーチスペース（ＵＳＳ）は、｛１、２、４、８｝の集合レベルを有するＰＤＣＣＨを支援する。
【０２２２】
表８は、端末によってモニタリングされるＰＤＣＣＨ候補を示す。
【０２２３】
【表８】
2020537420.tif 000083
【０２２４】
数式３を参照すると、共用サーチスペースの場合、２個の集合レベル、Ｌ＝４及びＬ＝８に対して、
2020537420.tif 000084
は０に設定される。それに対し、集合レベルＬに対して、端末固有サーチスペースの場合、
2020537420.tif 000085
は数式４のように定義される。
【０２２５】
【数４】
2020537420.tif 000086
【０２２６】
ここで、
2020537420.tif 000087
の通りであり、
2020537420.tif 000088
のために用いられるＲＮＴＩ値は端末の識別子（Ｉｄｅｎｔｉｆｉｃａｔｉｏｎ）のうちの１つで定義されることができる。また、
2020537420.tif 000089
であり、
2020537420.tif 000090
であり、
2020537420.tif 000091
の通りである。ここで、
2020537420.tif 000092
は無線フレームにおけるスロット番号（又はインデックス）を表す。
【０２２７】
一般的なＡＣＫ／ＮＡＣＫ多重化方法
【０２２８】
端末がｅＮＢから受信される複数のデータユニットに該当する複数のＡＣＫ／ＮＡＣＫを同時に送信すべき状況で、ＡＣＫ／ＮＡＣＫ信号の単一周波数特性を維持し、ＡＣＫ／ＮＡＣＫ送信の電力を減らすために、ＰＵＣＣＨリソースの選択に基づいたＡＣＫ／ＮＡＣＫ多重化方法が考慮され得る。
【０２２９】
ＡＣＫ／ＮＡＣＫ多重化と共に、複数のデータユニットに対するＡＣＫ／ＮＡＣＫ応答の内容は、実際のＡＣＫ／ＮＡＣＫ送信に使用されるＰＵＣＣＨリソースとＱＰＳＫ変調シンボルのリソースとの結合によって識別される。
【０２３０】
例えば、万が一１つのＰＵＣＣＨリソースが４ビットを送信し、４個のデータユニットが最大に送信できる場合、ＡＣＫ／ＮＡＣＫの結果は、下記表９のようにｅＮＢで識別されることができる。
【０２３１】
【表９】
2020537420.tif 000093
【０２３２】
前記表９において、ＨＡＲＱ−ＡＣＫ（ｉ）は、ｉ番目のデータユニット（ｄａｔａ  ｕｎｉｔ）に対するＡＣＫ／ＮＡＣＫの結果を表す。前記表９において、ＤＴＸ（ＤＴＸ（Ｄｉｓｃｏｎｔｉｎｕｏｕｓ  Ｔｒａｎｓｍｉｓｓｉｏｎ）は、該当するＨＡＲＱ−ＡＣＫ（ｉ）のために送信されるデータユニットがないか、端末がＨＡＲＱ−ＡＣＫ（ｉ）に対応するデータユニットを検出することができないということを意味する。前記表９によると、最大４個のＰＵＣＣＨリソース
2020537420.tif 000094
があり、ｂ（０）、ｂ（１）は、選択されたＰＵＣＣＨを用いて送信される２個のビットである。
【０２３３】
例えば、端末が４個のデータユニット全ての受信に成功すると、端末は
2020537420.tif 000095
を用いて２ビット（１、１）を送信する。
【０２３４】
端末が一番目及び三番目のデータユニットでデコーディングに失敗し、二番目及び四番目のデータユニットでデコーディングに成功すると、端末は
2020537420.tif 000096
を用いて、ビット（１、０）を送信する。
【０２３５】
ＡＣＫ／ＮＡＣＫチャネルの選択で、少なくとも１つのＡＣＫがあれば、ＮＡＣＫとＤＴＸは連結される（ｃｏｕｐｌｅ）。これは、予約された（ｒｅｓｅｒｖｅｄ）ＰＵＣＣＨリソースとＱＰＳＫシンボルの組み合わせでは、全てのＡＣＫ／ＮＡＣＫの状態を示すことができないためである。しかし、ＡＣＫがなければ、ＤＴＸはＮＡＣＫと分離される（ｄｅｃｏｕｐｌｅ）。
【０２３６】
この場合、１つの明確なＮＡＣＫに該当するデータユニットにリンクされたＰＵＣＣＨリソースは、複数のＡＣＫ／ＮＡＣＫの信号を送信するために、また予約されることができる。
【０２３７】
一般的なＡＣＫ／ＮＡＣＫ送信（ｔｒａｎｓｍｉｓｓｉｏｎ）
【０２３８】
ＬＴＥ−Ａシステムでは、複数のＤＬ  ＣＣを介して送信された複数のＰＤＳＣＨに対する複数のＡＣＫ／ＮＡＣＫ情報／信号を特定のＵＬ  ＣＣ（ｃｏｍｐｏｎｅｎｔ  ｃａｒｒｉｅｒ）を介して送信することを考慮している。このため、既存のＲｅｌ−８  ＬＴＥにおけるＰＵＣＣＨフォーマット１ａ／１ｂを用いたＡＣＫ／ＮＡＣＫ送信とは異なり、複数のＡＣＫ／ＮＡＣＫ情報をチャネルコーディング（例、Ｒｅｅｄ−Ｍｕｌｌｅｒ  ｃｏｄｅ、Ｔａｉｌ−ｂｉｔｉｎｇ  ｃｏｎｖｏｌｕｔｉｏｎａｌ  ｃｏｄｅ等）した後、ＰＵＣＣＨフォーマット２、又は下記のようなブロック拡散（Ｂｌｏｃｋ−ｓｐｒｅａｄｉｎｇ）ベースの変形された形態の新しいＰＵＣＣＨフォーマット（即ち、Ｅ−ＰＵＣＣＨフォーマット）を用いて、複数のＡＣＫ／ＮＡＣＫ情報／信号を送信することが考慮され得る。
【０２３９】
ブロック拡散技法は、既存のＰＵＣＣＨフォーマット１系列又は２系列とは異なり、制御信号の送信をＳＣ−ＦＤＭＡ方式を用いて変調する方式である。図８に示すように、シンボルシーケンスがＯＣＣ（Ｏｒｔｈｏｇｏｎａｌ  Ｃｏｖｅｒ  Ｃｏｄｅ）を用いて時間領域（ｄｏｍａｉｎ）上で拡散して送信されることができる。ＯＣＣを用いることによって、同じＲＢ上に複数個の端末の制御信号が多重化できる。前述したＰＵＣＣＨフォーマット２の場合には、１つのシンボルシーケンスが時間領域にわたって送信され、ＣＡＺＡＣシーケンスのＣＳ（ｃｙｃｌｉｃ  ｓｈｉｆｔ）を用いて複数個の端末の制御信号が多重化されるのに対し、ブロック拡散ベースのＰＵＣＣＨフォーマット（例えば、ＰＵＣＣＨフォーマット３）の場合には、１つのシンボルシーケンスが周波数領域にわたって送信され、ＯＣＣを用いた時間領域拡散を用いて複数個の端末の制御信号が多重化される。
【０２４０】
図１６は、本発明が適用できる無線通信システムにおける１つのスロットの間に５個のＳＣ−ＦＤＭＡシンボルを生成して送信する一例を示す。
【０２４１】
図１６では、１スロットの間に１つのシンボルシーケンスに長さ＝５（又はＳＦ＝５）のＯＣＣを用いて、５個のＳＣ−ＦＤＭＡシンボル（すなわち、データ部分）を生成して送信する例を示す。この場合、１スロットの間に２個のＲＳシンボルが使用できる。
【０２４２】
図１６の例示において、ＲＳシンボルは、特定の循環シフト値が適用されたＣＡＺＡＣシーケンスから生成でき、複数個のＲＳシンボルにわたって所定のＯＣＣが適用された（又は掛けられた）形態で送信できる。また、図１６の例示において、それぞれのＯＦＤＭシンボル（又はＳＣ−ＦＤＭＡシンボル）別に１２個の変調シンボルが使用され、それぞれの変調シンボルはＱＰＳＫによって生成されると仮定すれば、１つのスロットで送信可能な最大のビット数は１２×２＝２４ビットとなる。よって、２個のスロットで送信可能なビット数は計４８ビットとなる。このようにブロック拡散方式のＰＵＣＣＨチャネルの構造を使用する場合、既存のＰＵＣＣＨフォーマット１系列及び２系列に比べて拡張されたサイズの制御情報の送信が可能になる。
【０２４３】
説明の都合のために、ＰＵＣＣＨフォーマット２又はＥ−ＰＵＣＣＨフォーマットを使用する、このようなチャネルコーディングベースの複数のＡＣＫ／ＮＡＣＫ送信方式をマルチビットＡＣＫ／ＮＡＣＫ符号化（ｍｕｌｔｉ−ｂｉｔ  ＡＣＫ／ＮＡＣＫ  ｃｏｄｉｎｇ）送信方法と称する。この方法は、複数のＤＬ  ＣＣのＰＤＳＣＨに対するＡＣＫ／ＮＡＣＫ又はＤＴＸ（ｄｉｓｃｏｎｔｉｎｕｏｕｓ  ｔｒａｎｓｍｉｓｓｉｏｎ）情報（ＰＤＣＣＨを受信／検出できないということを意味）をチャネルコーディングして生成されたＡＣＫ／ＮＡＣＫコードされたブロックを送信する方法を示す。例えば、端末があるＤＬ  ＣＣでＳＵ−ＭＩＭＯモード（ｍｏｄｅ）で動作し、２個のコードワード（ＣＷ）を受信すれば、そのＣＣに対してＣＷ別にＡＣＫ／ＡＣＫ、ＡＣＫ／ＮＡＣＫ、ＮＡＣＫ／ＡＣＫ、ＮＡＣＫ／ＮＡＣＫの計４個のフィードバック状態（ｆｅｅｄｂａｃｋ  ｓｔａｔｅ）を送信するか、ＤＴＸまで含めて最大５個のフィードバック状態を有することができる。また、もし端末が単一（ｓｉｎｇｌｅ）ＣＷ受信をすれば、ＡＣＫ、ＮＡＣＫ、ＤＴＸの最大３個の状態（ｓｔａｔｅ）を有することができる（もし、ＮＡＣＫをＤＴＸと同様に処理すれば、ＡＣＫ、ＮＡＣＫ／ＤＴＸの計２個の状態を有することができる）。従って、もし端末が最大５個のＤＬ  ＣＣをアグリゲーション（ａｇｇｒｅｇａｔｉｏｎ）し、全てのＣＣでＳＵ−ＭＩＭＯモードで動作すれば、最大５５個の送信可能なフィードバック状態を有することができ、これを表現するためのＡＣＫ／ＮＡＣＫのペイロード（ｐａｙｌｏａｄ）のサイズは計１２ビット（ｂｉｔｓ）になる（もし、ＤＴＸをＮＡＣＫと同様に処理すれば、フィードバック状態の数は４５個となり、これを表現するためのＡＣＫ／ＮＡＣＫのペイロードのサイズは計１０ビットになる）。
【０２４４】
既存のＲｅｌ−８  ＴＤＤシステムに適用される前記ＡＣＫ／ＮＡＣＫ多重化（ｍｕｌｔｉｐｌｅｘｉｎｇ）（即ち、ＡＣＫ／ＮＡＣＫ選択）方法では、基本的に各ＵＥのＰＵＣＣＨリソース確保のために該当ＵＥの各ＰＤＳＣＨをスケジューリングするＰＤＣＣＨに対応する（即ち、最下位（ｌｏｗｅｓｔ）のＣＣＥインデックスとリンクされている）暗示的（ｉｍｐｌｉｃｉｔ）ＰＵＣＣＨリソースを使用する暗示的ＡＣＫ／ＮＡＣＫ選択（ｓｅｌｅｃｔｉｏｎ）方式を考慮している。一方、ＬＴＥ−Ａ  ＦＤＤシステムでは、基本的にＵＥ固有（ｓｐｅｃｉｆｉｃ）に設定される１つの特定のＵＬ  ＣＣを介して複数のＤＬ  ＣＣを介して送信された複数のＰＤＳＣＨに対する複数のＡＣＫ／ＮＡＣＫ送信を考慮しており、このため、特定又は一部又は全てのＤＬ  ＣＣをスケジューリングするＰＤＣＣＨにリンクされている（即ち、最下位（ｌｏｗｅｓｔ）のＣＣＥインデックスｎ＿ＣＣＥにリンクされている、或いはｎ＿ＣＣＥとｎ＿ＣＣＥ＋１にリンクされている）暗示的ＰＵＣＣＨリソース又は該当暗示的ＰＵＣＣＨリソースとＲＲＣシグナリング（ｓｉｇｎａｌｉｎｇ）を介して各ＵＥに予め予約された明示的（ｅｘｐｌｉｃｉｔ）ＰＵＣＣＨリソースとの組み合わせを使用するＡＣＫ／ＮＡＣＫ選択（ｓｅｌｅｃｔｉｏｎ）方式を考慮している。
【０２４５】
一方、ＬＴＥ−Ａ  ＴＤＤシステムでも、複数のＣＣがアグリゲーション（ａｇｇｒｅｇａｔｉｏｎ）（即ち、ＣＡ）された状況が考慮でき、これによって、複数のＤＬサブフレーム（ｓｕｂｆｒａｍｅ）と複数のＣＣを介して送信された複数のＰＤＳＣＨに対する複数のＡＣＫ／ＮＡＣＫ情報／信号を、該当複数のＤＬサブフレームに対応するＵＬサブフレームで特定ＣＣ（即ち、Ａ／Ｎ  ＣＣ）を介して送信することを考慮している。ここでは、前記ＬＴＥ−Ａ  ＦＤＤとは異なり、ＵＥに割り当てられた全てのＣＣを介して送信されることができる最大ＣＷの数に対応する複数のＡＣＫ／ＮＡＣＫを、複数のＤＬサブフレーム（即ち、ＳＦ）のすべてに対して送信する方式（即ち、フル（ｆｕｌｌ）ＡＣＫ／ＮＡＣＫ）を考慮するか、又はＣＷ及び／又はＣＣ及び／又はＳＦ領域（ｄｏｍａｉｎ）に対してＡＣＫ／ＮＡＣＫバンドリング（ｂｕｎｄｌｉｎｇ）を適用し、全体の送信のＡＣＫ／ＮＡＣＫの数を減らして送信する方式（即ち、バンドリングされた（ｂｕｎｄｌｅｄ）ＡＣＫ／ＮＡＣＫ）が考慮され得る（ここで、ＣＷバンドリングの場合、各ＤＬ  ＳＦに対してＣＣ別にＣＷに対するＡＣＫ／ＮＡＣＫバンドリングを適用することを意味し、ＣＣバンドリンクの場合、各ＤＬ  ＳＦに対して全ての又は一部ＣＣに対するＡＣＫ／ＮＡＣＫバンドリングを適用することを意味し、ＳＦバンドリングの場合、各ＣＣに対して全ての又は一部のＤＬ  ＳＦに対するＡＣＫ／ＮＡＣＫバンドリングを適用することを意味する。特徴的に、ＳＦバンドリング方法として、ＣＣそれぞれに対して受信された全てのＰＤＳＣＨ又はＤＬグラント（ｇｒａｎｔ）ＰＤＣＣＨに対して、ＣＣ別ＡＣＫの合計数（或いは、一部ＡＣＫの個数）を知らせるＡＣＫカウンター（ｃｏｕｎｔｅｒ）方式を考慮することができる）。このとき、ＵＥ別ＡＣＫ／ＮＡＣＫペイロード（ｐａｙｌｏａｄ）、即ち、各ＵＥ別に設定されたフル（ｆｕｌｌ）又はバンドルされた（ｂｕｎｄｌｅｄ）ＡＣＫ／ＮＡＣＫ送信のためのＡＣＫ／ＮＡＣＫのペイロードのサイズに応じて、マルチビットＡＣＫ／ＮＡＣＫ符号化（ｍｕｌｔｉ−ｂｉｔ  ＡＣＫ／ＮＡＣＫ  ｃｏｄｉｎｇ）或いはＡＣＫ／ＮＡＣＫ選択（ｓｅｌｅｃｔｉｏｎ）ベースのＡＣＫ／ＮＡＣＫ送信技法を構成可能（ｃｏｎｆｉｇｕｒａｂｌｅ）に適用することができる。
【０２４６】
ＡＣＫ／ＮＡＣＫ  ｔｒａｎｓｍｉｓｓｉｏｎ  ｆｏｒ  ＬＴＥ−Ａ
【０２４７】
ＬＴＥ−Ａシステムでは、複数のＤＬ  ＣＣを介して送信された複数のＰＤＳＣＨに対する複数のＡＣＫ／ＮＡＣＫ情報／信号を特定ＵＬ  ＣＣを介して送信することを支援する。このため、既存のＲｅｌ−８  ＬＴＥにおけるＰＵＣＣＨフォーマット１ａ／１ｂを用いたＡＣＫ／ＮＡＣＫ送信とは異なり、ＰＵＣＣＨフォーマット３を介して複数のＡＣＫ／ＮＡＣＫ情報を送信することができる。
【０２４８】
図１７は、一般ＣＰ（ｃｙｃｌｉｃ  ｐｒｅｆｉｘ）を有するＰＵＣＣＨフォーマット３にＡＣＫ／ＮＡＣＫチャネルの構造を示す。
【０２４９】
図１７でのように、シンボルシーケンス（ｓｅｑｕｅｎｃｅ）がＯＣＣ（Ｏｒｔｈｏｇｏｎａｌ  Ｃｏｖｅｒ  Ｃｏｄｅ）によって時間領域拡散（ｔｉｍｅ−ｄｏｍａｉｎ  ｓｐｒｅａｄｉｎｇ）されて送信される形態であり、ＯＣＣを用いて同じＲＢに種々のＵＥの制御信号を多重化させることができる。前記のＰＵＣＣＨフォーマット２では、１つのシンボルシーケンスが時間領域にわたって送信され、ＣＡＺＡＣシーケンスの循環シフトを用いて、ＵＥ多重化を行うそれに対し、ＰＵＣＣＨフォーマット３の場合、１つのシンボルシーケンスが周波数領域にわたって送信され、ＯＣＣベースの時間領域拡散（ｔｉｍｅ−ｄｏｍａｉｎ  ｓｐｒｅａｄｉｎｇ）を用いてＵＥ多重化（ＵＥ  ｍｕｌｔｉｐｌｅｘｉｎｇ）を行う。図１７では、１つのシンボルシーケンスを長さ５（ｓｐｒｅａｄｉｎｇ  ｆａｃｔｏｒ＝５）のＯＣＣを用いて５個のＳＣ−ＦＤＭＡシンボルを生成させて送信する方法を示す。図１７の例では、１スロットの間に計２個のＲＳシンボルを使用したが、３個のＲＳシンボルを使用し、ｓｐｒｅａｄｉｎｇ  ｆａｃｔｏｒ＝４のＯＣＣを用いる方式等様々な応用も考慮できる。ここで、ＲＳシンボルは、特定の循環シフトを有するＣＡＺＡＣシーケンスから生成でき、時間領域の複数のＲＳシンボルに特定のＯＣＣが適用された（即ち、掛けられた）形態で送信できる。図の例示で各ＳＣ−ＦＤＭＡシンボル別に１２個の変調シンボルが使用され、各変調シンボルはＱＰＳＫを使用すると仮定する場合、各スロット別に送信できる最大のビット数は、１２×２＝２４ビットとなる。従って、２個のスロットで送信できるビット数は、計４８ビットとなる。
【０２５０】
説明の都合のために、ＰＵＣＣＨフォーマット２又はＥ−ＰＵＣＣＨフォーマットを使用する、このようなチャネルコーディングベースの複数のＡＣＫ／ＮＡＣＫ送信方式を「マルチビットＡＣＫ／ＮＡＣＫコーディング」送信方法と称する。この方法は、複数のＤＬ  ＣＣのＰＤＳＣＨに対するＡＣＫ／ＮＡＣＫ又はＤＴＸ情報（ＰＤＣＣＨを受信／検出できないということを意味）をチャネルコーディングして生成されたＡＣＫ／ＮＡＣＫコードされたブロックを送信する方法を示す。例えば、端末があるＤＬ  ＣＣでＳＵ−ＭＩＭＯモードで動作し、２個のコードワード（ＣＷ）を受信すれば、そのＣＣに対してＣＷ別にＡＣＫ／ＡＣＫ、ＡＣＫ／ＮＡＣＫ、ＮＡＣＫ／ＡＣＫ、ＮＡＣＫ／ＮＡＣＫの計４個のフィードバック状態を送信するか、ＤＴＸまで含めて最大５個のフィードバック状態を有することができる。また、もし端末が単一のＣＷ受信をすれば、ＡＣＫ、ＮＡＣＫ、ＤＴＸの最大３個の状態を有することができる（もし、ＮＡＣＫをＤＴＸと同様に処理すれば、ＡＣＫ、ＮＡＣＫ／ＤＴＸの計２個の状態を有することができる）。従って、もし端末が最大５個のＤＬ  ＣＣをアグリゲーション（ａｇｇｒｅｇａｔｉｏｎ）し、全てのＣＣでＳＵ−ＭＩＭＯモードで動作すれば、最大５５個の送信可能なフィードバック状態を有することができ、これを表現するためのＡＣＫ／ＮＡＣＫのペイロードのサイズは、計１２ビットとなる（もし、ＤＴＸをＮＡＣＫと同様に処理すれば、フィードバック状態の数は４５個となり、これを表現するためのＡＣＫ／ＮＡＣＫのペイロードのサイズは、計１０ビットとなる）。
【０２５１】
既存のＲｅｌ−８  ＴＤＤシステムに適用される前記のＡＣＫ／ＮＡＣＫ多重化（即ち、ＡＣＫ／ＮＡＣＫ選択）方法では、基本的に各ＵＥのＰＵＣＣＨリソースの確保のために、該当ＵＥの各ＰＤＳＣＨをスケジューリングするＰＤＣＣＨに対応する（即ち、最下位のＣＣＥインデックスとリンクされている）暗示的ＰＵＣＣＨリソースを使用する暗示的ＡＣＫ／ＮＡＣＫ選択の方式を考慮している。一方、ＬＴＥ−Ａ  ＦＤＤシステムでは、基本的にＵＥ固有に設定される１つの特定のＵＬ  ＣＣを介して複数のＤＬ  ＣＣを介して送信された複数のＰＤＳＣＨに対する複数のＡＣＫ／ＮＡＣＫ送信を考慮しており、このため、特定又は一部又は全てのＤＬ  ＣＣをスケジューリングするＰＤＣＣＨにリンクされている（即ち、最下位のＣＣＥインデックスｎ＿ＣＣＥにリンクされている、又はｎ＿ＣＣＥとｎ＿ＣＣＥ＋１にリンクされている）暗示的ＰＵＣＣＨリソース又は該当暗示的ＰＵＣＣＨリソースとＲＲＣシグナリングを介して各ＵＥに予め予約された明示的ＰＵＣＣＨリソースとの組み合わせを使用する「ＡＣＫ／ＮＡＣＫ選択」方式を考慮している。
【０２５２】
一方、ＬＴＥ−Ａ  ＴＤＤシステムでも、複数のＣＣがアグリゲーション（ａｇｇｒｅｇａｔｉｏｎ）（ＣＡ）された状況を考慮することができ、これによって複数のＤＬサブフレームと複数のＣＣを介して送信された複数のＰＤＳＣＨに対する複数のＡＣＫ／ＮＡＣＫ情報／信号を、該当複数のＤＬサブフレームに対応するＵＬサブフレームで特定のＣＣ（即ち、Ａ／Ｎ  ＣＣ）を介して送信することを考慮している。ここでは、前記のＬＴＥ−Ａ  ＦＤＤとは異なり、ＵＥに割り当てられた全てのＣＣを介して送信されることができる最大ＣＷの数に対応する複数のＡＣＫ／ＮＡＣＫを、複数のＤＬサブフレーム（即ち、ＳＦ）の全てに対して送信する方式（即ち、フルＡＣＫ／ＮＡＣＫ）を考慮するか、又はＣＷ及び／又はＣＣ及び／又はＳＦ領域に対してＡＣＫ／ＮＡＣＫバンドリングを適用して全体の送信のＡＣＫ／ＮＡＣＫの数を減らして送信する方式（即ち、バンドルされたＡＣＫ／ＮＡＣＫ）を考慮することができる（ここで、ＣＷバンドリングの場合、各ＤＬ  ＳＦに対してＣＣ別にＣＷに対するＡＣＫ／ＮＡＣＫバンドリングを適用することを意味し、ＣＣバンドリングの場合、各ＤＬ  ＳＦに対して全ての又は一部ＣＣに対するＡＣＫ／ＮＡＣＫバンドリングを適用することを意味し、ＳＦバンドリングの場合、各ＣＣに対して全ての又は一部ＤＬ  ＳＦに対するＡＣＫ／ＮＡＣＫバンドリングを適用することを意味する。特徴的に、ＳＦバンドリングの方法として、ＣＣのそれぞれに対して受信された全てのＰＤＳＣＨ又はＤＬグラントＰＤＣＣＨに対して、ＣＣ別ＡＣＫの合計数（又は、一部ＡＣＫの個数）を知らせる「ＡＣＫカウンター」方式を考慮することができる）。このとき、ＵＥ別ＡＣＫ／ＮＡＣＫのペイロード、即ち、各ＵＥ別に設定されたフル又はバンドルされた（ｆｕｌｌ  ｏｒ  ｂｕｎｄｌｅｄ）ＡＣＫ／ＮＡＣＫ送信のためのＡＣＫ／ＮＡＣＫのペイロードのサイズに応じて、「マルチビットＡＣＫ／ＮＡＣＫコーディング」又は「ＡＣＫ／ＮＡＣＫ選択」ベースのＡＣＫ／ＮＡＣＫ送信技法を構成可能に適用することができる。
【０２５３】
次世代システムでは、様々な適用分野における要求事項を充足するために、全てのまたは特定の物理チャネル（ｐｈｙｓｉｃａｌ  ｃｈａｎｎｅｌ）及び／又は物理信号（ｐｈｙｓｉｃａｌ  ｓｉｇｎａｌ）に対して送信時間間隔（ｔｒａｎｓｍｉｓｓｉｏｎ  ｔｉｍｅ  ｉｎｔｅｒｖａｌ、ＴＴＩ）を様々に設定できる状況（等）が考慮され得る。
【０２５４】
一例として、シナリオ（ｓｃｅｎａｒｉｏ）にしたがって基地局（例：ｅＮＢ、ｇＮＢ等）と端末（ｕｓｅｒ  ｅｑｕｉｐｍｅｎｔ、ＵＥ）との間に通信を行うとき、遅延（ｌａｔｅｎｃｙ）を減らすための目的としてＰＤＣＣＨ／ＰＤＳＣＨ／ＰＵＳＣＨ／ＰＵＣＣＨなどのような物理チャネルの送信に用いられるＴＴＩを１サブフレーム（すなわち、１ｍｓｅｃ）より小さく設定することもできる。以下、本明細書においては、既に利用された送信時間単位（例：１サブフレーム）より短い送信時間単位が適用される物理チャネルは、既存のチャネルに（ｓ）を追加した形態で表現されることができる（例：ｓＰＤＣＣＨ／ｓＰＤＳＣＨ／ｓＰＵＳＣＨ／ｓＰＵＣＣＨ等）。また、単一の端末または複数のＵＥに対して、単一サブフレーム（例：１ｍｓｅｃ）内で複数の物理チャネルが存在することができ、これらの各々に対してＴＴＩが異なるように設定されることもできる。
【０２５５】
以下、本明細書において提案する実施形態では、説明の都合上、既存のＬＴＥシステム（ＬＴＥ  ｓｙｓｔｅｍ）の場合を基準に提案方法及び例が説明される。このとき、ＴＴＩは、ＬＴＥシステムにおける一般的なサブフレームサイズ（ｓｕｂｆｒａｍｅ  ｓｉｚｅ）であって、１ｍｓｅｃでありうる（以下、一般ＴＴＩ（ｎｏｒｍａｌ  ＴＴＩ））。また、短いＴＴＩ（ｓｈｏｒｔ  ＴＴＩ、ｓＴＴＩ）は、これより小さい値を指し、単一または複数のＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）シンボルまたはＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボル単位でありうる。
【０２５６】
例えば、サブキャリア間隔が１５ｋＨｚであるサブフレームの場合、サブフレームは、下記の表１０によって６個のサブスロット（ｓｕｂｓｌｏｔ）に分割されることができる。ここで、サブスロット単位は、上述したｓＴＴＩ単位に該当することができる。
【０２５７】
表１０は、ｉ番目のサブフレーム（ｓｕｂｆｒａｍｅ  ｉ）の他のサブスロットにおける（ＯＦＤＭ）シンボル数の一例を表す。
【０２５８】
【表１０】
2020537420.tif 000097
【０２５９】
具体的に、ＬＴＥシステムにおけるＦＤＤの場合、各１０ｍｓｅｃ間隔内で、１０個のサブフレーム、２０個のスロット、または６０個のサブスロットまで下りリンク送信のために用いられることができ、１０個のサブフレーム、２０個のスロット、または６０個のサブスロットまで上りリンク送信のために用いられることができる。この場合、上りリンク送信及び下りリンク送信は、周波数領域（ｆｒｅｑｕｅｎｃｙ  ｄｏｍａｉｎ）上で分離されることができる。Ｈａｌｆ−ｄｕｐｌｅｘ  ＦＤＤ動作の場合、端末は、同時に送受信を行うことができないことに対し、ｆｕｌｌ−ｄｕｐｌｅｘ  ＦＤＤ動作の場合、このような制限がない。
【０２６０】
以下、本明細書において提案する実施形態では、説明の都合上、提案方法を説明するにあたってｓｈｏｒｔ  ＴＴＩ（すなわち、ＴＴＩ長さがサブフレームより小さい場合）である場合を仮定したが、ＴＴＩがサブフレームより長くなる場合または１ｍｓｅｃ以上である場合に対しても本明細書において提案する方法が拡張されて適用され得ることはもちろんである。また、特に、次世代システム（例：上述したＮＲシステム）でヌメロロジー（ｎｕｍｅｒｏｌｏｇｙ）（例：サブキャリア間隔（ｓｕｂｃａｒｒｉｅｒ  ｓｐａｃｉｎｇ）等）を増加させる形態でｓｈｏｒｔ  ＴＴＩが導入され得るし、この場合にも、本明細書において提案する方法が拡張されて適用されることもできる。
【０２６１】
すなわち、以下、説明の都合上、発明をＬＴＥシステムに基づいて説明するか、当該内容は、新しい無線アクセス技術（ｎｅｗ  ｒａｄｉｏ  ａｃｃｅｓｓ  ｔｅｃｈｎｏｌｏｇｙ、ｎｅｗ  ＲＡＴ、ＮＲ）など、他の波形（ｗａｖｅｆｏｒｍ）及び／又はフレーム構造（ｆｒａｍｅ  ｓｔｒｕｃｔｕｒｅ）が利用される技術にも適用されることができる。一般的に、本発明では、ｓＴＴＩ（＜１ｍｓｅｃ）、ｌｏｎｇＴＴＩ（＝１ｍｓｅｃ）、ｌｏｎｇｅｒＴＴＩ（＞１ｍｓｅｃ）である場合を仮定する。
【０２６２】
また、以下、本明細書において説明される実施形態で言及されるシンボル（ｓｙｍｂｏｌ）、サブスロット（ｓｕｂｓｌｏｔ）、スロット（ｓｌｏｔ）、サブフレーム（ｓｕｂｆｒａｍｅ）、フレーム（ｆｒａｍｅ）などは、無線通信システムで利用される一定時間単位（例：送信時間単位）の具体的な例に該当することができる。すなわち、本明細書において提案する方法を適用するにあたって、本明細書において言及される時間単位などは、さらに他の無線通信システムで適用される他の時間単位に代えられて適用されることもできる。
【０２６３】
また、以下、本明細書において説明される実施形態は、説明の都合のために区分されたものであり、ある実施形態の一部の方法及び／又は一部の構成などが他の実施形態の方法及び／又は構成などと置き換えられるか、相互間で組み合わせられて適用され得ることはもちろんである。
【０２６４】
第１実施形態
【０２６５】
まず、ｓｕｂｓｌｏｔ単位の送信がスケジューリングされる場合、ＤＭＲＳ共有（以下、ＤＭＲＳ  ｓｈａｒｉｎｇ）を考慮して、ＰＤＳＣＨを送受信する方法について説明する。本明細書において、ＤＭＲＳ  ｓｈａｒｉｎｇは、（連続してスケジューリング、配置、または割り当てられる）ＰＤＳＣＨ間でＤＭＲＳを共有する方式を意味できる。
【０２６６】
具体的に、Ｓｕｂｓｌｏｔ−ＰＤＳＣＨ（すなわち、ｓｕｂｓｌｏｔ単位でスケジューリングされるＰＤＳＣＨ）の場合、ＤＭＲＳによるオーバーヘッドの軽減のために、ＤＭＲＳ  ｓｈａｒｉｎｇが許容され得る。このとき、チャネル推定の性能低下を防止するために、ＤＭＲＳ  ｓｈａｒｉｎｇは、２つのｓｕｂｓｌｏｔ間にのみ許容されることができる。ＤＭＲＳ  ｓｈａｒｉｎｇが適用される場合、端末の処理時間（ｐｒｏｃｅｓｓｉｎｇ  ｔｉｍｅ）を考慮して、当該ＤＭＲＳは、常に２つのｓｕｂｓｌｏｔのうち、前のｓｕｂｓｌｏｔにマッピングされるように規則が定義されている。
【０２６７】
現在規格（例：３ＧＰＰ標準）によれば、端末がｎ−１番目のｓｕｂｓｌｏｔ（以下、ｓｕｂｓｌｏｔ＃ｎ−１）でｓＤＣＩを検出できず、ｎ番目のｓｕｂｓｌｏｔ（以下、ｓｕｂｓｌｏｔ＃ｎ）から検出したｓＤＣＩでｓｕｂｓｌｏｔ＃ｎにＤＭＲＳが存在しないと指示する場合、端末は、ｓｕｂｓｌｏｔ＃ｎにおけるｓｕｂｓｌｏｔ−ＰＤＳＣＨに対するデコーディング（ｄｅｃｏｄｉｎｇ）を期待しない。
【０２６８】
本明細書において、ｓｕｂｓｌｏｔ＃ｎ及び／又はｓｕｂｓｌｏｔ＃ｎ−１で送信（または、伝達）及び検出されるｓＤＣＩは、ＤＬ割当用途のｓＤＣＩ、すなわち、ＤＬ  ａｓｓｉｇｎｍｅｎｔ  ｓＤＣＩを意味できる。また、当該ｓＤＣＩは、ｓｕｂｓｌｏｔ＃ｎ及び／又はｓｕｂｓｌｏｔ＃ｎ−１で送信（または、伝達）及び検出される制御チャネル（例：ＰＤＣＣＨ、ｓｕｂｓｌｏｔ−ＰＤＣＣＨ）に対応することもできる。
【０２６９】
ただし、上述したように規則が定義された場合を仮定すれば、端末がｓｕｂｓｌｏｔ＃ｎ−１から検出したｓＤＣＩがｓｕｂｓｌｏｔ＃ｎ−１でＤＭＲＳが存在しないと指示し、ｓｕｂｓｌｏｔ＃ｎから検出したｓＤＣＩがｓｕｂｓｌｏｔ＃ｎでＤＭＲＳが存在しないと指示する場合、端末の動作（ｂｅｈａｖｉｏｒ）に対する曖昧性（ａｍｂｉｇｕｉｔｙ）が発生し得る。このような場合は、端末がｓｕｂｓｌｏｔ＃ｎ及び／又はｓｕｂｓｌｏｔ＃ｎ−１におけるｓＤＣＩを誤って検出（ｍｉｓ−ｄｅｔｅｃｔｉｏｎ）したか、基地局の誤ったスケジューリングにより発生することもできる。
【０２７０】
したがって、端末は、上記の場合のようなスケジューリングを期待しないように規則が定義され得る。言い換えれば、端末は、連続したｓｕｂｓｌｏｔから検出されたｓＤＣＩで各々ＤＭＲＳが存在しないことを期待しないように規則が定義され得る。すなわち、端末は、ｓｕｂｓｌｏｔ＃ｎ及びｓｕｂｓｌｏｔ＃ｎ−１から検出されたそれぞれのｓＤＣＩがｓｕｂｓｌｏｔ＃ｎにおけるＤＭＲＳ不在及びｓｕｂｓｌｏｔ＃ｎ−１におけるＤＭＲＳ不在を指示することを期待しないように設定されることができる。これは、基地局がｓｕｂｓｌｏｔ＃ｎ及びｓｕｂｓｌｏｔ＃ｎ−１から検出されたｓＤＣＩが各々ｓｕｂｓｌｏｔ＃ｎにおけるＤＭＲＳ不在及びｓｕｂｓｌｏｔ＃ｎ−１におけるＤＭＲＳ不在を指示するようにスケジューリングしないということを意味することもできる。
【０２７１】
そして／または、端末が連続したｓｕｂｓｌｏｔ（すなわち、ｓｕｂｓｌｏｔ＃ｎ及びｓｕｂｓｌｏｔ＃ｎ−１）から検出されたｓＤＣＩによりそれぞれのｓｕｂｓｌｏｔにおけるＤＭＲＳが存在しないということを指示または設定された場合、端末は、当該ｓｕｂｓｌｏｔ（すなわち、ｓｕｂｓｌｏｔ＃ｎ）におけるＰＤＳＣＨをデコーディングすることを期待しない（または、要求されない）ように設定されることができる。または、上記の場合、端末は、当該ｓｕｂｓｌｏｔ＃ｎにおけるＰＤＳＣＨデコーディングをスキップ（ｓｋｉｐ）するように設定されることもできる。このとき、端末は、当該ＰＤＳＣＨ（すなわち、ｓｕｂｓｌｏｔ＃ｎにおけるＰＤＳＣＨ）に対するＨＡＲＱ−ＡＣＫ情報を（基地局に）報告するように規則が定義されることもできる。一例として、前記ＨＡＲＱ−ＡＣＫ情報は、当該ＰＤＳＣＨに対するＮＡＣＫ情報でありうる。
【０２７２】
また、前述した場合のように、端末がｓｕｂｓｌｏｔ＃ｎから検出したｓＤＣＩでｓｕｂｓｌｏｔ＃ｎにＤＭＲＳが存在しないと指示された場合を仮定しよう。このとき、ｓｕｂｓｌｏｔ＃ｎ−１から検出されたｓＤＣＩによるリソース割当（ｒｅｓｏｕｒｃｅ  ａｌｌｏｃａｔｉｏｎ）（例：ＰＲＧ（ｐｈｙｓｉｃａｌ  ｒｅｓｏｕｒｃｅ  ｂｌｏｃｋ  ｇｒｏｕｐ）、ＰＲＢ（ｐｈｙｓｉｃａｌ  ｒｅｓｏｕｒｃｅ  ｂｌｏｃｋ）等）がｓｕｂｓｌｏｔ＃ｎから検出されたｓＤＣＩによるリソース割当を含まない場合、端末は、ｓｕｂｓｌｏｔ＃ｎにおけるＰＤＳＣＨ処理（ｐｒｏｃｅｓｓｉｎｇ）と関連してＤＭＲＳ不在による問題が発生し得る。すなわち、ｓｕｂｓｌｏｔ＃ｎ−１におけるＰＤＳＣＨリソース（等）がｓｕｂｓｌｏｔ＃ｎにおけるＰＤＳＣＨリソースを含まない場合、ｓｕｂｓｌｏｔ＃ｎでＤＭＲＳが存在しないことにより、当該ｓｕｂｓｌｏｔにおけるＰＤＳＣＨ処理が問題になることができる。
【０２７３】
このような点を考慮して、端末がｓｕｂｓｌｏｔ＃ｎから検出したｓＤＣＩを介してｓｕｂｓｌｏｔ＃ｎにＤＭＲＳが存在しないと指示された状況で、ｓｕｂｓｌｏｔ＃ｎにおけるリソース割当がｓｕｂｓｌｏｔ＃ｎ−１のリソース割当に対比してサブセット（ｓｕｂｓｅｔ）関係に該当するように規則が定義され得る。一例として、サブセット関係は、ｓｕｂｓｌｏｔ＃ｎのリソース割当がｓｕｂｓｌｏｔ＃ｎ−１のリソース割当と同一であるか、ｓｕｂｓｌｏｔ＃ｎ−１のリソース割当に含まれるように設定することを意味できる。
【０２７４】
そして／または、端末がｓｕｂｓｌｏｔ＃ｎから検出したｓＤＣＩを介してｓｕｂｓｌｏｔ＃ｎにＤＭＲＳが存在しないと指示された状況で、ｓｕｂｓｌｏｔ＃ｎ−１から検出されたｓＤＣＩによるリソース割当がｓｕｂｓｌｏｔ＃ｎから検出されたｓＤＣＩによるリソース割当と同一でないか、これを含まない場合、端末は、当該ｓｕｂｓｌｏｔ（すなわち、ｓｕｂｓｌｏｔ＃ｎ）におけるＰＤＳＣＨをデコーディングすることを期待しない（または、要求されない）ように設定されることができる。または、上記の場合、端末は、当該ｓｕｂｓｌｏｔ＃ｎにおけるＰＤＳＣＨデコーディングをスキップ（ｓｋｉｐ）するように設定されることもできる。このとき、端末は、当該ＰＤＳＣＨ（すなわち、ｓｕｂｓｌｏｔ＃ｎにおけるＰＤＳＣＨ）に対するＨＡＲＱ−ＡＣＫ情報を（基地局に）報告するように規則が定義されることもできる。一例として、前記ＨＡＲＱ−ＡＣＫ情報は、当該ＰＤＳＣＨに対するＮＡＣＫ情報でありうる。
【０２７５】
また、端末がｓｕｂｓｌｏｔ＃ｎから検出したｓＤＣＩを介してｓｕｂｓｌｏｔ＃ｎにＤＭＲＳが存在しないと指示された状況で、ｓｕｂｓｌｏｔ＃ｎ−１のリソース割当とｓｕｂｓｌｏｔ＃ｎのリソース割当との間に重ならない（ｎｏｎ−ｏｖｅｒｌａｐｐｅｄ）リソース数（例：ＲＢ（ｒｅｓｏｕｒｃｅ  ｂｌｏｃｋ）数）を考慮して、ＰＤＳＣＨのデコーディング可否を決定する方法が考慮されることもできる。
【０２７６】
例えば、ｓｕｂｓｌｏｔ＃ｎ−１のリソース割当とｓｕｂｓｌｏｔ＃ｎのリソース割当との間に重なるリソースの数が一定未満である場合、端末は、ｓｕｂｓｌｏｔ＃ｎのＰＤＳＣＨをデコーディングするように設定されることができる。
【０２７７】
それに対し、ｓｕｂｓｌｏｔ＃ｎ−１のリソース割当とｓｕｂｓｌｏｔ＃ｎのリソース割当との間に重なるリソースの数が一定以上である場合、端末は、当該ｓｕｂｓｌｏｔ（すなわち、ｓｕｂｓｌｏｔ＃ｎ）におけるＰＤＳＣＨをデコーディングすることを期待しない（または、要求されない）ように設定されることができる。または、上記の場合、端末は、当該ｓｕｂｓｌｏｔ＃ｎにおけるＰＤＳＣＨデコーディングをスキップ（ｓｋｉｐ）するように設定されることもできる。このとき、端末は、当該ＰＤＳＣＨ（すなわち、ｓｕｂｓｌｏｔ＃ｎにおけるＰＤＳＣＨ）に対するＨＡＲＱ−ＡＣＫ情報（例：ＮＡＣＫ情報）を（基地局に）報告するように規則が定義されることもできる。
【０２７８】
また、ＬＴＥシステムによれば（特に、現在のＬＴＥシステムの標準によれば）、互いに異なるサブフレームに属したｓｕｂｓｌｏｔ間の（ＤＬ）ＤＭＲＳ  ｓｈａｒｉｎｇは許容されないことができる。したがって、端末がｓｕｂｓｌｏｔ＃０から検出されたｓＤＣＩを介してｓｕｂｓｌｏｔ＃０にＤＭＲＳが存在しないと指示された場合、当該端末は、ｓｕｂｓｌｏｔ＃０で受信したＰＤＳＣＨを復調（ｄｅｍｏｄｕｌａｔｉｏｎ）するためのＤＭＲＳを取得できないようになる。
【０２７９】
このような点を考慮して、端末は、ｓｕｂｓｌｏｔ＃０から検出されたｓＤＣＩによりＤＭＲＳが存在しないということが指示されることを期待しないように規則が定義され得る。言い換えれば、端末は、ｓｕｂｓｌｏｔ＃０から検出されたｓＤＣＩでは、ＤＭＲＳが存在すると仮定するように規則が定義され得る。すなわち、当該端末は、ｓｕｂｓｌｏｔ＃０から検出されたｓＤＣＩによっては、ｓｕｂｓｌｏｔ＃０にＤＭＲＳが存在すると指示されることを仮定するように設定されることができる。
【０２８０】
そして／または、端末がｓｕｂｓｌｏｔ＃０から検出したｓＤＣＩを介してｓｕｂｓｌｏｔ＃０にＤＭＲＳが存在しないと指示された状況で、当該端末は、ｓｕｂｓｌｏｔ＃０におけるＰＤＳＣＨをデコーディングすることを期待しない（または、要求されない）ように設定されることができる。または、上記の場合、端末は、当該ｓｕｂｓｌｏｔ＃０におけるＰＤＳＣＨデコーディングをスキップ（ｓｋｉｐ）するように設定されることもできる。このとき、端末は、当該ＰＤＳＣＨ（すなわち、ｓｕｂｓｌｏｔ＃０におけるＰＤＳＣＨ）に対するＨＡＲＱ−ＡＣＫ情報を（基地局に）報告するように規則が定義されることもできる。一例として、前記ＨＡＲＱ−ＡＣＫ情報は、当該ＰＤＳＣＨに対するＮＡＣＫ情報でありうる。
【０２８１】
また、ＬＴＥシステムによれば（特に、現在のＬＴＥシステムの標準によれば）、ＤＬ  ｓｕｂｓｌｏｔパターン（ｓｕｂｓｌｏｔ  ｐａｔｔｅｒｎ）は、ＰＤＣＣＨ制御領域（ＰＤＣＣＨ  ｃｏｎｔｒｏｌ  ｒｅｇｉｏｎ）のシンボル数によって相違するように構成（または、設定）されることができる。ここで、ｓｕｂｓｌｏｔパターンは、上述した表１０のように表現されることができる。具体的な例として、ＰＤＣＣＨ制御領域のシンボル数が１または３である場合、ＤＬ  ｓｕｂｓｌｏｔパターンは、前記表１０のＤＬ  ｓｕｂｓｌｏｔパターン１にしたがい、ＰＤＣＣＨ制御領域のシンボル数が２である場合、ＤＬ  ｓｕｂｓｌｏｔパターンは、前記表１０のＤＬ  ｓｕｂｓｌｏｔパターン２にしたがうことができる。また、ＰＤＣＣＨ制御領域のシンボル数が１である場合に限ってのみ、ｓｕｂｓｌｏｔ＃０でＤＭＲＳ基盤ＰＤＳＣＨがスケジューリングされ得る。したがって、ｓｕｂｓｌｏｔ＃１のＰＤＳＣＨに対するＤＭＲＳがｓｕｂｓｌｏｔ＃０から共有されるためには、上述した条件が成立する場合にのみ可能であり、そうでない場合、端末は、ｓｕｂｓｌｏｔ＃１のＰＤＳＣＨに対する復調（ｄｅｍｏｄｕｌａｔｉｏｎ）のためのＤＭＲＳを取得できないようになる。
【０２８２】
このような点を考慮して、ＰＤＣＣＨ制御領域のシンボル数が２または３である場合、端末がｓｕｂｓｌｏｔ＃１から検出されたｓＤＣＩを介して当該ｓｕｂｓｌｏｔにおけるＤＭＲＳの不在を指示されることを期待しないように規則が定義され得る。言い換えれば、端末は、ｓｕｂｓｌｏｔ＃１から検出されたｓＤＣＩでは、ＤＭＲＳが存在すると仮定するように規則が定義され得る。すなわち、端末は、ｓｕｂｓｌｏｔ＃１から検出されたｓＤＣＩを介して、当該ｓｕｂｓｌｏｔにおけるＤＭＲＳの存在を指示されることを仮定するように設定されることができる。
【０２８３】
そして／または、ＰＤＣＣＨ制御領域のシンボル数が２または３である状況で端末がｓｕｂｓｌｏｔ＃１から検出したｓＤＣＩを介してｓｕｂｓｌｏｔ＃１にＤＭＲＳが存在しないと指示された場合、当該端末は、ｓｕｂｓｌｏｔ＃１におけるＰＤＳＣＨをデコーディングすることを期待しない（または、要求されない）ように設定されることができる。または、上記の場合、端末は、当該ｓｕｂｓｌｏｔ＃１におけるＰＤＳＣＨデコーディングをスキップ（ｓｋｉｐ）するように設定されることもできる。このとき、端末は、当該ＰＤＳＣＨ（すなわち、ｓｕｂｓｌｏｔ＃１におけるＰＤＳＣＨ）に対するＨＡＲＱ−ＡＣＫ情報を（基地局に）報告するように規則が定義されることもできる。一例として、前記ＨＡＲＱ−ＡＣＫ情報は、当該ＰＤＳＣＨに対するＮＡＣＫ情報でありうる。
【０２８４】
以下、図１８及び図１９と、これについての説明は、本実施形態において提案するデータチャネル（例：ＰＤＳＣＨ、ＰＵＳＣＨ等）の送受信を行う端末の動作方法及び装置と基地局の動作方法及び装置に関するものである。図１８及び図１９における方法は、説明の都合上、ＰＤＳＣＨの場合を基準に説明されるが、このような方法が無線通信システムにおいて利用される様々なデータチャネル及び／又は復調参照信号に対しても拡張して適用され得ることはもちろんである。
【０２８５】
図１８は、本実施形態において提案する方法が適用され得る下りリンクデータチャネルの受信可否を決定する端末の動作順序図の一例を示す。図１８は、単に説明の都合のためのものであり、本発明の範囲を制限するものではない。
【０２８６】
図１８に示すように、本実施形態において説明された方法（等）に基づいて、端末が特定ｓｕｂｓｌｏｔ（すなわち、特定ＴＴＩ）におけるＰＤＳＣＨを受信するか、受信しないように設定される場合が仮定される。また、図１８において説明される方法では、ｓｕｂｓｌｏｔ単位でＤＣＩ（ここで、ＤＣＩは、ＰＤＣＣＨに対応することができる）及び／又はＰＤＳＣＨがスケジューリングされる場合が仮定される。
【０２８７】
まず、端末は、第１のＴＴＩ（例：上述したｓｕｂｓｌｏｔ＃ｎ−１）で、第１のＰＤＳＣＨのスケジューリングのための第１のＤＣＩ（例：上述したｓＤＣＩ）を受信することができる（Ｓ１８０５）。一例として、第１のＤＣＩは、第１のＰＤＳＣＨのためのＤＭＲＳが第１のＴＴＩに存在するか否かを表す情報、第１のＰＤＳＣＨのためのリソース割当（例：ＰＲＢ、ＰＲＧ等）に関する情報などを含むことができる。
【０２８８】
その後、端末は、第２のＴＴＩ（例：上述したｓｕｂｓｌｏｔ＃ｎ）で、第２のＰＤＳＣＨのスケジューリングのための第２のＤＣＩ（例：上述したｓＤＣＩ）を受信することができる（Ｓ１８１０）。一例として、第２のＤＣＩは、第２のＰＤＳＣＨのためのＤＭＲＳが第２のＴＴＩに存在するか否かを表す情報、第２のＰＤＳＣＨのためのリソース割当（例：ＰＲＢ、ＰＲＧ等）に関する情報などを含むことができる。このとき、第２のＴＴＩは、第１のＴＴＩと時間領域（ｔｉｍｅ  ｄｏｍａｉｎ）上で連続して配置される時間単位を意味できる。
【０２８９】
このとき、端末は、第１のＤＣＩ及び第２のＤＣＩに基づいて第２のＰＤＳＣＨを受信するか（すなわち、デコーディングするか）否かを決定できる（Ｓ１８１５）。具体的に、第２のＤＣＩにより第２のＴＴＩで第２のＰＤＳＣＨのＤＭＲＳ不在（ａｂｓｅｎｃｅ）が指示または設定される場合、端末は、第１のＤＣＩに含まれた情報及び第２のＤＣＩに含まれた情報を（全て）考慮して、第２のＰＤＳＣＨの受信可否を決定するように設定されることができる。
【０２９０】
例えば、本実施形態において上述したように、端末が連続した第１のＴＴＩ（例：ｓｕｂｓｌｏｔ＃ｎ−１）及び第２のＴＴＩ（例：ｓｕｂｓｌｏｔ＃ｎ）から検出された（ｓ）ＤＣＩによりそれぞれのＴＴＩでＤＭＲＳが存在しないということを指示または設定された場合、当該端末は、第２のＴＴＩ（例：ｓｕｂｓｌｏｔ＃ｎ）におけるＰＤＳＣＨ（すなわち、第２のＰＤＳＣＨ）をデコーディングすることを期待しないように設定されることができる。または、上記の場合、当該端末は、第２のＰＤＳＣＨデコーディングをスキップ（ｓｋｉｐ）するように設定されることもできる。このとき、当該端末は、第２のＰＤＳＣＨに対するＨＡＲＱ−ＡＣＫ情報（例：ＮＡＣＫ情報）を基地局に報告するように規則が定義されることもできる。
【０２９１】
他に、例えば、本実施形態において上述したように、端末が第２のＴＴＩ（例：ｓｕｂｓｌｏｔ＃ｎ）から検出した（ｓ）ＤＣＩを介して第２のＴＴＩにＤＭＲＳが存在しないと指示された状況で、第１のＴＴＩ（例：ｓｕｂｓｌｏｔ＃ｎ−１）から検出された（ｓ）ＤＣＩによるリソース割当が第２のＴＴＩから検出された（ｓ）ＤＣＩによるリソース割当と同一でないか、これを含まない場合、端末は、第２のＴＴＩにおけるＰＤＳＣＨ（すなわち、第２のＰＤＳＣＨ）をデコーディングすることを期待しない（または、要求されない）ように設定されることができる。または、上記の場合、端末は、第２のＰＤＳＣＨデコーディングをスキップ（ｓｋｉｐ）するように設定されることもできる。このとき、端末は、第２のＰＤＳＣＨに対するＨＡＲＱ−ＡＣＫ情報（例：ＮＡＣＫ情報）を基地局に報告するように規則が定義されることもできる。
【０２９２】
これと関連して、実現的な側面において、上述した端末の動作は、本明細書の図２２及び図２３に示された端末装置２２２０、２３２０により具体的に実現されることができる。例えば、上述した端末の動作は、プロセッサ２２２１、２３２１及び／又はＲＦ（Ｒａｄｉｏ  Ｆｒｅｑｕｅｎｃｙ）ユニット（または、モジュール）２２２３、２３２５により行われることができる。
【０２９３】
無線通信システムにおいてデータチャネル（例：ＰＤＳＣＨ）を受信する端末は、無線信号を送信するための送信部（ｔｒａｎｓｍｉｔｔｅｒ）、無線信号を受信するための受信部（ｒｅｃｅｉｖｅｒ）、及び前記送信部及び受信部と機能的に連結されるプロセッサを備えることができる。ここで、前記送信部及び前記受信部（または、送受信部）は、無線信号を送受信するためのＲＦユニット（または、モジュール）と称されることができる。
【０２９４】
例えば、プロセッサは、第１のＴＴＩ（例：上述したｓｕｂｓｌｏｔ＃ｎ−１）で、第１のＰＤＳＣＨのスケジューリングのための第１のＤＣＩ（例：上述したｓＤＣＩ）を受信するようにＲＦユニットを制御できる。一例として、第１のＤＣＩは、第１のＰＤＳＣＨのためのＤＭＲＳが第１のＴＴＩに存在するか否かを表す情報、第１のＰＤＳＣＨのためのリソース割当（例：ＰＲＢ、ＰＲＧ等）に関する情報などを含むことができる。
【０２９５】
その後、プロセッサは、第２のＴＴＩ（例：上述したｓｕｂｓｌｏｔ＃ｎ）で、第２のＰＤＳＣＨのスケジューリングのための第２のＤＣＩ（例：上述したｓＤＣＩ）を受信するようにＲＦユニットを制御できる。一例として、第２のＤＣＩは、第２のＰＤＳＣＨのためのＤＭＲＳが第２のＴＴＩに存在するか否かを表す情報、第２のＰＤＳＣＨのためのリソース割当（例：ＰＲＢ、ＰＲＧ等）に関する情報などを含むことができる。このとき、第２のＴＴＩは、第１のＴＴＩと時間領域（ｔｉｍｅ  ｄｏｍａｉｎ）上で連続して配置される時間単位を意味できる。
【０２９６】
このとき、プロセッサは、第１のＤＣＩ及び第２のＤＣＩに基づいて第２のＰＤＳＣＨを受信するか（すなわち、デコーディングするか）否かを決定するように制御することができる。具体的に、第２のＤＣＩにより第２のＴＴＩで第２のＰＤＳＣＨのＤＭＲＳ不在（ａｂｓｅｎｃｅ）が指示または設定される場合、プロセッサは、第１のＤＣＩに含まれた情報及び第２のＤＣＩに含まれた情報を（全て）考慮して、第２のＰＤＳＣＨの受信可否を決定するように設定されることができる。
【０２９７】
例えば、本実施形態において上述したように、端末が連続した第１のＴＴＩ（例：ｓｕｂｓｌｏｔ＃ｎ−１）及び第２のＴＴＩ（例：ｓｕｂｓｌｏｔ＃ｎ）から検出された（ｓ）ＤＣＩによりそれぞれのＴＴＩでＤＭＲＳが存在しないということを指示または設定された場合、当該プロセッサは、第２のＴＴＩ（例：ｓｕｂｓｌｏｔ＃ｎ）におけるＰＤＳＣＨ（すなわち、第２のＰＤＳＣＨ）をデコーディングすることを期待しないように設定されることができる。または、上記の場合、当該プロセッサは、第２のＰＤＳＣＨデコーディングをスキップ（ｓｋｉｐ）するように設定されることもできる。このとき、当該端末は、第２のＰＤＳＣＨに対するＨＡＲＱ−ＡＣＫ情報（例：ＮＡＣＫ情報）を基地局に報告するように規則が定義されることもできる。
【０２９８】
他に、例えば、本実施形態において上述したように、端末が第２のＴＴＩ（例：ｓｕｂｓｌｏｔ＃ｎ）から検出した（ｓ）ＤＣＩを介して第２のＴＴＩにＤＭＲＳが存在しないと指示された状況で、第１のＴＴＩ（例：ｓｕｂｓｌｏｔ＃ｎ−１）から検出された（ｓ）ＤＣＩによるリソース割当が第２のＴＴＩから検出された（ｓ）ＤＣＩによるリソース割当と同一でないか、これを含まない場合、プロセッサは、第２のＴＴＩにおけるＰＤＳＣＨ（すなわち、第２のＰＤＳＣＨ）をデコーディングすることを期待しない（または、要求されない）ように設定されることができる。または、上記の場合、プロセッサは、第２のＰＤＳＣＨデコーディングをスキップ（ｓｋｉｐ）するように設定されることもできる。このとき、端末は、第２のＰＤＳＣＨに対するＨＡＲＱ−ＡＣＫ情報（例：ＮＡＣＫ情報）を基地局に報告するように規則が定義されることもできる。
【０２９９】
図１９は、本実施形態において提案する方法が適用され得る下りリンクデータチャネルを送信する基地局の動作順序図の一例を示す。図１９は、単に説明の都合のためのものであり、本発明の範囲を制限するものではない。
【０３００】
図１９に示すように、本実施形態において説明された方法（等）に基づいて、端末が特定ｓｕｂｓｌｏｔ（すなわち、特定ＴＴＩ）におけるＰＤＳＣＨを受信するか、受信しないように設定される場合が仮定される。また、図１９において説明される方法では、ｓｕｂｓｌｏｔ単位でＤＣＩ（ここで、ＤＣＩは、ＰＤＣＣＨに対応することができる）及び／又はＰＤＳＣＨがスケジューリングされる場合が仮定される。
【０３０１】
基地局は、端末に第１のＴＴＩ（例：上述したｓｕｂｓｌｏｔ＃ｎ−１）で、第１のＰＤＳＣＨのスケジューリングのための第１のＤＣＩ（例：上述したｓＤＣＩ）を送信できる（Ｓ１９０５）。一例として、第１のＤＣＩは、第１のＰＤＳＣＨのためのＤＭＲＳが第１のＴＴＩに存在するか否かを表す情報、第１のＰＤＳＣＨのためのリソース割当（例：ＰＲＢ、ＰＲＧ等）に関する情報などを含むことができる。
【０３０２】
基地局は、端末に第２のＴＴＩ（例：上述したｓｕｂｓｌｏｔ＃ｎ）で、第２のＰＤＳＣＨのスケジューリングのための第２のＤＣＩ（例：上述したｓＤＣＩ）を送信できる（Ｓ１９１０）。一例として、第２のＤＣＩは、第２のＰＤＳＣＨのためのＤＭＲＳが第２のＴＴＩに存在するか否かを表す情報、第２のＰＤＳＣＨのためのリソース割当（例：ＰＲＢ、ＰＲＧ等）に関する情報などを含むことができる。このとき、第２のＴＴＩは、第１のＴＴＩと時間領域（ｔｉｍｅ  ｄｏｍａｉｎ）上で連続して配置される時間単位を意味できる。
【０３０３】
基地局は、第１のＤＣＩ及び第２のＤＣＩに基づいてＰＤＳＣＨ（すなわち、第１のＰＤＳＣＨ及び第２のＰＤＳＣＨ）を端末に送信することができる（Ｓ１９１５）。
【０３０４】
このとき、端末は、第１のＤＣＩ及び第２のＤＣＩに基づいて第２のＰＤＳＣＨを受信するか（すなわち、デコーディングするか）否かを決定できる。具体的に、第２のＤＣＩにより第２のＴＴＩで第２のＰＤＳＣＨのＤＭＲＳ不在（ａｂｓｅｎｃｅ）が指示または設定される場合、端末は、第１のＤＣＩに含まれた情報及び第２のＤＣＩに含まれた情報を（全て）考慮して、第２のＰＤＳＣＨの受信可否を決定するように設定されることができる。
【０３０５】
例えば、本実施形態において上述したように、端末が連続した第１のＴＴＩ（例：ｓｕｂｓｌｏｔ＃ｎ−１）及び第２のＴＴＩ（例：ｓｕｂｓｌｏｔ＃ｎ）から検出された（ｓ）ＤＣＩによりそれぞれのＴＴＩでＤＭＲＳが存在しないということを指示または設定された場合、当該端末は、第２のＴＴＩ（例：ｓｕｂｓｌｏｔ＃ｎ）におけるＰＤＳＣＨ（すなわち、第２のＰＤＳＣＨ）をデコーディングすることを期待しないように設定されることができる。または、上記の場合、当該端末は、第２のＰＤＳＣＨデコーディングをスキップ（ｓｋｉｐ）するように設定されることもできる。このとき、当該端末は、第２のＰＤＳＣＨに対するＨＡＲＱ−ＡＣＫ情報（例：ＮＡＣＫ情報）を基地局に報告するように規則が定義されることもできる。
【０３０６】
他に、例えば、本実施形態において上述したように、端末が第２のＴＴＩ（例：ｓｕｂｓｌｏｔ＃ｎ）から検出した（ｓ）ＤＣＩを介して第２のＴＴＩにＤＭＲＳが存在しないと指示された状況で、第１のＴＴＩ（例：ｓｕｂｓｌｏｔ＃ｎ−１）から検出された（ｓ）ＤＣＩによるリソース割当が第２のＴＴＩから検出された（ｓ）ＤＣＩによるリソース割当と同一でないか、これを含まない場合、端末は、第２のＴＴＩにおけるＰＤＳＣＨ（すなわち、第２のＰＤＳＣＨ）をデコーディングすることを期待しない（または、要求されない）ように設定されることができる。または、上記の場合、端末は、第２のＰＤＳＣＨデコーディングをスキップ（ｓｋｉｐ）するように設定されることもできる。このとき、端末は、第２のＰＤＳＣＨに対するＨＡＲＱ−ＡＣＫ情報（例：ＮＡＣＫ情報）を基地局に報告するように規則が定義されることもできる。
【０３０７】
これと関連して、実現的な側面において、上述した基地局の動作は、本明細書の図２２及び図２３に示された基地局装置２２１０、２３１０により具体的に実現されることができる。例えば、上述した基地局の動作は、プロセッサ２２１１、２３１１及び／又はＲＦ（Ｒａｄｉｏ  Ｆｒｅｑｕｅｎｃｙ）ユニット（または、モジュール）２２１３、２３１５により行われることができる。
【０３０８】
無線通信システムにおいてデータチャネル（例：ＰＤＳＣＨ）を送信する基地局は、無線信号を送信するための送信部（ｔｒａｎｓｍｉｔｔｅｒ）、無線信号を受信するための受信部（ｒｅｃｅｉｖｅｒ）、及び前記送信部及び受信部と機能的に連結されるプロセッサを備えることができる。ここで、前記送信部及び前記受信部（または、送受信部）は、無線信号を送受信するためのＲＦユニット（または、モジュール）と称されることができる。
【０３０９】
例えば、プロセッサは、第１のＴＴＩ（例：上述したｓｕｂｓｌｏｔ＃ｎ−１）で、第１のＰＤＳＣＨのスケジューリングのための第１のＤＣＩ（例：上述したｓＤＣＩ）を端末に送信するようにＲＦユニットを制御できる（Ｓ１９０５）。一例として、第１のＤＣＩは、第１のＰＤＳＣＨのためのＤＭＲＳが第１のＴＴＩに存在するか否かを表す情報、第１のＰＤＳＣＨのためのリソース割当（例：ＰＲＢ、ＰＲＧ等）に関する情報などを含むことができる。
【０３１０】
プロセッサは、第２のＴＴＩ（例：上述したｓｕｂｓｌｏｔ＃ｎ）で、第２のＰＤＳＣＨのスケジューリングのための第２のＤＣＩ（例：上述したｓＤＣＩ）を端末に送信するようにＲＦユニットを制御できる（Ｓ１９１０）。一例として、第２のＤＣＩは、第２のＰＤＳＣＨのためのＤＭＲＳが第２のＴＴＩに存在するか否かを表す情報、第２のＰＤＳＣＨのためのリソース割当（例：ＰＲＢ、ＰＲＧ等）に関する情報などを含むことができる。このとき、第２のＴＴＩは、第１のＴＴＩと時間領域（ｔｉｍｅ  ｄｏｍａｉｎ）上で連続して配置される時間単位を意味できる。
【０３１１】
プロセッサは、第１のＤＣＩ及び第２のＤＣＩに基づいてＰＤＳＣＨ（すなわち、第１のＰＤＳＣＨ及び第２のＰＤＳＣＨ）を端末に送信するようにＲＦユニットを制御できる（Ｓ１９１５）。
【０３１２】
このとき、端末は、第１のＤＣＩ及び第２のＤＣＩに基づいて第２のＰＤＳＣＨを受信するか（すなわち、デコーディングするか）否かを決定できる。具体的に、第２のＤＣＩにより第２のＴＴＩで第２のＰＤＳＣＨのＤＭＲＳ不在（ａｂｓｅｎｃｅ）が指示または設定される場合、端末は、第１のＤＣＩに含まれた情報及び第２のＤＣＩに含まれた情報を（全て）考慮して、第２のＰＤＳＣＨの受信可否を決定するように設定されることができる。
【０３１３】
例えば、本実施形態において上述したように、端末が連続した第１のＴＴＩ（例：ｓｕｂｓｌｏｔ＃ｎ−１）及び第２のＴＴＩ（例：ｓｕｂｓｌｏｔ＃ｎ）から検出された（ｓ）ＤＣＩによりそれぞれのＴＴＩでＤＭＲＳが存在しないということを指示または設定された場合、当該端末は、第２のＴＴＩ（例：ｓｕｂｓｌｏｔ＃ｎ）におけるＰＤＳＣＨ（すなわち、第２のＰＤＳＣＨ）をデコーディングすることを期待しないように設定されることができる。または、上記の場合、当該端末は、第２のＰＤＳＣＨデコーディングをスキップ（ｓｋｉｐ）するように設定されることもできる。このとき、当該端末は、第２のＰＤＳＣＨに対するＨＡＲＱ−ＡＣＫ情報（例：ＮＡＣＫ情報）を基地局に報告するように規則が定義されることもできる。
【０３１４】
他に、例えば、本実施形態において上述したように、端末が第２のＴＴＩ（例：ｓｕｂｓｌｏｔ＃ｎ）から検出した（ｓ）ＤＣＩを介して第２のＴＴＩにＤＭＲＳが存在しないと指示された状況で、第１のＴＴＩ（例：ｓｕｂｓｌｏｔ＃ｎ−１）から検出された（ｓ）ＤＣＩによるリソース割当が第２のＴＴＩから検出された（ｓ）ＤＣＩによるリソース割当と同一でないか、これを含まない場合、端末は、第２のＴＴＩにおけるＰＤＳＣＨ（すなわち、第２のＰＤＳＣＨ）をデコーディングすることを期待しない（または、要求されない）ように設定されることができる。または、上記の場合、端末は、第２のＰＤＳＣＨデコーディングをスキップ（ｓｋｉｐ）するように設定されることもできる。このとき、端末は、第２のＰＤＳＣＨに対するＨＡＲＱ−ＡＣＫ情報（例：ＮＡＣＫ情報）を基地局に報告するように規則が定義されることもできる。
【０３１５】
第２実施形態
【０３１６】
次に、ｓｕｂｓｌｏｔ単位の送信がスケジューリングされる場合、ＤＭＲＳ共有（以下、ＤＭＲＳ  ｓｈａｒｉｎｇ）を考慮して、ＰＵＳＣＨを送受信する方法について説明する。本明細書において、ＤＭＲＳ  ｓｈａｒｉｎｇは、（連続してスケジューリング、配置、または割り当てられる）ＰＵＳＣＨ間にＤＭＲＳを共有する方式を意味できる。
【０３１７】
本実施形態においても、先に第１の実施形態において説明された表１０のようなｓｕｂｓｌｏｔ設定（ｃｏｎｆｉｇｕｒａｔｉｏｎ）が適用され得る。例えば、１個のｓｕｂｆｒａｍｅ（または、ｆｒａｍｅ）が２個のｓｌｏｔで構成され、各スロットが３個のｓｕｂｓｌｏｔで構成されることができる。
【０３１８】
具体的に、前記２個のｓｌｏｔのうち１番目のｓｌｏｔ（例：ｓｌｏｔ＃２ｉ）に含まれる３個のｓｕｂｓｌｏｔの場合、１番目のｓｕｂｓｌｏｔ（例：ｓｕｂｓｌｏｔ＃０）は、３個のシンボル（例：ｓｙｍｂｏｌ＃０、＃１、＃２）を含み、２番目のｓｕｂｓｌｏｔ（例：ｓｕｂｓｌｏｔ＃１）は、２個のシンボル（例：ｓｙｍｂｏｌ＃３、＃４）を含み、３番目のｓｕｂｓｌｏｔ（例：ｓｕｂｓｌｏｔ＃２）は、２個のシンボル（例：ｓｙｍｂｏｌ＃５、＃６）を含むことができる。また、前記２個のｓｌｏｔのうち２番目のｓｌｏｔ（例：ｓｌｏｔ＃２ｉ＋１）に含まれる３個のｓｕｂｓｌｏｔの場合、１番目のｓｕｂｓｌｏｔ（例：ｓｕｂｓｌｏｔ＃３）は、３個のシンボル（例：ｓｙｍｂｏｌ＃０、＃１、＃２）を含み、２番目のｓｕｂｓｌｏｔ（例：ｓｕｂｓｌｏｔ＃４）は、２個のシンボル（例：ｓｙｍｂｏｌ＃３、＃４）を含み、３番目のｓｕｂｓｌｏｔ（例：ｓｕｂｓｌｏｔ＃５）は、２個のシンボル（例：ｓｙｍｂｏｌ＃５、＃６）を含むことができる。
【０３１９】
このとき、ＰＵＳＣＨ送信の開始位置（例：開始シンボル）及び／又は当該ＰＵＳＣＨ送信と関連したＤＭＲＳのマッピング位置（例：マッピングシンボル）は、ＤＣＩを介して動的（ｄｙｎａｍｉｃ）に設定及び／又は指示されることができる。以下、本実施形態において言及されるＤＣＩは、上りリンクスケジューリングと関連したＵＬ  ＤＣＩ（すなわち、ＵＬ  ｒｅｌａｔｅｄ  ＤＣＩ）（例：ＤＣＩ  ｆｏｒｍａｔ  ７−０Ａ／７−０Ｂ等）でありうる。
【０３２０】
一般的に、ｓｕｂｓｌｏｔを考慮したＰＵＳＣＨ及びＰＵＳＣＨと関連したＤＭＲＳを物理リソースでマッピングする方法は、次のとおりでありうる。
【０３２１】
まず、ｓｕｂｓｌｏｔ単位のＰＵＳＣＨを物理リソース（ｐｈｙｓｉｃａｌ  ｒｅｓｏｕｒｃｅ）でマッピングする方法について説明する。
【０３２２】
Ｓｕｂｓｌｏｔ単位のＰＵＳＣＨの場合、物理リソースのマッピングの開始（ｓｔａｒｔ）は、ＰＵＳＣＨ送信のために割り当てられたサブフレームにおけるＵＬ  ｓｕｂｓｌｏｔ番号（ｎｕｍｂｅｒ）及び関連したＵＬ  ＤＣＩフォーマット（すなわち、ＵＬ  ｇｒａｎｔ）における特定のフィールド（例：ＤＭＲＳ−ｐａｔｔｅｒｎ  ｆｉｅｌｄ）に基づいて決定されることができる。一例として、ｓｕｂｓｌｏｔ単位のＰＵＳＣＨ送信に対する開始シンボルインデックス（ｌ）は、表１１に表れたように決定されることができる。表１１は、ｓｕｂｓｌｏｔ単位のＰＵＳＣＨ送信に対する開始シンボルインデックス設定の一例を表す。
【０３２３】
【表１１】
2020537420.tif 000098
【０３２４】
例えば、ｓｕｂｓｌｏｔ＃２をスケジューリングするＵＬ  ＤＣＩのＤＭＲＳパターンに関する情報（例：ＤＭＲＳ−ｐａｔｔｅｒｎ  ｆｉｅｌｄ）の値が「０１」を指示する場合、当該ｓｕｂｓｌｏｔ単位のＰＵＳＣＨ送信の開始シンボルは、当該ｓｌｏｔ（すなわち、１番目のｓｌｏｔ）の６番目のシンボル（すなわち、ｓｙｍｂｏｌ＃５）でありうる。他に、例えば、ｓｕｂｓｌｏｔ＃４をスケジューリングするＵＬ  ＤＣＩのＤＭＲＳパターンに関する情報の値が「１１」を指示する場合、当該ｓｕｂｓｌｏｔ単位のＰＵＳＣＨ送信の開始シンボルは、当該ｓｌｏｔ（すなわち、２番目のｓｌｏｔ）の３番目のシンボル（すなわち、ｓｙｍｂｏｌ＃２）でありうる。
【０３２５】
また、Ｓｕｂｓｌｏｔ単位のＰＵＳＣＨ送信及び１ｓｕｂｓｌｏｔの周期（例：ｓｅｍｉＰｅｒｓｉｓｔＳｃｈｅｄＩｎｔｅｒｖａｌＵＬ−ＳＴＴＩ−ｒ１５がｓＴＴＩ１に設定される）に設定された半持続的スケジューリング（ｓｅｍｉ−ｐｅｒｓｉｓｔｅｎｔ  ｓｃｈｅｄｕｌｉｎｇ、ＳＰＳ）（例：ｈｉｇｈｅｒ  ｌａｙｅｒ  ｐａｔａｍｅｔｅｒ  ｓｐｓ−ＣｏｎｆｉｇＵＬ−ｓＴＴＩ−ｒ１５が設定される）の場合、前記マッピングは、関連したＵＬ  ＤＣＩフォーマット（すなわち、ＵＬ  ｇｒａｎｔ）における特定フィールド（例：ＤＭＲＳ−ｐａｔｔｅｒｎ  ｆｉｅｌｄ）に基づくシンボル（ｌ）で始まることができる。一例として、１ｓｕｂｓｌｏｔ周期を有するＳＰＳに設定されたｓｕｂｓｌｏｔ単位のＰＵＳＣＨ送信に対する開始シンボルインデックスは、表１２のように決定されることができる。表１２は、ｓｕｂｓｌｏｔ単位のＰＵＳＣＨ送信に対する開始シンボルインデックス設定の他の一例を表す。
【０３２６】
【表１２】
2020537420.tif 000099
【０３２７】
例えば、ｓｕｂｓｌｏｔ＃２をスケジューリングするＵＬ  ＤＣＩのＤＭＲＳパターンに関する情報の値が「００」を指示する場合、当該ｓｕｂｓｌｏｔ単位のＰＵＳＣＨ送信の開始シンボルは、当該ｓｌｏｔ（すなわち、１番目のｓｌｏｔ）の７番目のシンボル（すなわち、ｓｙｍｂｏｌ＃６）でありうる。他に、例えば、ｓｕｂｓｌｏｔ＃４をスケジューリングするＵＬ  ＤＣＩのＤＭＲＳパターンに関する情報の値が「１０」を指示する場合、当該ｓｕｂｓｌｏｔ単位のＰＵＳＣＨ送信の開始シンボルは、当該ｓｌｏｔ（すなわち、２番目のｓｌｏｔ）の４番目のシンボル（すなわち、ｓｙｍｂｏｌ＃３）でありうる。
【０３２８】
また、１ｓｕｂｓｌｏｔより大きい周期を有するＳＰＳに設定されたｓｕｂｓｌｏｔ単位のＰＵＳＣＨの場合、上述したＰＵＳＣＨマッピングは、上述した表１２において「ＤＭＲＳ−ｐａｔｔｅｒｎ  ｆｉｅｌｄ  ｉｎ  ｕｐｌｉｎｋ  ｒｅｌａｔｅｄ  ＤＣＩ  ｆｏｒｍａｔ」が「００」に設定される場合によるシンボル（ｌ）で始まることができる。
【０３２９】
次に、Ｓｕｂｓｌｏｔ単位のＰＵＳＣＨと関連したＤＭＲＳを物理リソースでマッピングする方法について説明する。
【０３３０】
ＰＵＳＣＨの送信に利用される各アンテナポート（ａｎｔｅｎｎａ）に対し、ＰＵＳＣＨのシーケンス
2020537420.tif 000100
は、振幅スケーリング因子（ａｍｐｌｉｔｕｄｅ  ｓｃａｌｉｎｇ  ｆａｃｔｏｒ）
2020537420.tif 000101
で乗算され、リソースブロック（ｒｅｓｏｕｒｃｅ  ｂｌｏｃｋ、ＲＢ）（等）に
2020537420.tif 000102
を始めとして順次マッピングされることができる。ここで、ｉ）上位層パラメータｕｌ−ＤＭＲＳ−ＩＦＤＭＡが設定され、最新のＵＬ  ＤＣＩが下記の表１３の利用を指示する循環シフト（ｃｙｃｌｉｃ  ｓｈｉｆｔ）マッピング関連フィールド（例：Ｃｙｃｌｉｃ  ｓｈｉｆｔ  Ｆｉｅｌｄ  ｍａｐｐｉｎｇ  ｔａｂｌｅ  ｆｏｒ  ＤＭＲＳ  ｂｉｔ  ｆｉｅｌｄ）を含む場合、またはｉｉ）循環シフトマッピング関連フィールドが下記の表１４の利用を指示する最新のＵＬ  ＤＣＩ  ｆｏｒｍａｔ  ７で設定された場合のうち、いずれか１つであれば、
2020537420.tif 000103
である。そうでない場合、
2020537420.tif 000104
である。
【０３３１】
表１３は、循環シフト（ｃｙｃｌｉｃ  ｓｈｉｆｔ）関連フィールドのマッピング関係に対する一例を表す。
【０３３２】
【表１３】
2020537420.tif 000105
【０３３３】
表１４は、ｓｕｂｓｌｏｔ単位のＰＵＳＣＨ及び／又はｓｌｏｔ単位のＰＵＳＣＨに対する一例を表す。
【０３３４】
【表１４】
2020537420.tif 000106
【０３３５】
このとき、上位層パラメータｕｌ−ＤＭＲＳ−ＩＦＤＭＡが設定され、最新のＵＬ  ＤＣＩが前記表１３の利用を指示する循環シフトマッピング関連フィールド（例：Ｃｙｃｌｉｃ  ｓｈｉｆｔ  Ｆｉｅｌｄ  ｍａｐｐｉｎｇ  ｔａｂｌｅ  ｆｏｒ  ＤＭＲＳ  ｂｉｔ  ｆｉｅｌｄ）を含む場合、リソースエレメント（ｒｅｓｏｕｒｃｅ  ｅｌｅｍｅｎｔ、ＲＥ）（例：（ｋ、ｌ））へのＰＵＳＣＨマッピングは、
2020537420.tif 000107
を満たすｋ（すなわち、周波数リソースインデックス）の全ての値に対してｋを先に増加する順序で行われることができる。ここで、一般循環プレフィックス（ｎｏｒｍａｌ  ｃｙｃｌｉｃ  ｐｒｅｆｉｘ）の場合、ｌ＝３であり、拡張循環プレフィックス（ｅｘｔｅｎｄｅｄ  ｃｙｃｌｉｃ  ｐｒｅｆｉｘ）の場合、ｌ＝２であり、
2020537420.tif 000108
は、前記表１３により与えられることができる。
【０３３６】
また、ｓｕｂｓｌｏｔ単位のＰＵＳＣＨの場合、リソースエレメントへのＰＵＳＣＨマッピングは、循環シフトマッピング関連フィールドが前記表１４の利用を指示する最新のＵＬ  ＤＣＩ  ｆｏｒｍａｔ  ７で設定された場合を除いては、ｋの全ての値に対してｋを先に増加する順序で行われることができる。この場合、当該マッピングは、
2020537420.tif 000109
を満たすｋの値に対してのみ先に増加する順序で行われる必要がある。
【０３３７】
このとき、前記ｌ（すなわち、時間リソースインデックス）は、下記の表１５または表１６によって、ＵＬ  ｓｕｂｓｌｏｔ番号（ｕｐｌｉｎｋ  ｓｕｂｓｌｏｔ  ｎｕｍｂｅｒ）及び最新のＵＬ  ＤＣＩのＤＭＲＳパターンに関する情報（例：ＤＭＲＳ−ｐａｔｔｅｒｎ  ｆｉｅｌｄ）に基づいて設定されることができる。
【０３３８】
表１５は、ｓｕｂｓｌｏｔ単位のＰＵＳＣＨに対するＤＭＲＳ送信（または、マッピング）シンボルインデックス設定の一例を示す。
【０３３９】
【表１５】
2020537420.tif 000110
【０３４０】
例えば、ｓｕｂｓｌｏｔ＃１をスケジューリングするＵＬ  ＤＣＩのＤＭＲＳパターンに関する情報の値が「０１」を指示する場合、当該ｓｕｂｓｌｏｔ単位のＰＵＳＣＨ送信に対するＤＭＲＳは、当該ｓｌｏｔ（すなわち、１番目のｓｌｏｔ）の５番目のシンボル（すなわち、ｓｙｍｂｏｌ＃４）で送信されるように（または、マッピングされるように）端末に設定及び／又は指示されることができる。他に、例えば、ｓｕｂｓｌｏｔ＃４をスケジューリングするＵＬ  ＤＣＩのＤＭＲＳパターンに関する情報の値が「１１」を指示する場合、当該ｓｕｂｓｌｏｔ単位のＰＵＳＣＨ送信に対するＤＭＲＳは、当該ｓｌｏｔ（すなわち、２番目のｓｌｏｔ）の５番目のシンボル（すなわち、ｓｙｍｂｏｌ＃４）でありうる。から送信されるように（または、マッピングされるように）端末に設定及び／又は指示されることができる。
【０３４１】
表１６は、ｓｕｂｓｌｏｔ単位のＰＵＳＣＨに対するＤＭＲＳ送信（または、マッピング）シンボルインデックス設定の他の一例を表す。表１６では、Ｓｕｂｓｌｏｔ単位のＰＵＳＣＨ送信が１ｓｕｂｓｌｏｔの周期（例：ｓｅｍｉＰｅｒｓｉｓｔＳｃｈｅｄＩｎｔｅｒｖａｌＵＬ−ＳＴＴＩ−ｒ１５がｓＴＴＩ１に設定される）に設定された半持続的スケジューリング（ＳＰＳ）（例：ｈｉｇｈｅｒ  ｌａｙｅｒ  ｐａｔａｍｅｔｅｒ  ｓｐｓ−ＣｏｎｆｉｇＵＬ−ｓＴＴＩ−ｒ１５が設定される）に設定された場合が仮定される。
【０３４２】
【表１６】
2020537420.tif 000111
【０３４３】
例えば、ｓｕｂｓｌｏｔ＃２をスケジューリングするＵＬ  ＤＣＩのＤＭＲＳパターンに関する情報の値が「００」を指示する場合、当該ｓｕｂｓｌｏｔ単位のＰＵＳＣＨ送信に対するＤＭＲＳは、当該ｓｌｏｔ（すなわち、１番目のｓｌｏｔ）の６番目のシンボル（すなわち、ｓｙｍｂｏｌ＃５）で送信されるように（または、マッピングされるように）端末に設定及び／又は指示されることができる。他に、例えば、ｓｕｂｓｌｏｔ＃４をスケジューリングするＵＬ  ＤＣＩのＤＭＲＳパターンに関する情報の値が「１０」を指示する場合、当該ｓｕｂｓｌｏｔ単位のＰＵＳＣＨ送信に対するＤＭＲＳは、当該ｓｌｏｔ（すなわち、２番目のｓｌｏｔ）の３番目のシンボル（すなわち、ｓｙｍｂｏｌ＃２）から送信されるように（または、マッピングされるように）端末に設定及び／又は指示されることができる。
【０３４４】
また、１ｓｕｂｓｌｏｔより大きい周期を有するＳＰＳに設定されたｓｕｂｓｌｏｔ単位のＰＵＳＣＨの場合、上述したＤＭＲＳマッピングは、前記表１６においてＤＭＲＳパターンに関する情報が「００」に設定される場合によるシンボル（ｌ）で始まることができる。また、ＵＬ  ｓｕｂｓｌｏｔ番号に対して定義されたシンボル（ｌ）値がない場合、及び有効な開始シンボルインデックスがない場合、ＵＬ関連ＤＣＩフォーマットと連関して参照信号（例：ＤＭＲＳ）は送信されないことができる。
【０３４５】
上述したように、ＤＣＩ（例：ＵＬ  ＤＣＩ）を介してスケジューリングされるＰＵＳＣＨに対して、当該ＰＵＳＣＨに対するＤＭＲＳがマッピングされるシンボル（すなわち、ＯＦＤＭシンボル）に関する情報が動的（ｄｙｎａｍｉｃ）に設定及び／又は指示されることができる。言い換えれば、基地局は、ＵＬグラントなどを介して、端末にＰＵＳＣＨのＤＭＲＳマッピング位置を動的に設定及び／又は指示することができる。
【０３４６】
ただし、この場合、特定設定及び／又は指示の組み合わせによっては、端末の動作が不明確になるという問題が生じる可能性がある。
【０３４７】
例えば、前記表１５を参考すれば、ｓｕｂｓｌｏｔ＃１をスケジューリングするＤＣＩ（例：ＵＬ  ｇｒａｎｔ  ＤＣＩ）でＤＭＲＳパターンに関する情報（例：ＤＭＲＳ−ｐａｔｔｅｒｎ  ｆｉｅｌｄ）が「１１」に指示された場合、端末は、当該指示を｛Ｄ  Ｄ｜Ｒ｝パターンと認識することができる。ここで、「Ｄ」は、データ（Ｄａｔａ）がマッピングされたシンボルを意味し、「Ｒ」は、参照信号（Ｒｅｆｅｒｅｎｃｅ  ｓｉｇｎａｌ）（例：ＤＭＲＳ）がマッピングされたシンボルを意味し、「｜」は、ｓｕｂｓｌｏｔ間の境界（ｂｏｕｎｄａｒｙ）を意味できる。言い換えれば、端末が前記のような指示を受けた場合、当該端末は、ｓｕｂｓｌｏｔ＃１の２つのシンボルにＰＵＳＣＨデータをマッピングし、ｓｕｂｓｌｏｔ＃２の１番目のシンボルにＤＭＲＳをマッピングしてＰＵＳＣＨ送信を行うように設定されることができる。
【０３４８】
このとき、追加的に、ｓｕｂｓｌｏｔ＃２をスケジューリングするＤＣＩ（例：ＵＬ  ｇｒａｎｔ  ＤＣＩ）でＤＭＲＳパターンに関する情報が「０１」に指示される場合、端末は、当該指示を｛Ｄ  Ｄ｝パターンと認識することができる。言い換えれば、端末が追加的に前記のような指示を受けた場合、当該端末は、ｓｕｂｓｌｏｔ＃２の２つのシンボルにＰＵＳＣＨデータをマッピングしてＰＵＳＣＨ送信を行うように設定されることができる。
【０３４９】
この場合、ｓｕｂｓｌｏｔ＃２の１番目のシンボル（すなわち、ｓｙｍｂｏｌ＃５）は、端末が以前に受信したＤＣＩによりＤＭＲＳ送信用途で設定されていたので、端末が設定及び／又は指示が衝突されるシンボルでＤＭＲＳを送信するか、またはＰＵＳＣＨデータを送信するかに対する曖昧性（ａｍｂｉｇｕｉｔｙ）が発生しうる。
【０３５０】
他に、例えば、前記例示の場合において、ｓｕｂｓｌｏｔ＃２をスケジューリングするＤＣＩでＤＭＲＳパターンに関する情報が「００」に指示される場合、端末は、当該指示を｛Ｒ  Ｄ｝パターンと認識することができる。言い換えれば、端末が前記のような指示を受けた場合、当該端末は、ｓｕｂｓｌｏｔ＃２の１番目のシンボルにＤＭＲＳをマッピングし、２番目のシンボルにはＰＵＳＣＨデータをマッピングしてＰＵＳＣＨ送信を行うように設定されることができる。この場合、前記例示のような曖昧性は発生しない。
【０３５１】
しかし、ｓｕｂｓｌｏｔ＃１をスケジューリングするＤＣＩによる情報とｓｕｂｓｌｏｔ＃２をスケジューリングするＤＣＩによる情報とが相違した場合、端末動作の側面での曖昧性が発生しうる。ここで、ｓｕｂｓｌｏｔ＃１をスケジューリングするＤＣＩによる情報及び／又はｓｕｂｓｌｏｔ＃２をスケジューリングするＤＣＩによる情報は、循環シフト（ｃｙｃｌｉｃ  ｓｈｉｆｔ）に関する情報、ＩＦＤＭＡ（Ｉｎｔｅｒｌｅａｖｅｄ  Ｆｒｅｑｕｅｎｃｙ  Ｄｉｖｉｓｉｏｎ  Ｍｕｌｔｉｐｌｅ  Ａｃｃｅｓｓ）コーム（ｃｏｍｂ）に関する情報、ＰＵＳＣＨに対するリソース割当情報、プリコーディング情報、及び／又はレイヤ（ｌａｙｅｒ）の数のうち、少なくとも１つを含むことができる。
【０３５２】
言い換えれば、ｓｕｂｓｌｏｔ＃１をスケジューリングするＤＣＩによる情報とｓｕｂｓｌｏｔ＃２をスケジューリングするＤＣＩによる情報とが相違した場合、端末が２つのＤＣＩのうち、いずれかのＤＣＩで指示される循環シフト、ＩＦＤＭＡコーム、リソース割当、プリコーディング情報、及び／又はレイヤの数に基づいてｓｕｂｓｌｏｔ＃２の１番目のシンボルでＤＭＲＳを送信するかに対する曖昧性が発生しうる。
【０３５３】
したがって、上記のように、特定ＤＭＲＳ送信に対する複数ＤＣＩでの矛盾（ｉｎｃｏｎｓｉｓｔｅｎｔ）する設定及び／又は指示を受信した端末の動作が定義される必要がある。上述した曖昧性を解決するために、以下、本実施形態では、特定ＤＭＲＳ送信に対する複数ＤＣＩでの矛盾する設定及び／又は指示を受信した端末の動作方法を提案する。
【０３５４】
以下に説明される方法等の一部構成及び／又は動作は、他の方法の構成及び／又は動作と置き換えられるか、相互の間で組み合わせられて適用され得ることはもちろんである。また、説明の都合のために、ｓｕｂｓｌｏｔ単位のＰＵＳＣＨスケジューリングに対することを基準に説明されるが、他の送信時間単位（例：ｆｒａｍｅ、ｓｌｏｔ、ｓｙｍｂｏｌ等）及び／又は他のチャネル（例：ＰＤＳＣＨ、ＰＵＣＣＨ等）のスケジューリングにも拡張して適用され得ることはもちろんである。
【０３５５】
方法１）
【０３５６】
端末が、特定ＤＭＲＳ送信に対してｓｕｂｓｌｏｔ＃ｎとｓｕｂｓｌｏｔ＃ｎ＋ｋで送信されるＰＵＳＣＨをスケジューリングする複数ＤＣＩで上述したように、矛盾（ｉｎｃｏｎｓｉｓｔｅｎｔ）する（すなわち、一致しない（ｎｏｎ−ｉｄｅｎｔｉｃａｌ））設定及び／又は指示を受信する場合を仮定しよう。ここで、ｎは、０を含む正の整数（ｐｏｓｉｔｉｖｅ  ｉｎｔｅｇｅｒ）を意味し、ｋは、０より大きい正の整数である。すなわち、ｓｕｂｓｌｏｔ＃ｎ＋ｋは、ｓｕｂｓｌｏｔ＃ｎ以後のｋ番目のｓｕｂｓｌｏｔを意味できる。
【０３５７】
この場合、端末が複数のＤＣＩのうち、先に送信されるＰＵＳＣＨ（すなわち、ｓｕｂｓｌｏｔ＃ｎにおけるＰＵＳＣＨ）をスケジューリングするＤＣＩによる情報を活用してＤＭＲＳを送信するように設定する方法が考慮され得る。すなわち、端末は、後で送信されるＰＵＳＣＨ（すなわち、ｓｕｂｓｌｏｔ＃ｎ＋ｋにおけるＰＵＳＣＨ）をスケジューリングするＤＣＩによる情報を無視（ｄｉｓｃａｒｄ）するように設定されることができる。このとき、ＤＭＲＳは、ｓｕｂｓｌｏｔ＃ｎ＋ｋの特定シンボルで送信されるものでありうる。
【０３５８】
例えば、端末が複数ＤＣＩを介して矛盾する設定及び／又は指示を受信する場合、端末は、複数ＤＣＩのうち、先に送信されるＰＵＳＣＨをスケジューリングするＤＣＩにより指示されるＤＭＲＳパターンに関する情報、循環シフトに関する情報、ＩＦＤＭＡコームに関する情報、リソース割当（例：ＰＵＳＣＨ  ＲＢ（ｓ））に関する情報、プリコーディングに関する情報、レイヤの数に関する情報、及び／又はＴＰＣ（Ｔｒａｎｓｍｉｔ  Ｐｏｗｅｒ  Ｃｏｎｔｒｏｌ）に関する情報（例：ＴＰＣ  ｆｉｅｌｄ）などのうち、少なくとも１つを活用して、ＰＵＳＣＨ（ここには、ＰＵＳＣＨに対するＤＭＲＳも含まれることができる）を送信できる。
【０３５９】
なお、上記の場合、ｓｕｂｓｌｏｔ＃ｎ＋ｋでデータ（すなわち、ＰＵＳＣＨ  ｄａｔａ、ＵＬ−ＳＣＨ）が送信されないように規則が設定及び／又は定義されることもできる。
【０３６０】
方法２）
【０３６１】
端末が、特定ＤＭＲＳ送信に対してｓｕｂｓｌｏｔ＃ｎとｓｕｂｓｌｏｔ＃ｎ＋ｋとで受信された複数ＤＣＩ（すなわち、ＰＵＳＣＨスケジューリングのためのＵＬ  ＤＣＩ）で上述したように、矛盾（ｉｎｃｏｎｓｉｓｔｅｎｔ）する（すなわち、一致しない（ｎｏｎ−ｉｄｅｎｔｉｃａｌ））設定及び／又は指示を受信する場合を仮定しよう。ここで、ｎは、０を含む正の整数（ｐｏｓｉｔｉｖｅ  ｉｎｔｅｇｅｒ）を意味し、ｋは、０より大きい正の整数である。すなわち、ｓｕｂｓｌｏｔ＃ｎ＋ｋは、ｓｕｂｓｌｏｔ＃ｎ以後のｋ番目のｓｕｂｓｌｏｔを意味できる。
【０３６２】
この場合、端末が複数のＤＣＩのうち、先に受信されたＤＣＩ（すなわち、ｓｕｂｓｌｏｔ＃ｎで受信されたＤＣＩ）による情報を活用してＤＭＲＳを送信するように設定する方法が考慮され得る。すなわち、端末は、後で受信されたＤＣＩ（すなわち、ｓｕｂｓｌｏｔ＃ｎ＋ｋで受信されたＤＣＩ）による情報を無視（ｄｉｓｃａｒｄ）するように設定されることができる。このとき、ＤＭＲＳは、ｓｕｂｓｌｏｔ＃ｎ＋ｋで受信されたＤＣＩがスケジューリングする送信時間単位（ｔｒａｎｓｍｉｓｓｉｏｎ  ｔｉｍｅ  ｉｎｔｅｒｖａｌ）（例：ｓｕｂｓｌｏｔ＃ｎ＋ｋ＋ｍ、ここで、ｍは、正の整数）で送信されるものでありうる。
【０３６３】
例えば、端末が複数ＤＣＩを介して矛盾する設定及び／又は指示を受信する場合、端末は、複数ＤＣＩのうち、先に受信されたＤＣＩにより指示されるＤＭＲＳパターンに関する情報、循環シフトに関する情報、ＩＦＤＭＡコームに関する情報、リソース割当（例：ＰＵＳＣＨ  ＲＢ（ｓ））に関する情報、プリコーディングに関する情報、レイヤの数に関する情報、及び／又はＴＰＣに関する情報（例：ＴＰＣ  ｆｉｅｌｄ）などのうち、少なくとも１つを活用して、ＰＵＳＣＨ（ここには、ＰＵＳＣＨに対するＤＭＲＳも含まれることができる）を送信できる。
【０３６４】
なお、上記の場合、ｓｕｂｓｌｏｔ＃ｎ＋ｋでデータ（すなわち、ＰＵＳＣＨ  ｄａｔａ、ＵＬ−ＳＣＨ）が送信されないように規則が設定及び／又は定義されることもできる。
【０３６５】
以下、図２０及び図２１と、これについての説明は、上述した本実施形態において提案するデータチャネル（例：ＰＤＳＣＨ、ＰＵＳＣＨ等）の送受信を行う端末の動作方法及び装置と基地局の動作方法及び装置に関するものである。図２０及び図２１における方法は、説明の都合のために、ＰＵＳＣＨの場合を基準に説明されるが、このような方法が無線通信システムにおいて利用される様々なデータチャネル及び／又は復調参照信号に対しても拡張して適用され得ることはもちろんである。
【０３６６】
図２０は、本実施形態において提案する方法が適用され得る上りリンクデータチャネルを送信する端末の動作順序図の一例を示す。図２０は、単に説明の都合のためのものであり、本発明の範囲を制限するものではない。
【０３６７】
図２０に示すように、端末及び／又は基地局は、特定送信時間単位（ｔｒａｎｓｍｉｓｓｉｏｎ  ｔｉｍｅ  ｕｎｉｔ）（例：上述したｓｕｂｓｌｏｔ単位）のＰＵＳＣＨ送受信を行う場合が仮定され、上述した方法１）及び／又は方法２）に基づいてＰＵＳＣＨ（すなわち、データ及び／又はＤＭＲＳ）送受信が行われる場合が仮定される。
【０３６８】
端末は、基地局から、ｎ番目の送信時間単位（ｔｒａｎｓｍｉｓｓｉｏｎ  ｔｉｍｅ  ｕｎｉｔ）で前記上りリンクデータチャネルをスケジューリングするための第１の下りリンク制御情報（ｄｏｗｎｌｉｎｋ  ｃｏｎｔｒｏｌ  ｉｎｆｏｒｍａｔｉｏｎ、ＤＣＩ）を受信することができる（Ｓ２００５）。例えば、前記第１のＤＣＩは、上述した方法１）における先に送信されるＰＵＳＣＨをスケジューリングするＤＣＩ及び／又は上述した方法２）における先に受信されたＤＣＩに該当することができる。
【０３６９】
端末は、基地局から、ｎ＋ｋ番目の送信時間単位（ｔｒａｎｓｍｉｓｓｉｏｎ  ｔｉｍｅ  ｕｎｉｔ）で前記上りリンクデータチャネルをスケジューリングするための第２の下りリンク制御情報（ｄｏｗｎｌｉｎｋ  ｃｏｎｔｒｏｌ  ｉｎｆｏｒｍａｔｉｏｎ、ＤＣＩ）を受信することができる（Ｓ２０１０）。例えば、前記第２のＤＣＩは、上述した方法１）における後で送信されるＰＵＳＣＨをスケジューリングするＤＣＩ及び／又は上述した方法２）における後で受信されたＤＣＩに該当することができる。
【０３７０】
例えば、上述した方法１）及び／又は方法２）のように、前記第１のＤＣＩ及び前記第２のＤＣＩは、各々上りリンクデータチャネルと関連したＤＭＲＳ（Ｄｅｍｏｄｕｌａｔｉｏｎ  Ｒｅｆｅｒｅｎｃｅ  Ｓｉｇｎａｌ）パターン（ｐａｔｔｅｒｎ）に関する情報（例：ＤＭＲＳ−ｐａｔｔｅｒｎ  ｆｉｅｌｄ）、循環シフト（ｃｙｃｌｉｃ  ｓｈｉｆｔ）に関する情報、ＩＦＤＭＡ（Ｉｎｔｅｒｌｅａｖｅｄ  Ｆｒｅｑｕｅｎｃｙ  Ｄｉｖｉｓｉｏｎ  Ｍｕｌｔｉｐｌｅ  Ａｃｃｅｓｓ）コーム（ｃｏｍｂ）に関する情報、リソース割当（ｒｅｓｏｕｒｃｅ  ａｌｌｏｃａｔｉｏｎ）に関する情報（例：ＰＵＳＣＨ  ＲＢ（ｓ））、プリコーディング（ｐｒｅｃｏｄｉｎｇ）に関する情報、レイヤの数に関する情報、及び／又はＴＰＣに関する情報（例：ＴＰＣ  ｆｉｅｌｄ）などのうち、少なくとも１つを含むことができる。
【０３７１】
このとき、前記第１のＤＣＩによる情報が前記第２のＤＣＩによる情報と矛盾する場合が存在しうる。ここで、前記第１のＤＣＩによる情報は、前記第１のＤＣＩにより設定及び／又は指示される情報を意味し、前記第２のＤＣＩによる情報は、前記第２のＤＣＩにより設定及び／又は指示される情報を意味できる。
【０３７２】
例えば、上述した方法１）及び／又は方法２）のように、前記第１のＤＣＩによる情報が前記第２のＤＣＩによる情報と矛盾する場合は、ｉ）前記ＤＭＲＳパターンに関する情報が矛盾する場合及び／又はｉｉ）前記循環シフトに関する情報、前記ＩＦＤＭＡコームに関する情報、前記リソース割当に関する情報、前記プリコーディング（ｐｒｅｃｏｄｉｎｇ）に関する情報、前記レイヤの数に関する情報、及び／又は前記ＴＰＣに関する情報（例：ＴＰＣ  ｆｉｅｌｄ）などのうち、少なくとも１つが矛盾する場合でありうる。
【０３７３】
具体的な例として、前記ｉ）の場合において、前記第１のＤＣＩに含まれたＤＭＲＳパターンは、前記ｎ＋ｋ番目の送信時間単位における１番目のシンボルで前記上りリンクデータチャネルに対するＤＭＲＳ送信を表し、前記第２のＤＣＩに含まれたＤＭＲＳパターンは、前記ｎ＋ｋ番目の送信時間単位の１番目のシンボルで前記上りリンクデータチャネルに対するＤＭＲＳ送信を表さないことができる。また、前記ｉｉ）の場合において、前記第１のＤＣＩに含まれたＤＭＲＳパターン及び前記第２のＤＣＩに含まれたＤＭＲＳパターンは、（全て）前記ｎ＋ｋ番目の送信時間単位における１番目のシンボルで前記上りリンクデータチャネルのＤＭＲＳ送信を表すことが前提になることもできる。
【０３７４】
上述したように、前記第１のＤＣＩによる情報が前記第２のＤＣＩによる情報と矛盾する場合、端末は、基地局に、前記第１のＤＣＩに基づく上りリンクデータチャネルを送信できる（Ｓ２０１５）。例えば、上述した方法１）のように、端末は、先に送信されるＰＵＳＣＨをスケジューリングするＤＣＩに基づいてＰＵＳＣＨ（すなわち、ＰＵＳＣＨデータ及び／又はＰＵＳＣＨ  ＤＭＲＳ）を送信できる。他に、例えば、上述した方法２）のように、端末は、先に受信されたＤＣＩに基づいてＰＵＳＣＨ（すなわち、ＰＵＳＣＨデータ及び／又はＰＵＳＣＨ  ＤＭＲＳ）を送信できる。この場合、前記第２のＤＣＩは、前記端末により（上りリンクデータチャネルの送信において）無視されることができる。
【０３７５】
また、上述したように、上述したＳ２００５ステップ及びＳ２０１０ステップにおいて前記ｋは１であり、前記ｎ番目の送信時間単位は、前記ｎ＋ｋ番目の送信時間単位と連続して配置されることができる。
【０３７６】
また、上述したように、前記ｎ番目の送信時間単位及び前記ｎ＋ｋ番目の送信時間単位は、各々２つまたは３つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（ｓｙｍｂｏｌ）を含むサブスロット（ｓｕｂｓｌｏｔ）でありうる。
【０３７７】
これと関連して、実現的な側面において、上述した端末の動作は、本明細書の図２２及び図２３に示された端末装置２２２０、２２２０により具体的に実現されることができる。例えば、上述した端末の動作は、プロセッサ２２２１、２３２１及び／又はＲＦ（Ｒａｄｉｏ  Ｆｒｅｑｕｅｎｃｙ）ユニット（または、モジュール）２２２３、２３２５により行われることができる。
【０３７８】
無線通信システムにおいてデータチャネル（例：ＰＤＳＣＨ）を受信する端末は、無線信号を送信するための送信部（ｔｒａｎｓｍｉｔｔｅｒ）、無線信号を受信するための受信部（ｒｅｃｅｉｖｅｒ）、及び前記送信部及び受信部と機能的に連結されるプロセッサを備えることができる。ここで、前記送信部及び前記受信部（または、送受信部）は、無線信号を送受信するためのＲＦユニット（または、モジュール）と称されることができる。
【０３７９】
例えば、プロセッサは、基地局から、ｎ番目の送信時間単位（ｔｒａｎｓｍｉｓｓｉｏｎ  ｔｉｍｅ  ｕｎｉｔ）で前記上りリンクデータチャネルをスケジューリングするための第１の下りリンク制御情報（ｄｏｗｎｌｉｎｋ  ｃｏｎｔｒｏｌ  ｉｎｆｏｒｍａｔｉｏｎ、ＤＣＩ）を受信するようにＲＦユニットを制御できる。例えば、前記第１のＤＣＩは、上述した方法１）における先に送信されるＰＵＳＣＨをスケジューリングするＤＣＩ及び／又は上述した方法２）における先に受信されたＤＣＩに該当することができる。
【０３８０】
プロセッサは、基地局から、ｎ＋ｋ番目の送信時間単位（ｔｒａｎｓｍｉｓｓｉｏｎ  ｔｉｍｅ  ｕｎｉｔ）で前記上りリンクデータチャネルをスケジューリングするための第２の下りリンク制御情報（ｄｏｗｎｌｉｎｋ  ｃｏｎｔｒｏｌ  ｉｎｆｏｒｍａｔｉｏｎ、ＤＣＩ）を受信するようにＲＦユニットを制御できる。例えば、前記第２のＤＣＩは、上述した方法１）における後で送信されるＰＵＳＣＨをスケジューリングするＤＣＩ及び／又は上述した方法２）における後で受信されたＤＣＩに該当することができる。
【０３８１】
例えば、上述した方法１）及び／又は方法２）のように、前記第１のＤＣＩ及び前記第２のＤＣＩは、各々上りリンクデータチャネルと関連したＤＭＲＳ（Ｄｅｍｏｄｕｌａｔｉｏｎ  Ｒｅｆｅｒｅｎｃｅ  Ｓｉｇｎａｌ）パターン（ｐａｔｔｅｒｎ）に関する情報（例：ＤＭＲＳ−ｐａｔｔｅｒｎ  ｆｉｅｌｄ）、循環シフト（ｃｙｃｌｉｃ  ｓｈｉｆｔ）に関する情報、ＩＦＤＭＡ（Ｉｎｔｅｒｌｅａｖｅｄ  Ｆｒｅｑｕｅｎｃｙ  Ｄｉｖｉｓｉｏｎ  Ｍｕｌｔｉｐｌｅ  Ａｃｃｅｓｓ）コーム（ｃｏｍｂ）に関する情報、リソース割当（ｒｅｓｏｕｒｃｅ  ａｌｌｏｃａｔｉｏｎ）に関する情報（例：ＰＵＳＣＨ  ＲＢ（ｓ））、プリコーディング（ｐｒｅｃｏｄｉｎｇ）に関する情報及び／又はレイヤ（ｌａｙｅｒ）の数に関する情報、及び／又はＴＰＣに関する情報（例：ＴＰＣ  ｆｉｅｌｄ）などのうち、少なくとも１つを含むことができる。
【０３８２】
このとき、前記第１のＤＣＩによる情報が前記第２のＤＣＩによる情報と矛盾する場合が存在しうる。ここで、前記第１のＤＣＩによる情報は、前記第１のＤＣＩにより設定及び／又は指示される情報を意味し、前記第２のＤＣＩによる情報は、前記第２のＤＣＩにより設定及び／又は指示される情報を意味できる。
【０３８３】
例えば、上述した方法１）及び／又は方法２）のように、前記第１のＤＣＩによる情報が前記第２のＤＣＩによる情報と矛盾する場合は、ｉ）前記ＤＭＲＳパターンに関する情報が矛盾する場合及び／又はｉｉ）前記循環シフトに関する情報、前記ＩＦＤＭＡコームに関する情報、前記リソース割当に関する情報、前記プリコーディング（ｐｒｅｃｏｄｉｎｇ）に関する情報、前記レイヤの数に関する情報、及び／又は前記ＴＰＣに関する情報（例：ＴＰＣ  ｆｉｅｌｄ）などのうち、少なくとも１つが矛盾する場合でありうる。
【０３８４】
具体的な例として、前記ｉ）の場合において、前記第１のＤＣＩに含まれたＤＭＲＳパターンは、前記ｎ＋ｋ番目の送信時間単位における１番目のシンボルで前記上りリンクデータチャネルに対するＤＭＲＳ送信を表し、前記第２のＤＣＩに含まれたＤＭＲＳパターンは、前記ｎ＋ｋ番目の送信時間単位の１番目のシンボルで前記上りリンクデータチャネルに対するＤＭＲＳ送信を表さないことができる。また、前記ｉｉ）の場合において、前記第１のＤＣＩに含まれたＤＭＲＳパターン及び前記第２のＤＣＩに含まれたＤＭＲＳパターンは、（全て）前記ｎ＋ｋ番目の送信時間単位における１番目のシンボルで前記上りリンクデータチャネルのＤＭＲＳ送信を表すことが前提になることもできる。
【０３８５】
上述したように、前記第１のＤＣＩによる情報が前記第２のＤＣＩによる情報と矛盾する場合、プロセッサは、基地局に、前記第１のＤＣＩに基づく上りリンクデータチャネルを送信するようにＲＦユニットを制御できる。例えば、上述した方法１）のように、プロセッサは、先に送信されるＰＵＳＣＨをスケジューリングするＤＣＩに基づいてＰＵＳＣＨ（すなわち、ＰＵＳＣＨデータ及び／又はＰＵＳＣＨ  ＤＭＲＳ）を送信するようにＲＦユニットを制御できる。他に、例えば、上述した方法２）のように、プロセッサは、先に受信されたＤＣＩに基づいてＰＵＳＣＨ（すなわち、ＰＵＳＣＨデータ及び／又はＰＵＳＣＨ  ＤＭＲＳ）を送信するようにＲＦユニットを制御できる。この場合、前記第２のＤＣＩは、前記端末により（上りリンクデータチャネルの送信において）無視されることができる。
【０３８６】
また、上述したように、前記ｋは１であり、前記ｎ番目の送信時間単位は、前記ｎ＋ｋ番目の送信時間単位と連続して配置されることができる。
【０３８７】
また、上述したように、前記ｎ番目の送信時間単位及び前記ｎ＋ｋ番目の送信時間単位は、各々２つまたは３つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（ｓｙｍｂｏｌ）を含むサブスロット（ｓｕｂｓｌｏｔ）でありうる。
【０３８８】
図２１は、本実施形態において提案する方法が適用され得る上りリンクデータチャネルを受信する基地局の動作順序図の一例を示す。図２１は、単に説明の都合のためのものであり、本発明の範囲を制限するものではない。
【０３８９】
図２１に示すように、端末及び／又は基地局は、特定の送信時間単位（ｔｒａｎｓｍｉｓｓｉｏｎ  ｔｉｍｅ  ｕｎｉｔ）（例：上述したｓｕｂｓｌｏｔ単位）のＰＵＳＣＨ送受信を行う場合が仮定され、上述した方法１）及び／又は方法２）に基づいてＰＵＳＣＨ（すなわち、データ及び／又はＤＭＲＳ）送受信が行われる場合が仮定される。
【０３９０】
基地局は、端末に、ｎ番目の送信時間単位（ｔｒａｎｓｍｉｓｓｉｏｎ  ｔｉｍｅ  ｕｎｉｔ）で前記上りリンクデータチャネルをスケジューリングするための第１の下りリンク制御情報（ｄｏｗｎｌｉｎｋ  ｃｏｎｔｒｏｌ  ｉｎｆｏｒｍａｔｉｏｎ、ＤＣＩ）を送信できる（Ｓ２１０５）。例えば、前記第１のＤＣＩは、上述した方法１）における先に送信されるＰＵＳＣＨをスケジューリングするＤＣＩ及び／又は上述した方法２）における先に受信されたＤＣＩに該当することができる。
【０３９１】
基地局は、端末に、ｎ＋ｋ番目の送信時間単位（ｔｒａｎｓｍｉｓｓｉｏｎ  ｔｉｍｅ  ｕｎｉｔ）で前記上りリンクデータチャネルをスケジューリングするための第２の下りリンク制御情報（ｄｏｗｎｌｉｎｋ  ｃｏｎｔｒｏｌ  ｉｎｆｏｒｍａｔｉｏｎ、ＤＣＩ）を送信できる（Ｓ２１１０）。例えば、前記第２のＤＣＩは、上述した方法１）における後で送信されるＰＵＳＣＨをスケジューリングするＤＣＩ及び／又は上述した方法２）における後で受信されたＤＣＩに該当することができる。
【０３９２】
例えば、上述した方法１）及び／又は方法２）のように、前記第１のＤＣＩ及び前記第２のＤＣＩは、各々上りリンクデータチャネルと関連したＤＭＲＳ（Ｄｅｍｏｄｕｌａｔｉｏｎ  Ｒｅｆｅｒｅｎｃｅ  Ｓｉｇｎａｌ）パターン（ｐａｔｔｅｒｎ）に関する情報（例：ＤＭＲＳ−ｐａｔｔｅｒｎ  ｆｉｅｌｄ）、循環シフト（ｃｙｃｌｉｃ  ｓｈｉｆｔ）に関する情報、ＩＦＤＭＡ（Ｉｎｔｅｒｌｅａｖｅｄ  Ｆｒｅｑｕｅｎｃｙ  Ｄｉｖｉｓｉｏｎ  Ｍｕｌｔｉｐｌｅ  Ａｃｃｅｓｓ）コーム（ｃｏｍｂ）に関する情報、リソース割当（ｒｅｓｏｕｒｃｅ  ａｌｌｏｃａｔｉｏｎ）に関する情報（例：ＰＵＳＣＨ  ＲＢ（ｓ））、プリコーディング（ｐｒｅｃｏｄｉｎｇ）に関する情報、レイヤ（ｌａｙｅｒ）の数に関する情報、及び／又はＴＰＣに関する情報（例：ＴＰＣ  ｆｉｅｌｄ）などのうち、少なくとも１つを含むことができる。
【０３９３】
このとき、前記第１のＤＣＩによる情報が前記第２のＤＣＩによる情報と矛盾する場合が存在しうる。ここで、前記第１のＤＣＩによる情報は、前記第１のＤＣＩにより設定及び／又は指示される情報を意味し、前記第２のＤＣＩによる情報は、前記第２のＤＣＩにより設定及び／又は指示される情報を意味できる。
【０３９４】
例えば、上述した方法１）及び／又は方法２）のように、前記第１のＤＣＩによる情報が前記第２のＤＣＩによる情報と矛盾する場合は、ｉ）前記ＤＭＲＳパターンに関する情報が矛盾する場合及び／又はｉｉ）前記循環シフトに関する情報、前記ＩＦＤＭＡコームに関する情報、前記リソース割当に関する情報、前記プリコーディング（ｐｒｅｃｏｄｉｎｇ）に関する情報及び／又は前記レイヤの数に関する情報、及び／又は前記ＴＰＣに関する情報（例：ＴＰＣ  ｆｉｅｌｄ）などのうち、少なくとも１つが矛盾する場合でありうる。
【０３９５】
具体的な例として、前記ｉ）の場合において、前記第１のＤＣＩに含まれたＤＭＲＳパターンは、前記ｎ＋ｋ番目の送信時間単位における１番目のシンボルで前記上りリンクデータチャネルに対するＤＭＲＳ送信を表し、前記第２のＤＣＩに含まれたＤＭＲＳパターンは、前記ｎ＋ｋ番目の送信時間単位の１番目のシンボルで前記上りリンクデータチャネルに対するＤＭＲＳ送信を表さないことができる。また、前記ｉｉ）の場合において、前記第１のＤＣＩに含まれたＤＭＲＳパターン及び前記第２のＤＣＩに含まれたＤＭＲＳパターンは、（全て）前記ｎ＋ｋ番目の送信時間単位における１番目のシンボルで前記上りリンクデータチャネルのＤＭＲＳ送信を表すことが前提になることもできる。
【０３９６】
上述したように、前記第１のＤＣＩによる情報が前記第２のＤＣＩによる情報と矛盾する場合、基地局は、端末から、前記第１のＤＣＩに基づく上りリンクデータチャネルを受信することができる（Ｓ２１１５）。例えば、上述した方法１）のように、基地局は、先に送信されるＰＵＳＣＨをスケジューリングするＤＣＩに基づくＰＵＳＣＨ（すなわち、ＰＵＳＣＨデータ及び／又はＰＵＳＣＨ  ＤＭＲＳ）を端末から受信することができる。他に、例えば、上述した方法２）のように、基地局は、先に受信されたＤＣＩに基づくＰＵＳＣＨ（すなわち、ＰＵＳＣＨデータ及び／又はＰＵＳＣＨ  ＤＭＲＳ）を端末から受信することができる。この場合、前記第２のＤＣＩは、前記端末により（上りリンクデータチャネルの送信において）無視されることができる。
【０３９７】
また、上述したように、上述したＳ２１０５ステップ及びＳ２１１０ステップにおいて前記ｋは１であり、前記ｎ番目の送信時間単位は、前記ｎ＋ｋ番目の送信時間単位と連続して配置されることができる。
【０３９８】
また、上述したように、前記ｎ番目の送信時間単位及び前記ｎ＋ｋ番目の送信時間単位は、各々２つまたは３つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（ｓｙｍｂｏｌ）を含むサブスロット（ｓｕｂｓｌｏｔ）でありうる。
【０３９９】
これと関連して、実現的な側面において、上述した基地局の動作は、本明細書の図２２及び図２３に示された基地局装置２２１０、２３１０により具体的に実現されることができる。例えば、上述した基地局の動作は、プロセッサ２２１１、２３１１及び／又はＲＦ（Ｒａｄｉｏ  Ｆｒｅｑｕｅｎｃｙ）ユニット（または、モジュール）（２２１３、２３１５）により行われることができる。
【０４００】
無線通信システムにおいてデータチャネル（例：ＰＤＳＣＨ）を受信する端末は、無線信号を送信するための送信部（ｔｒａｎｓｍｉｔｔｅｒ）、無線信号を受信するための受信部（ｒｅｃｅｉｖｅｒ）、及び前記送信部及び受信部と機能的に連結されるプロセッサを備えることができる。ここで、前記送信部及び前記受信部（または、送受信部）は、無線信号を送受信するためのＲＦユニット（または、モジュール）と称されることができる。
【０４０１】
例えば、プロセッサは、端末に、ｎ番目の送信時間単位（ｔｒａｎｓｍｉｓｓｉｏｎ  ｔｉｍｅ  ｕｎｉｔ）で前記上りリンクデータチャネルをスケジューリングするための第１の下りリンク制御情報（ｄｏｗｎｌｉｎｋ  ｃｏｎｔｒｏｌ  ｉｎｆｏｒｍａｔｉｏｎ、ＤＣＩ）を送信するようにＲＦユニットを制御できる。例えば、前記第１のＤＣＩは、上述した方法１）における先に送信されるＰＵＳＣＨをスケジューリングするＤＣＩ及び／又は上述した方法２）における先に受信されたＤＣＩに該当することができる。
【０４０２】
プロセッサは、端末に、ｎ＋ｋ番目の送信時間単位（ｔｒａｎｓｍｉｓｓｉｏｎ  ｔｉｍｅ  ｕｎｉｔ）で前記上りリンクデータチャネルをスケジューリングするための第２の下りリンク制御情報（ｄｏｗｎｌｉｎｋ  ｃｏｎｔｒｏｌ  ｉｎｆｏｒｍａｔｉｏｎ、ＤＣＩ）を送信するようにＲＦユニットを制御できる。例えば、前記第２のＤＣＩは、上述した方法１）における後で送信されるＰＵＳＣＨをスケジューリングするＤＣＩ及び／又は上述した方法２）における後で受信されたＤＣＩに該当することができる。
【０４０３】
例えば、上述した方法１）及び／又は方法２）のように、前記第１のＤＣＩ及び前記第２のＤＣＩは、各々上りリンクデータチャネルと関連したＤＭＲＳ（Ｄｅｍｏｄｕｌａｔｉｏｎ  Ｒｅｆｅｒｅｎｃｅ  Ｓｉｇｎａｌ）パターン（ｐａｔｔｅｒｎ）に関する情報（例：ＤＭＲＳ−ｐａｔｔｅｒｎ  ｆｉｅｌｄ）、循環シフト（ｃｙｃｌｉｃ  ｓｈｉｆｔ）に関する情報、ＩＦＤＭＡ（Ｉｎｔｅｒｌｅａｖｅｄ  Ｆｒｅｑｕｅｎｃｙ  Ｄｉｖｉｓｉｏｎ  Ｍｕｌｔｉｐｌｅ  Ａｃｃｅｓｓ）コーム（ｃｏｍｂ）に関する情報、リソース割当（ｒｅｓｏｕｒｃｅ  ａｌｌｏｃａｔｉｏｎ）に関する情報（例：ＰＵＳＣＨ  ＲＢ（ｓ））、プリコーディング（ｐｒｅｃｏｄｉｎｇ）に関する情報、レイヤ（ｌａｙｅｒ）の数に関する情報、及び／又はＴＰＣに関する情報（例：ＴＰＣ  ｆｉｅｌｄ）などのうち、少なくとも１つを含むことができる。
【０４０４】
このとき、前記第１のＤＣＩによる情報が前記第２のＤＣＩによる情報と矛盾する場合が存在しうる。ここで、前記第１のＤＣＩによる情報は、前記第１のＤＣＩにより設定及び／又は指示される情報を意味し、前記第２のＤＣＩによる情報は、前記第２のＤＣＩにより設定及び／又は指示される情報を意味できる。
【０４０５】
例えば、上述した方法１）及び／又は方法２）のように、前記第１のＤＣＩによる情報が前記第２のＤＣＩによる情報と矛盾する場合は、ｉ）前記ＤＭＲＳパターンに関する情報が矛盾する場合及び／又はｉｉ）前記循環シフトに関する情報、前記ＩＦＤＭＡコームに関する情報、前記リソース割当に関する情報、前記プリコーディング（ｐｒｅｃｏｄｉｎｇ）に関する情報、前記レイヤの数に関する情報、及び／又は前記ＴＰＣに関する情報（例：ＴＰＣ  ｆｉｅｌｄ）などのうち、少なくとも１つが矛盾する場合でありうる。
【０４０６】
具体的な例として、前記ｉ）の場合において、前記第１のＤＣＩに含まれたＤＭＲＳパターンは、前記ｎ＋ｋ番目の送信時間単位における１番目のシンボルで前記上りリンクデータチャネルに対するＤＭＲＳ送信を表し、前記第２のＤＣＩに含まれたＤＭＲＳパターンは、前記ｎ＋ｋ番目の送信時間単位の１番目のシンボルで前記上りリンクデータチャネルに対するＤＭＲＳ送信を表さないことができる。また、前記ｉｉ）の場合において、前記第１のＤＣＩに含まれたＤＭＲＳパターン及び前記第２のＤＣＩに含まれたＤＭＲＳパターンは、（全て）前記ｎ＋ｋ番目の送信時間単位における１番目のシンボルで前記上りリンクデータチャネルのＤＭＲＳ送信を表すことが前提になることもできる。
【０４０７】
上述したように、前記第１のＤＣＩによる情報が前記第２のＤＣＩによる情報と矛盾する場合、プロセッサは、端末から、前記第１のＤＣＩに基づく上りリンクデータチャネルを受信するようにＲＦユニットを制御できる。例えば、上述した方法１）のように、プロセッサは、先に送信されるＰＵＳＣＨをスケジューリングするＤＣＩに基づくＰＵＳＣＨ（すなわち、ＰＵＳＣＨデータ及び／又はＰＵＳＣＨ  ＤＭＲＳ）を端末から受信するようにＲＦユニットを制御できる。他に、例えば、上述した方法２）のように、プロセッサは、先に受信されたＤＣＩに基づくＰＵＳＣＨ（すなわち、ＰＵＳＣＨデータ及び／又はＰＵＳＣＨ  ＤＭＲＳ）を端末から受信するようにＲＦユニットを制御できる。この場合、前記第２のＤＣＩは、前記端末により（上りリンクデータチャネルの送信において）無視されることができる。
【０４０８】
また、上述したように、前記ｋは１であり、前記ｎ番目の送信時間単位は、前記ｎ＋ｋ番目の送信時間単位と連続して配置されることができる。
【０４０９】
また、上述したように、前記ｎ番目の送信時間単位及び前記ｎ＋ｋ番目の送信時間単位は、各々２つまたは３つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（ｓｙｍｂｏｌ）を含むサブスロット（ｓｕｂｓｌｏｔ）でありうる。
【０４１０】
また、本明細書において説明した提案方式に対する一例等も、本発明の実現方法のうち１つとして含まれることができるので、一種の提案方式と見なされることができることは明らかな事実である。また、本明細書において説明した提案方式は、独立的に実現されることができるが、一部の提案方式の組み合わせ（または、併合）の形態で実現されることもできる。また、本明細書において説明した提案方式の適用可否に関する情報（及び／又は前記提案方法の規則に関する情報）は、基地局が端末に予め定義されたシグナリング（例：物理層シグナリング及び／又は上位層シグナリング等）を介して知らせるように規則が定義されることもできる。
【０４１１】
本発明が適用され得る装置一般
【０４１２】
図２２は、本明細書において提案する方法が適用され得る無線通信装置のブロック構成図を例示する。
【０４１３】
図２２に示すように、無線通信システムは、基地局２２１０と基地局領域内に位置した複数の端末２２２０とを備える。
【０４１４】
前記基地局と端末とは、各々無線装置で表現されることもできる。
【０４１５】
基地局は、プロセッサ（ｐｒｏｃｅｓｓｏｒ、２２１１）、メモリ（ｍｅｍｏｒｙ、２２１２）、及びＲＦモジュール（Ｒａｄｉｏ  Ｆｒｅｑｕｅｎｃｙｍｏｄｕｌｅ、２２１３）を備える。プロセッサ２２１１は、先に図１〜図２１において提案された機能、過程、及び／又は方法を実現する。無線インターフェースプロトコルの階層は、プロセッサにより実現されることができる。メモリは、プロセッサと連結されて、プロセッサを駆動するための様々な情報を格納する。ＲＦモジュールは、プロセッサと連結されて、無線信号を送信及び／又は受信する。
【０４１６】
端末は、プロセッサ２２２１、メモリ２２２２、及びＲＦモジュール２２２３を備える。
【０４１７】
プロセッサは、先に図１〜図２１において提案された機能、過程、及び／又は方法を実現する。無線インターフェースプロトコルの階層は、プロセッサにより実現されることができる。メモリは、プロセッサと連結されて、プロセッサを駆動するための様々な情報を格納する。ＲＦモジュールは、プロセッサと連結されて、無線信号を送信及び／又は受信する。
【０４１８】
メモリ２２１２、２２２２は、プロセッサ２２１１、２２２１の内部または外部にあることができ、よく知られた様々な手段でプロセッサと連結されることができる。
【０４１９】
また、基地局及び／又は端末は、１個のアンテナ（ｓｉｎｇｌｅ  ａｎｔｅｎｎａ）または多重アンテナ（ｍｕｌｔｉｐｌｅ  ａｎｔｅｎｎａ）を有することができる。
【０４２０】
アンテナ２２１４、２２２４は、無線信号を送信及び受信する機能をする。
【０４２１】
図２３は、本明細書において提案する方法が適用され得る無線通信装置のブロック構成図のさらに他の例示である。
【０４２２】
図２３に示すように、無線通信システムは、基地局２３１０と基地局領域内に位置した複数の端末２３２０とを備える。基地局は、送信装置で、端末は、受信装置で表現されることができ、その逆も可能である。基地局と端末とは、プロセッサ（ｐｒｏｃｅｓｓｏｒ、２３１１、２３２１）、メモリ（ｍｅｍｏｒｙ、２３１４、２３２４）、１つ以上のＴｘ／ＲｘＲＦモジュール（Ｒａｄｉｏ  Ｆｒｅｑｕｅｎｃｙ  ｍｏｄｕｌｅ、２３１５、２３２５）、Ｔｘプロセッサ２３１２、２３２２、Ｒｘプロセッサ２３１３、２３２３、アンテナ２３１６、２３２６を備える。プロセッサは、先に説明した機能、過程、及び／又は方法を実現する。より具体的に、ＤＬ（基地局から端末への通信）において、コアネットワークからの上位層パケットは、プロセッサ２３１１に提供される。プロセッサは、Ｌ２層の機能を実現する。ＤＬにおいて、プロセッサは、論理チャネルと送信チャネルとの間の多重化（ｍｕｌｔｉｐｌｅｘｉｎｇ）、無線リソース割当を端末２３２０に提供し、端末へのシグナリングを担当する。送信（ＴＸ）プロセッサ２３１２は、Ｌ１層（すなわち、物理層）に対する様々な信号処理機能を実現する。信号処理機能は、端末でＦＥＣ（ｆｏｒｗａｒｄ  ｅｒｒｏｒ  ｃｏｒｒｅｃｔｉｏｎ）を容易なようにし、コーディング及びインターリービング（ｃｏｄｉｎｇ  ａｎｄ  ｉｎｔｅｒｌｅａｖｉｎｇ）を含む。符号化及び変調されたシンボルは、並列ストリームに分割され、それぞれのストリームは、ＯＦＤＭ副搬送波にマッピングされ、時間及び／又は周波数領域で基準信号（Ｒｅｆｅｒｅｎｃｅ  Ｓｉｇｎａｌ、ＲＳ）とマルチプレキシングされ、ＩＦＦＴ（Ｉｎｖｅｒｓｅ  Ｆａｓｔ  Ｆｏｕｒｉｅｒ  Ｔｒａｎｓｆｏｒｍ）を使用して共に結合されて時間領域ＯＦＤＭＡシンボルストリームを運搬する物理的チャネルを生成する。ＯＦＤＭストリームは、多重空間ストリームを生成するために空間的にプリコーディングされる。それぞれの空間ストリームは、個別Ｔｘ／Ｒｘモジュール（または、送受信機、２３１５）を介して相違したアンテナ２３１６に提供されることができる。それぞれのＴｘ／Ｒｘモジュールは、送信のために、それぞれの空間ストリームでＲＦ搬送波を変調することができる。端末において、それぞれのＴｘ／Ｒｘモジュール（または、送受信機、２３２５）は、各Ｔｘ／Ｒｘモジュールの各アンテナ２３２６を介して信号を受信する。それぞれのＴｘ／Ｒｘモジュールは、ＲＦキャリアで変調された情報を復元して、受信（ＲＸ）プロセッサ２３２３に提供する。ＲＸプロセッサは、ｌａｙｅｒ１の様々な信号プロセッシング機能を実現する。ＲＸプロセッサは、端末へ向かう任意の空間ストリームを復旧するために、情報に空間プロセッシングを行うことができる。仮に、複数の空間ストリームが端末へ向かう場合、複数のＲＸプロセッサにより単一ＯＦＤＭＡシンボルストリームで結合されることができる。ＲＸプロセッサは、高速フーリエ変換（ＦＦＴ）を使用してＯＦＤＭＡシンボルストリームを時間領域から周波数領域に変換する。周波数領域信号は、ＯＦＤＭ信号のそれぞれのサブキャリアに対する個別的なＯＦＤＭＡシンボルストリームを含む。それぞれのサブキ���リア上のシンボル及び基準信号は、基地局により送信された最も可能性のある信号配置ポイントを決定することによって復元され、復調される。このような軟判定（ｓｏｆｔ  ｄｅｃｉｓｉｏｎ）は、チャネル推定値に基づくことができる。軟判定は、物理チャネル上で基地局により元々送信されたデータ及び制御信号を復元するために、デコーディング及びデインターリービングされる。当該データ及び制御信号は、プロセッサ２３２１に提供される。
【０４２３】
ＵＬ（端末から基地局への通信）は、端末２３２０において受信機機能と関連して記述されたことと類似した方式にて基地局２３１０で処理される。それぞれのＴｘ／Ｒｘモジュール２３２５は、それぞれのアンテナ２３２６を介して信号を受信する。それぞれのＴｘ／Ｒｘモジュールは、ＲＦ搬送波及び情報をＲＸプロセッサ２３２３に提供する。プロセッサ２３２１は、プログラムコード及びデータを格納するメモリ２３２４と関連することができる。メモリは、コンピュータ読み取り可能媒体と称されることができる。
【０４２４】
本明細書において無線装置は、基地局、ネットワークロード、送信端末、受信端末、無線装置、無線通信装置、車両、自律走行機能を搭載した車両、ドローン（Ｕｎｍａｎｎｅｄ  Ａｅｒｉａｌ  Ｖｅｈｉｃｌｅ、ＵＡＶ）、ＡＩ（Ａｒｔｉｆｉｃｉａｌ  Ｉｎｔｅｌｌｉｇｅｎｃｅ）モジュール、ロボット、ＡＲ（Ａｕｇｍｅｎｔｅｄ  Ｒｅａｌｉｔｙ）装置、ＶＲ（Ｖｉｒｔｕａｌ  Ｒｅａｌｉｔｙ）装置、ＭＴＣ装置、ＩｏＴ装置、医療装置、フィンテック装置（または、金融装置）、保安装置、気候／環境装置、またはそのほか、４次産業革命分野あるいは５Ｇサービスと関連した装置などでありうる。例えば、ドローンは、人が乗らないで無線コントロール信号により飛行する飛行体でありうる。例えば、ＭＴＣ装置及びＩｏＴ装置は、人の直接的な介入や、または操作が必要でない装置であって、スマートメートル、ベンディングマシン、温度計、スマート電球、ドアラック、各種センサなどでありうる。例えば、医療装置は、疾病を診断、治療、軽減、処置、または予防する目的として使用される装置、構造または機能を検査、代替、または変形する目的として使用される装置であって、診療用装備、手術用装置、（体外）診断用装置、補聴器、手術用装置などでありうる。例えば、保安装置は、発生する恐れがある危険を防止し、安全を維持するために設けた装置であって、カメラ、ＣＣＴＶ、ブラックボックスなどでありうる。例えば、フィンテック装置は、モバイル決済など、金融サービスを提供できる装置であって、決済装置、ＰＯＳ（Ｐｏｉｎｔ  ｏｆ  Ｓａｌｅｓ）などでありうる。例えば、気候／環境装置は、気候／環境をモニタリング、予測する装置を意味できる。
【０４２５】
本明細書において端末は、携帯電話、スマートフォン（ｓｍａｒｔ  ｐｈｏｎｅ）、ノートブックコンピュータ（ｌａｐｔｏｐ  ｃｏｍｐｕｔｅｒ）、デジタル放送用端末機、ＰＤＡ（ｐｅｒｓｏｎａｌ  ｄｉｇｉｔａｌ  ａｓｓｉｓｔａｎｔｓ）、ＰＭＰ（ｐｏｒｔａｂｌｅ  ｍｕｌｔｉｍｅｄｉａ  ｐｌａｙｅｒ）、ナビゲーション、スレートＰＣ（ｓｌａｔｅ  ＰＣ）、タブレットＰＣ（ｔａｂｌｅｔ  ＰＣ）、ウルトラブック（ｕｌｔｒａｂｏｏｋ）、ウェアラブルデバイス（ｗｅａｒａｂｌｅ  ｄｅｖｉｃｅ、例えば、ウォッチ型端末機（ｓｍａｒｔｗａｔｃｈ）、グラス型端末機（ｓｍａｒｔ  ｇｌａｓｓ）、ＨＭＤ（ｈｅａｄ  ｍｏｕｎｔｅｄ  ｄｉｓｐｌａｙ））、フォルダブル（ｆｏｌｄａｂｌｅ）デバイスなどを含むことができる。例えば、ＨＭＤは、頭に着用する形態のディスプレイ装置であって、ＶＲまたはＡＲを実現するために使用されることができる。
【０４２６】
以上で説明された実施形態は、本発明の構成要素と特徴が所定の形態で結合されたものである。各構成要素または特徴は、別途の明示的な言及がない限り、選択的なものとして考慮されなければならない。各構成要素または特徴は、他の構成要素や特徴と結合されない形態で実施できる。また、一部の構成要素及び／又は特徴を結合して本発明の実施形態を構成することも可能である。本発明の実施形態において説明される動作の順序は変更され得る。ある実施形態の一部の構成や特徴は、他の実施形態に含まれることができ、または他の実施形態の対応する構成または特徴と取り替えることができる。特許請求範囲で明示的な引用関係がない請求項を結合して実施形態を構成するか、または出願後の補正により新たな請求項に含めることができることは自明である。
【０４２７】
本発明に係る実施形態は、様々な手段、例えば、ハードウェア、ファームウェア（ｆｉｒｍｗａｒｅ）、ソフトウェア、またはそれらの結合などにより実現できる。ハードウェアによる実現の場合、本発明の一実施形態は１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラー、マイクロコントローラー、マイクロプロセッサなどにより実現できる。
【０４２８】
ファームウェアやソフトウェアによる実現の場合、本発明の一実施形態は以上で説明された機能または動作を行うモジュール、手続、関数などの形態で実現できる。ソフトウェアコードはメモリに格納されてプロセッサにより駆動できる。前記メモリは前記プロセッサの内部または外部に位置し、既に公知となっている様々な手段により前記プロセッサとデータをやり取りすることができる。
【０４２９】
本発明は、本発明の必須的な特徴を逸脱しない範囲で他の特定の形態で具体化できることは当業者にとって自明である。したがって、前述した詳細な説明は、全ての面で制限的に解釈されてはならず、例示的なものと考慮されなければならない。本発明の範囲は、添付した請求項の合理的な解釈により決定されなければならず、本発明の等価的な範囲内での全ての変更は、本発明の範囲に含まれる。
【産業上の利用可能性】
【０４３０】
本明細書の無線通信システムにおけるデータを送受信するための案は、３ＧＰＰ  ＬＴＥ／ＬＴＥ−Ａシステムに適用される例を中心として説明したが、３ＧＰＰ  ＬＴＥ／ＬＴＥ−Ａシステム以外にも、５Ｇシステム等の様々な無線通信システムに適用することが可能である。
【図１】
2020537420.tif 000112
【図２】
2020537420.tif 000113
【図３】
2020537420.tif 000114
【図４】
2020537420.tif 000115
【図５】
2020537420.tif 000116
【図６】
2020537420.tif 000117
【図７】
2020537420.tif 000118
【図８】
2020537420.tif 000119
【図９】
2020537420.tif 000120
【図１０】
2020537420.tif 000121
【図１１】
2020537420.tif 000122
【図１２】
2020537420.tif 000123
【図１３】
2020537420.tif 000124
【図１４】
2020537420.tif 000125
【図１５】
2020537420.tif 000126
【図１６】
2020537420.tif 000127
【図１７】
2020537420.tif 000128
【図１８】
2020537420.tif 000129
【図１９】
2020537420.tif 000130
【図２０】
2020537420.tif 000131
【図２１】
2020537420.tif 000132
【図２２】
2020537420.tif 000133
【図２３】
2020537420.tif 000134
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
無線通信システムにおいて端末が上りリンクデータチャネルを送信する方法において、
基地局から、ｎ番目のサブスロットで前記上りリンクデータチャネルをスケジューリングするための第１のＤＣＩ（downlink control information）を受信するステップと、
前記基地局から、ｎ＋ｋ番目のサブスロットで上りリンクデータチャネルをスケジューリングするための第２のＤＣＩを受信するステップであって、
前記第１のＤＣＩ及び前記第２のＤＣＩは、前記上りリンクデータチャネルに関して、循環シフトに関する情報、ＩＦＤＭＡ（Interleaved Frequency Division Multiple Access）コームに関する情報、リソース割当に関する情報、プリコーディングに関する情報、及び／又はレイヤの数の少なくとも一つをそれぞれ含み、
前記循環シフトに関する情報、前記ＩＦＤＭＡコームに関する情報、前記リソース割当に関する情報、前記プリコーディングに関する情報、及び／又はレイヤの数の少なくとも一つが前記第１のＤＣＩと前記第２のＤＣＩとの間で矛盾する場合、前記第１のＤＣＩに基づく前記上りリンクデータチャネルを前記基地局に送信する、ステップと、
を含み、
前記第２のＤＣＩは、前記端末により無視される、方法。
【請求項２】
前記第１のＤＣＩ及び前記第２のＤＣＩは、前記上りリンクデータチャネルに関して、ＤＭＲＳ（Demodulation Reference Signal）パターンに関する情報をさらにそれぞれ含む、請求項１に記載の方法。
【請求項３】
前記ＤＭＲＳパターンに関する情報が前記第１のＤＣＩと前記第２のＤＣＩとの間で矛盾する場合、前記第１のＤＣＩに基づく上りリンクデータチャネルを前記基地局に送信するステップをさらに含み、
前記第２のＤＣＩは、前記端末により無視される、請求項２に記載の方法。
【請求項４】
前記第１のＤＣＩに含まれたＤＭＲＳパターンは、前記ｎ＋ｋ番目のサブスロットの１番目のシンボルで前記上りリンクデータチャネルに対するＤＭＲＳ送信を表し、
前記第２のＤＣＩに含まれたＤＭＲＳパターンは、前記ｎ＋ｋ番目のサブスロットの１番目のシンボルで前記上りリンクデータチャネルに対するＤＭＲＳ送信を表さない、請求項３に記載の方法。
【請求項５】
前記第１のＤＣＩに含まれたＤＭＲＳパターン及び前記第２のＤＣＩに含まれたＤＭＲＳパターンは、前記ｎ＋ｋ番目のサブスロットの１番目のシンボルで前記上りリンクデータチャネルに対するＤＭＲＳ送信を表す、請求項２に記載の方法。
【請求項６】
前記ｋは、１であり、
前記ｎ番目のサブスロットは、前記ｎ＋ｋ番目のサブスロットと連続して配置される、請求項１に記載の方法。
【請求項７】
前記ｎ番目のサブスロット及び前記ｎ＋ｋ番目のサブスロットは、各々２つまたは３つのＯＦＤＭ（Orthogonal Frequency Division Multiplexing）シンボルを含む、請求項１に記載の方法。
【請求項８】
無線通信システムにおいて上りリンクデータチャネルを送信する端末において、
無線信号を送受信するための送受信部と、
前記送受信部と動作可能なように連結されているプロセッサと、
を備え、
前記プロセッサは、
基地局から、ｎ番目のサブスロットで前記上りリンクデータチャネルをスケジューリングするための第１のＤＣＩ（downlink control information）を受信し、
前記基地局から、ｎ＋ｋ番目のサブスロットで前記上りリンクデータチャネルをスケジューリングするための第２のＤＣＩを受信し、
前記第１のＤＣＩ及び前記第２のＤＣＩは、前記上りリンクデータチャネルに関して、循環シフトに関する情報、ＩＦＤＭＡ（Interleaved Frequency Division Multiple Access）コームに関する情報、リソース割当に関する情報、プリコーディングに関する情報、及び／又はレイヤの数の少なくとも一つをそれぞれ含み、
前記循環シフトに関する情報、前記ＩＦＤＭＡコームに関する情報、前記リソース割当に関する情報、前記プリコーディングに関する情報、及び／又はレイヤの数の少なくとも一つが前記第１のＤＣＩと前記第２のＤＣＩとの間で矛盾する場合、前記第１のＤＣＩに基づく前記上りリンクデータチャネルを前記基地局に送信するように制御し、
前記第２のＤＣＩは、前記端末により無視される、端末。
【請求項９】
前記第１のＤＣＩ及び前記第２のＤＣＩは、前記上りリンクデータチャネルに関して、ＤＭＲＳ（Demodulation Reference Signal）パターンに関する情報をさらにそれぞれ含む、請求項８に記載の端末。
【請求項１０】
前記ＤＭＲＳパターンに関する情報が前記第１のＤＣＩと前記第２のＤＣＩとの間で矛盾する場合、前記プロセッサは、前記第１のＤＣＩに基づく上りリンクデータチャネルを前記基地局に送信するように制御し、
前記第２のＤＣＩは、前記端末により無視される、請求項９に記載の端末。
【請求項１１】
前記第１のＤＣＩに含まれたＤＭＲＳパターンは、前記ｎ＋ｋ番目のサブスロットの１番目のシンボルで前記上りリンクデータチャネルに対するＤＭＲＳ送信を表し、
前記第２のＤＣＩに含まれたＤＭＲＳパターンは、前記ｎ＋ｋ番目のサブスロットの１番目のシンボルで前記上りリンクデータチャネルに対するＤＭＲＳ送信を表さない、請求項１０に記載の端末。
【請求項１２】
前記第１のＤＣＩに含まれたＤＭＲＳパターン及び前記第２のＤＣＩに含まれたＤＭＲＳパターンは、前記ｎ＋ｋ番目のサブスロットの１番目のシンボルで前記上りリンクデータチャネルに対するＤＭＲＳ送信を表す、請求項８に記載の端末。
【請求項１３】
無線通信システムにおいて上りリンクデータチャネルを受信する基地局において、
無線信号を送受信するための送受信部と、
前記送受信部と機能的に連結されているプロセッサと、
を備え、
前記プロセッサは、
端末に、ｎ番目のサブスロットで前記上りリンクデータチャネルをスケジューリングするための第１のＤＣＩ（downlink control information）を送信し、
前記端末に、ｎ＋ｋ番目のサブスロットで前記上りリンクデータチャネルをスケジューリングするための第２のＤＣＩを送信し、
前記第１のＤＣＩ及び前記第２のＤＣＩは、前記上りリンクデータチャネルに関して、循環シフトに関する情報、ＩＦＤＭＡ（Interleaved Frequency Division Multiple Access）コームに関する情報、リソース割当に関する情報、プリコーディングに関する情報、及び／又はレイヤの数に関する情報の少なくとも一つをそれぞれ含み、
前記循環シフトに関する情報、前記ＩＦＤＭＡコームに関する情報、前記リソース割当に関する情報、前記プリコーディングに関する情報、及び／又はレイヤの数に関する情報の少なくとも一つが前記第１のＤＣＩと前記第２のＤＣＩとの間で矛盾する場合、前記第１のＤＣＩに基づく前記上りリンクデータチャネルを前記端末から受信するように制御し、
前記第２のＤＣＩは、前記端末により無視される、基地局。
【国際調査報告】
2020537420.tif 000135
2020537420.tif 000136
2020537420.tif 000137
2020537420.tif 000138